(57)【要約】  無線通信システムにおけるページング転送方法及びそのための装置が開示される。具体的に、無線通信システムにおける移動性管理個体（ＭＭＥ：Mobility Management Entity）がページング（paging）を転送するための方法において、サービングゲートウェイ（Ｓ−ＧＷ：Serving Gateway）からダウンリンクデータ通知（Downlink Data Notification）メッセージを受信するステップ及び前記Ｓ−ＧＷから前記ダウンリンク通知メッセージを受信すれば、基地局（ｅＮＢ）にページング回数（paging count）及びカバレッジ向上レベル（CE level：Coverage Enhancement level）値を含むページングメッセージを転送するステップを含み、前記CE level値は端末が最後に連結された基地局から受信したCE levelでありうる。【選択図】  図１９
2018505595.tif 000002
【特許請求の範囲】
【請求項１】
無線通信システムにおける移動性管理個体（ＭＭＥ：Mobility Management Entity）がページングを転送するための方法であって、
サービングゲートウェイ（Ｓ−ＧＷ：Serving Gateway）からダウンリンクデータ通知メッセージを受信するステップと、
前記Ｓ−ＧＷから前記ダウンリンク通知メッセージを受信すれば、基地局にページング回数及びカバレッジ向上（ＣＥ：Coverage Enhancement）レベル値を含むページングメッセージを転送するステップと、を含み、
前記ＣＥレベル値は端末が最後に連結された基地局から受信したＣＥレベルである、ページング転送方法。
【請求項２】
前記ページングメッセージは、前記ＣＥレベル値が適用されるセルのＥＣＧＩ（E-UTRAN Cell Global Identifier）を含む、請求項１に記載のページング転送方法。
【請求項３】
前記ＣＥレベルは、Ｓ１解除手続中にＳ１端末コンテクスト解除完了メッセージを通じて受信される、請求項１に記載のページング転送方法。
【請求項４】
前記ページングメッセージに含まれたＣＥレベル値は全体ＣＥレベル値で最低値、平均値、中間値、及び最高値のうち、いずれか一つに前記ＭＭＥにより決定される、請求項１に記載のページング転送方法。
【請求項５】
前記ページング回数に関わらず、前記ページングメッセージに含まれたＣＥレベル値は同一である、請求項１に記載のページング転送方法。
【請求項６】
前記ページング回数が１の場合、前記ページングメッセージに含まれたＣＥレベル値は前記Ｓ１端末コンテクスト解除完了メッセージを通じて受信したＣＥレベルであり、
前記ページング回数が２以上の場合、前記ページングメッセージに含まれた前記ＣＥレベル値は前記ページング回数によってランピングアップされた値である、請求項３に記載のページング転送方法。
【請求項７】
前記ＣＥレベル値は前記Ｓ１端末コンテクスト解除完了メッセージを通じて前記ＣＥレベルを転送した基地局のみに転送される、請求項３に記載のページング転送方法。
【請求項８】
前記ページング回数が１の場合、前記ＣＥレベル値は全体ＣＥレベル値で最低値、平均値、中間値、及び最高値のうち、前記ＭＭＥにより決定されたいずれか一つであり、
前記ページング回数が２以上の場合、前記ページングメッセージに含まれたＣＥレベル値は前記ページング回数によってランピングアップされた値である、請求項４に記載のページング転送方法。
【請求項９】
前記ＣＥレベル値は各基地局別に定まる、請求項１に記載のページング転送方法。
【請求項１０】
前記ページング回数が１の場合、前記ページングメッセージは前記ページング回数及び前記ＣＥレベル値を含み、
前記ページング回数が２以上の場合、前記ページングメッセージは前記ページング回数を含み、前記ＣＥレベル値を含まない、請求項１に記載のページング転送方法。
【請求項１１】
無線通信システムにおけるページング転送のための移動性管理個体（ＭＭＥ：Mobility Management Entity）装置であって、
信号を送受信するための通信モジュールと、
前記通信モジュールを制御するプロセッサと、を含み、
前記プロセッサはサービングゲートウェイ（Ｓ−ＧＷ：Serving Gateway）からダウンリンクデータ通知メッセージを受信し、
前記Ｓ−ＧＷから前記ダウンリンク通知メッセージを受信すれば、基地局にページング回数及びカバレッジ向上（ＣＥ：Coverage Enhancement）レベル値を含むページングメッセージを転送するように構成され、
前記ＣＥレベル値は端末が最後に連結された基地局から受信したＣＥレベルである、ＭＭＥ装置。
【発明の詳細な説明】
【技術分野】
【０００１】
本発明は無線通信システムに関し、より詳しくは、端末にページングメッセージ転送を遂行またはサポート（支援）するための方法及びこれをサポートする装置に関する。
【背景技術】
【０００２】
移動通信システムはユーザの活動性を保証しながら音声サービスを提供するために開発された。しかしながら、移動通信システムは音声だけでなく、データサービスまで領域を拡張し、現在には爆発的なトラフィックの増加によって資源の不足現象が引き起こされ、ユーザがより高速のサービスを要求するので、より発展した移動通信システムが求められている。
【０００３】
次世代の移動通信システムの要求条件は、大別して爆発的なデータトラフィックの収容、ユーザ当たり転送率の画期的な増加、大幅増加した連結デバイス個数の収容、非常に低い端対端遅延（End-to-End Latency）、高エネルギー効率をサポートできなければならない。このために、二重連結性（Dual Connectivity）、大規模多重入出力（Massive MIMO：Massive Multiple Input Multiple Output）、全二重（In-band Full Duplex）、非直交多重接続（ＮＯＭＡ：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本発明の目的は、カバレッジ向上（ＣＥ：Coverage enhancement）内の端末にページングを転送するための方法を提案することにある。
【０００５】
また、本発明の目的はカバレッジ向上（Coverage enhancement）内の端末にページング（再）転送時に適用されるカバレッジ向上レベル（Coverage enhancement level）を決定するための方法を提案することにある。
【０００６】
また、本発明の目的はカバレッジ向上（Coverage enhancement）内の端末にページング（再）転送時に適用されるカバレッジ向上レベル（Coverage enhancement level）を決定するためにＳ１解除手続（S1 Release procedure）を提案することにある。
【０００７】
本発明で達成しようとする技術的課題は、以上で言及した技術的課題に制限されず、言及しない更に他の技術的課題は以下の記載から本発明が属する技術分野で通常の知識を有する者に明確に理解されるべきである。
【課題を解決するための手段】
【０００８】
本発明の一態様は、無線通信システムにおける移動性管理個体（ＭＭＥ：Mobility Management Entity）がページング（paging）を転送するための方法において、サービングゲートウェイ（Ｓ−ＧＷ：Serving Gateway）からダウンリンクデータ通知（Downlink Data Notification）メッセージを受信するステップ及び前記Ｓ−ＧＷから前記ダウンリンク通知メッセージを受信すれば、基地局（ｅＮＢ）にページング回数（paging count）及びカバレッジ向上レベル（CE level：Coverage Enhancement level）値を含むページングメッセージを転送するステップを含み、前記CE level値は端末が最後に連結された基地局から受信したCE levelでありうる。
【０００９】
本発明の他の一態様は、無線通信システムにおけるページング（paging）転送のための移動性管理個体（ＭＭＥ：Mobility Management Entity）装置において、信号を送受信するための通信モジュール（communication module）及び前記通信モジュールを制御するプロセッサを含み、前記プロセッサはサービングゲートウェイ（Ｓ−ＧＷ：Serving Gateway）からダウンリンクデータ通知（Downlink Data Notification）メッセージを受信し、前記Ｓ−ＧＷから前記ダウンリンク通知メッセージを受信すれば、基地局（ｅＮＢ）にページング回数（paging count）及びカバレッジ向上レベル（CE level：Coverage Enhancement level）値を含むページングメッセージを転送するように構成され、前記CE level値は端末が最後に連結された基地局から受信したCE levelでありうる。
【００１０】
好ましくは、前記ページングメッセージは前記CE level値が適用されるセルのＥＣＧＩ（E-UTRAN Cell Global Identifier）を含むことができる。
【００１１】
好ましくは、前記CE levelはＳ１解除手続（S1 Release procedure）中にＳ１端末コンテクスト解除完了（S1 UE Context Release Complete）メッセージを通じて受信できる。
【００１２】
好ましくは、前記ページングメッセージに含まれたCE level値は全（全体）CE level値で最低値、平均（average）値、中間（medium）値、及び最高値のうちのいずれか一つで、前記ＭＭＥにより決定できる。
【００１３】
好ましくは、前記ページング回数に関わらず、前記ページングメッセージに含まれたCE level値は同一でありうる。
【００１４】
好ましくは、前記ページング回数が１の場合、前記ページングメッセージに含まれたCE level値は前記Ｓ１端末コンテクスト解除完了メッセージを通じて受信したCE levelであり、前記ページング回数が２以上の場合、前記ページングメッセージに含まれた前記CE level値は前記ページング回数によってランピングアップ（ramping-up）された値でありうる。
【００１５】
好ましくは、前記CE level値は前記Ｓ１端末コンテクスト解除完了メッセージを通じて前記CE levelを転送した基地局のみに転送できる。
【００１６】
好ましくは、前記ページング回数が１の場合、前記CE level値は全CE level値で最低値、平均（average）値、中間（medium）値、及び最高値のうち、前記ＭＭＥにより決定されたいずれか一つであり、前記ページング回数が２以上の場合、前記ページングメッセージに含まれたCE level値は前記ページング回数によってランピングアップ（ramping-up）された値でありうる。
【００１７】
好ましくは、前記CE level値は各基地局別に定まることができる。
【００１８】
好ましくは、前記ページング回数が１の場合、前記ページングメッセージは前記ページング回数及び前記CE level値を含み、前記ページング回数が２以上の場合、前記ページングメッセージは前記ページング回数を含み、前記CE level値を含まないことがある。
【発明の効果】
【００１９】
本発明の実施形態によれば、カバレッジ向上（Coverage enhancement）内の端末のページング受信効率を高めることができる。
【００２０】
また、本発明の実施形態によれば、カバレッジ向上（Coverage enhancement）内の端末に適合したカバレッジ向上レベル（Coverage enhancement level）を使用してページング（再）転送することによって、不要な無線資源消費を防止することができる。
【００２１】
また、本発明の実施形態によれば、カバレッジ向上（Coverage enhancement）内の端末に適合したカバレッジ向上レベル（Coverage enhancement level）を使用してページング（再）転送することによって、端末のデコーディング（Decoding）による非効率的な電力消費を防止することができる。
【００２２】
本発明で得ることができる効果は以上で言及した効果に制限されず、言及しない更に他の効果は以下の記載から本発明が属する技術分野で通常の知識を有する者に明確に理解されるべきである。
【図面の簡単な説明】
【００２３】
本発明に関する理解を助けるために詳細な説明の一部に含まれる添付図面は本発明に対する実施形態を提供し、詳細な説明と共に本発明の技術的特徴を説明する。
【図１】本発明が適用できるＥＰＳ（Evolved Packet System）を簡略に例示する図である。
【図２】本発明が適用できるＥ−ＵＴＲＡＮ（evolved universal terrestrial radio access network）のネットワーク構造の一例を示す。
【図３】本発明が適用できる無線通信システムにおけるＥ−ＵＴＲＡＮ及びＥＰＣの構造を例示する。
【図４】本発明が適用できる無線通信システムにおける端末とＥ−ＵＴＲＡＮとの間の無線インターフェースプロトコル（radio interface protocol）構造を示す。
【図５】本発明が適用できる無線通信システムにおけるＳ１インターフェースプロトコル構造を示す。
【図６】本発明が適用できる無線通信システムにおける物理チャンネルの構造を簡略に例示する図である。
【図７】本発明が適用できる無線通信システムにおけるＥＭＭ及びＥＣＭ状態を例示する図である。
【図８】本発明が適用できる無線通信システムにおけるベアラー構造を例示する。
【図９】本発明の適用できる無線通信システムにおけるＥＭＭ登録状態で制御プレーン（control plane）及びユーザプレーン（user plane）の転送経路を例示する図である。
【図１０】本発明が適用できる無線通信システムにおけるＥＣＭ連結確立手続を例示する図である。
【図１１】本発明が適用できる無線通信システムにおける競争基盤ランダムアクセス手続を説明するための図である。
【図１２】本発明が適用できる無線通信システムにおける端末トリガーサービス要求手続を例示する図である。
【図１３】本発明が適用できる無線通信システムにおけるネットワークトリガーサービス要求手続を例示する図である。
【図１４】本発明が適用できる無線通信システムにおけるページング手続を例示する図である。
【図１５】本発明が適用できる無線通信システムにおけるＳ１解除手続を例示する図である。
【図１６】本発明が適用できる無線通信システムにおけるカバレッジ向上（Coverage Enhancement）動作を例示する図である。
【図１７】本発明の一実施形態に係るＳ１解除手続を例示する図である。
【図１８】本発明の一実施形態に係るページング転送方法を例示する図である。
【図１９】本発明の一実施形態に係るページング転送方法を例示する図である。
【図２０】本発明の一実施形態に係るページング転送方法を例示する図である。
【図２１】本発明の一実施形態に係るページング転送方法を例示する図である。
【図２２】本発明の一実施形態に係るページング転送方法を例示する図である。
【図２３】本発明の一実施形態に係るページング転送方法を例示する図である。
【図２４】本発明の一実施形態に係る通信装置のブロック構成図を例示する。
【図２５】本発明の一実施形態に係る通信装置のブロック構成図を例示する。
【発明を実施するための形態】
【００２４】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２５】
いくつかの場合、本発明の概念が曖昧になることを避けるために、公知の構造及び装置は省略されるか、または各構造及び装置の核心機能を中心にしたブロック図形式で示されることができる。
【００２６】
本明細書において基地局は、端末と直接的に通信を行うネットワークの終端ノード（terminal node）としての意味を有する。本文書において基地局により行われると説明された特定動作は、場合によっては、基地局の上位ノード（upper node）により行われても良い。即ち、基地局を含む多数のネットワークノード（network nodes）からなるネットワークにおいて端末との通信のために行われる多様な動作は、基地局または基地局以外の他のネットワークノードにより行われうることは明らかである。「基地局（ＢＳ：Base Station）」は、固定局（fixed station）、ＮｏｄｅＢ、ｅＮＢ（evolved-NodeB）、ＢＴＳ（base transceiver system）、アクセスポイント（ＡＰ：Access Point）などの用語により代替されることができる。また、「端末（Terminal）」は、固定されるか、または移動性を有することができ、ＵＥ（User Equipment）、ＭＳ（Mobile Station）、ＵＴ（user terminal）、ＭＳＳ（Mobile subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に代替されることができる。
【００２７】
以下、ダウンリンク（ＤＬ：downlink）は、基地局から端末への通信を意味し、アップリンク（ＵＬ：uplink）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２８】
以下の説明において用いられる特定用語は、本発明の理解に役立つために提供されたものであり、このような特定用語の使用は、本発明の技術的思想から外れない範囲内で他の形態に変更されることができる。
【００２９】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような多様な無線接続システムに利用されることができる。ＣＤＭＡは、ＵＴＲＡ（universal terrestrial radio access）またはＣＤＭＡ２０００のような無線技術（radio technology）により具現化されることができる。ＴＤＭＡは、ＧＳＭ（global system for mobile communications）／ＧＰＲＳ（general packet radio service）／ＥＤＧＥ（enhanced data rates for GSM evolution）のような無線技術により具現化されることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などのような無線技術により具現化されることができる。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡを使用するＥ−ＵＭＴＳ（evolved UMTS）の一部であり、ダウンリンクにおいてＯＦＤＭＡを採用し、アップリンクにおいてＳＣ−ＦＤＭＡを採用する。ＬＴＥ−Ａ（advanced）は、３ＧＰＰ ＬＴＥの進化である。
【００３０】
本発明の実施の形態は、無線接続システムであるＩＥＥＥ ８０２、３ＧＰＰ及び３ＧＰＰ２のうち、少なくとも一つに開示された標準文書により裏付けられることができる。即ち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３１】
説明を明確にするために、３ＧＰＰ ＬＴＥ／ＬＴＥ−Ａを中心に述べるが、本発明の技術的特徴がこれに制限されることではない。
【００３２】
本文書で使用できる用語は、次の通り定義される。
−ＵＭＴＳ（Universal Mobile Telecommunications System）：３ＧＰＰにより開発された、ＧＳＭ（Global System for Mobile Communication）基盤の第３世代（Generation）移動通信技術
−ＥＰＳ（Evolved Packet System）：ＩＰ（Internet Protocol）基盤のパケット交換（packet switched）コアネットワークであるＥＰＣ（Evolved Packet Core）とＬＴＥ、ＵＴＲＡＮなどのアクセスネットワークで構成されたネットワークシステム。ＵＭＴＳが進化した形態のネットワークである。
−ＮｏｄｅＢ：ＵＭＴＳネットワークの基地局。屋外に設置し、カバレッジはマクロセル（macro cell）規模である。
−ｅＮｏｄｅＢ：ＥＰＳネットワークの基地局。屋外に設置し、カバレッジはマクロセル（macro cell）規模である。
−端末（User Equipment）：ユーザ機器。端末は、端末（terminal）、ＭＥ（Mobile Equipment）、ＭＳ（Mobile Station）などの用語として言及できる。また、端末はノートブック、携帯電話、ＰＤＡ（Personal Digital Assistant）、スマートフォン、マルチメディア機器などの携帯可能な機器、またはＰＣ（Personal Computer）、車両搭載装置などの携帯不可能な機器でありうる。ＭＴＣ関連内容で端末または端末という用語はＭＴＣ端末を称することができる。
−ＩＭＳ（IP Multimedia Subsystem）：マルチメディアサービスをＩＰ基盤に提供するサブシステム。
−ＩＭＳＩ（International Mobile Subscriber Identity）：移動通信ネットワークで国際的に固有に割り当てられるユーザ識別子。
−ＭＴＣ（Machine Type Communication）：人の介入無しでマシンにより遂行される通信。Ｍ２Ｍ（Machine to Machine）通信と称することもできる。
−ＭＴＣ端末（MTC UEまたはMTC deviceまたはＭＴＣ装置）：移動通信ネットワークを通じての通信機能を有し、ＭＴＣ機能を遂行する端末（例えば、自販機、検針器など）。
−ＭＴＣサーバー（MTC server）：ＭＴＣ端末を管理するネットワーク上のサーバー。移動通信ネットワークの内部または外部に存在することができる。ＭＴＣユーザがアクセス（接近）（access）できるインターフェースを有することができる。また、ＭＴＣサーバーは他のサーバーにＭＴＣ関連サービスを提供することもでき（ＳＣＳ（Services Capability Server）形態）、自身がＭＴＣアプリケーションサーバーでありうる。
−（ＭＴＣ）アプリケーション（application）：（ＭＴＣが適用される）サービス（例えば、遠隔検針、物量移動追跡、気象観測センサーなど）
−（ＭＴＣ）アプリケーションサーバー：（ＭＴＣ）アプリケーションが実行されるネットワーク上のサーバー
−ＭＴＣ特徴（MTC feature）：ＭＴＣアプリケーションをサポートするためのネットワークの機能。例えば、ＭＴＣモニタリング（monitoring）は遠隔検針などのＭＴＣアプリケーションで装備紛失などに備えるための特徴であり、低い移動性（low mobility）は自販機のようなＭＴＣ端末に対するＭＴＣアプリケーションのための特徴である。
−ＭＴＣ加入者（MTC subscriber）：ネットワークオペレータと接続関係を有しており、一つ以上のＭＴＣ端末にサービスを提供するエンティティ（entity）である。
−ＭＴＣグループ（MTC group）：少なくとも一つ以上のＭＴＣ特徴を共有し、ＭＴＣ加入者に属したＭＴＣ端末のグループを意味する。
−サービス力量サーバー（ＳＣＳ：Services Capability Server）：ＨＰＬＭＮ（Home PLMN）上のＭＴＣ−ＩＷＦ（MTC InterWorking Function）及びＭＴＣ端末と通信するためのエンティティであって、３ＧＰＰネットワークと接続されている。
−外部識別子（External Identifier）：３ＧＰＰネットワークの外部エンティティ（例えば、ＳＣＳまたはアプリケーションサーバー）がＭＴＣ端末（または、ＭＴＣ端末が属した加入者）を指す（または、識別する）ために使用する識別子（identifier）であって、全世界的に固有（globally unique）である。外部識別子は次のようにドメイン識別子（Domain Identifier）とローカル識別子（Local Identifier）とで構成される。
−ドメイン識別子（Domain Identifier）：移動通信ネットワーク事業者の制御下にあるドメインを識別するための識別子。一つの事業者は互いに異なるサービスへの接続を提供するためにサービス別にドメイン識別子を使用することができる。
−ローカル識別子（Local Identifier）：ＩＭＳＩ（International Mobile Subscriber Identity）を類推または獲得することに使われる識別子。ローカル識別子はアプリケーションドメイン内では固有（unique）でなければならず、移動通信ネットワーク事業者により管理される。
−ＲＡＮ（Radio Access Network）：３ＧＰＰネットワークにおけるＮｏｄｅＢ及びこれを制御するＲＮＣ（Radio Network Controller）、ｅＮｏｄｅＢを含む単位。端末の端に存在し、コアネットワークへの連結を提供する。
−ＨＬＲ（Home Location Register）／ＨＳＳ（Home Subscriber Server）：３ＧＰＰネットワーク内の加入者情報を有しているデータベース。ＨＳＳは設定格納（configuration storage）、識別子管理（identity management）、ユーザ状態格納などの機能を遂行することができる。
−ＲＡＮＡＰ（RNA Application Part）：ＲＡＮとコアネットワークの制御を担当するノード（即ち、ＭＭＥ（Mobility Management Entity）／ＳＧＳＮ（Serving GPRS（General Packet Radio Service）Supporting Node）／ＭＳＣ（Mobile Switching Center））との間のインターフェース。
−ＰＬＭＮ（Public Land Mobile Network）：個人に移動通信サービスを提供する目的で構成されたネットワーク。オペレータ別に区分されて構成できる。
−ＮＡＳ（Non-Access Stratum）：ＵＭＴＳ、ＥＰＳプロトコルスタックで端末とコアネットワークとの間のシグナリング、トラフィックメッセージをやり取りするための機能的な層。端末の移動性をサポートし、端末とＰＤＮ ＧＷとの間のＩＰ連結を樹立及び維持するセッション管理手続をサポートすることを主な機能とする。
【００３３】
以下、前記のように定義された用語に基づいて本発明に対して記述する。
【００３４】
本発明が適用できるシステム一般
図１は、本発明が適用できるＥＰＳ（Evolved Packet System）を簡略に例示する図である。
【００３５】
図１のネットワーク構造図は、ＥＰＣ（Evolved Packet Core）を含むＥＰＳ（Evolved Packet System）の構造を簡略に再構成したものである。
【００３６】
ＥＰＣ（Evolved Packet Core）は、３ＧＰＰ技術の性能を向上するためのＳＡＥ（System Architecture Evolution）の核心的な要素である。ＳＡＥは多様な種類のネットワーク間の移動性をサポートするネットワーク構造を決定する研究課題に該当する。ＳＡＥは、例えば、ＩＰ基盤に多様な無線接続技術をサポートし、より向上したデータ転送能力を提供するなどの最適化されたパケット−基盤システムを提供することを目標とする。
【００３７】
具体的に、ＥＰＣは３ＧＰＰ ＬＴＥシステムのためのＩＰ移動通信システムのコアネットワーク（Core Network）であり、パケット−基盤リアルタイム及びノンリアルタイムサービスをサポートすることができる。既存の移動通信システム（即ち、第２世代または第３世代の移動通信システム）では音声のためのＣＳ（Circuit-Switched）及びデータのためのＰＳ（Packet-Switched）の二つの区別されるサブドメインを通じてコアネットワークの機能が実現された。しかしながら、第３世代移動通信システムの進化である３ＧＰＰ ＬＴＥシステムでは、ＣＳ及びＰＳのサブドメインが一つのＩＰドメインに単一化された。即ち、３ＧＰＰ ＬＴＥシステムでは、ＩＰ能力（capability）を有する端末と端末との間の連結が、ＩＰ基盤の基地局（例えば、ｅＮｏｄｅＢ（evolved NodeB））、ＥＰＣ、アプリケーションドメイン（例えば、ＩＭＳ）を通じて構成できる。即ち、ＥＰＣは端対端（end-to-end）ＩＰサービス実現に必須な構造である。
【００３８】
ＥＰＣは多様な構成要素を含むことができ、図１ではそのうちの一部に該当する、ＳＧＷ（Serving Gateway）(または S-GW）、ＰＤＮ ＧＷ（Packet Data Network Gateway）(または PGW または P-GW）、ＭＭＥ（Mobility Management Entity）、ＳＧＳＮ（Serving GPRS（General Packet Radio Service）Supporting Node）、ｅＰＤＧ（enhanced Packet Data Gateway）を図示する。
【００３９】
ＳＧＷは無線接続ネットワーク（ＲＡＮ）とコアネットワークとの間の境界点として動作し、ｅＮｏｄｅＢとＰＤＮ ＧＷとの間のデータ経路を維持する機能をする要素である。また、端末がｅＮｏｄｅＢによりサービング（serving）される領域に亘って移動する場合、ＳＧＷはローカル移動性アンカーポイント（anchor point）の役割をする。即ち、Ｅ−ＵＴＲＡＮ（３ＧＰＰリリース（リリーズ）−８の以後で定義されるEvolved-UMTS （Universal Mobile Telecommunications System）Terrestrial Radio Access Network）内での移動性のためにＳＧＷを通じてパケットがルーティングできる。また、ＳＧＷは他の３ＧＰＰネットワーク（３ＧＰＰリリース−８の前に定義されるＲＡＮ、例えば、ＵＴＲＡＮまたはＧＥＲＡＮ（ＧＳＭ（Global System for Mobile Communication）／ＥＤＧＥ（Enhanced Data rates for Global Evolution）Radio Access Network）との移動性のためのアンカーポイントとして機能することもできる。
【００４０】
ＰＤＮ ＧＷはパケットデータネットワークに向かったデータインターフェースの終端点（termination point）に該当する。ＰＤＮ ＧＷはポリシー（政策）執行特徴（policy enforcement features）、パケットフィルタリング（packet filtering）、課金サポート（charging support）などをサポートすることができる。また、３ＧＰＰネットワークと非−３ＧＰＰ（non-3GPP）ネットワーク（例えば、Ｉ−ＷＬＡＮ（Interworking Wireless Local Area Network）のような信頼できないネットワーク、ＣＤＭＡ（Code Division Multiple Access）ネットワークやＷｉｍａｘのような信頼できるネットワーク）との移動性管理のためのアンカーポイントの役割をすることができる。
【００４１】
図１のネットワーク構造の例示では、ＳＧＷとＰＤＮ ＧＷが別途のゲートウェイで構成されることを示すが、二つのゲートウェイが単一ゲートウェイ構成オプション（Single Gateway Configuration Option）によって実現されることもできる。
【００４２】
ＭＭＥは、端末のネットワーク連結に対するアクセス、ネットワーク資源の割当、トラッキング（tracking）、ページング（paging）、ローミング（roaming）、及びハンドオーバーなどをサポートするためのシグナリング及び制御機能を遂行する要素である。ＭＭＥは加入者及びセッション管理に関連した制御プレーン（平面）機能を制御する。ＭＭＥは数多いｅＮｏｄｅＢを管理し、他の２Ｇ／３Ｇネットワークに対するハンドオーバーのための従来のゲートウェイの選択のためのシグナリングを遂行する。また、ＭＭＥはセキュリティ（保安）過程（Security Procedures）、端末対ネットワークセッションハンドリング（Terminal-to-network Session Handling）、遊休端末位置決定管理（Idle Terminal Location Management）などの機能を遂行する。
【００４３】
ＳＧＳＮは他の３ＧＰＰネットワーク（例えば、ＧＰＲＳネットワーク）に対するユーザの移動性管理及び認証（authentication）のような全てのパケットデータをハンドリングする。
【００４４】
ｅＰＤＧは信頼できない非３ＧＰＰネットワーク（例えば、Ｉ−ＷＬＡＮ、ＷｉＦｉホットスポット（hotspot）など）に対するセキュリティノードとしての役割をする。
【００４５】
図１を参照して説明したように、ＩＰ能力を有する端末は、３ＧＰＰアクセスは勿論、非３ＧＰＰアクセス基盤でもＥＰＣ内の多様な要素を経由して事業者（即ち、オペレータ（operator））が提供するＩＰサービスネットワーク（例えば、ＩＭＳ）にアクセスすることができる。
【００４６】
また、図１では多様なレファレンスポイント（例えば、Ｓ１−Ｕ、Ｓ１−ＭＭＥなど）を図示する。３ＧＰＰシステムではＥ−ＵＴＲＡＮ及びＥＰＣの相異なる機能個体（functional entity）に存在する二つの機能を連結する概念的なリンクをレファレンスポイント（reference point）と定義する。次の＜表１＞は図１に図示されたレファレンスポイントを整理したものである。＜表１＞の例示の他にもネットワーク構造によって多様なレファレンスポイント（reference point）が存在できる。
【００４７】
【表１】
2018505595.tif 000003
【００４８】
図１に図示されたレファレンスポイントのうち、Ｓ２ａ及びＳ２ｂは非３ＧＰＰインターフェースに該当する。Ｓ２ａは信頼できる非３ＧＰＰアクセス及びＰＤＮ ＧＷ間の関連制御及び移動性資源をユーザプレーンに提供するレファレンスポイントである。Ｓ２ｂはｅＰＤＧ及びＰＤＮ ＧＷ間の関連制御及び移動性サポートをユーザプレーンに提供するレファレンスポイントである。
【００４９】
図２は、本発明が適用できるＥ−ＵＴＲＡＮ（evolved universal terrestrial radio access network）のネットワーク構造の一例を示す。
【００５０】
Ｅ−ＵＴＲＡＮシステムは既存のＵＴＲＡＮシステムから進化したシステムであって、例えば、３ＧＰＰ ＬＴＥ／ＬＴＥ−Ａシステムでありうる。通信ネットワークはＩＭＳ及びパケットデータを通じて音声（voice）（例えば、ＶｏＩＰ（Voice over Internet Protocol））のような多様な通信サービスを提供するために広範囲に配置される。
【００５１】
図２を参照すると、Ｅ−ＵＭＴＳネットワークは、Ｅ−ＵＴＲＡＮ、ＥＰＣ、及び一つ以上のＵＥを含む。Ｅ−ＵＴＲＡＮは端末に制御プレーン（control plane）とユーザプレーン（user plane）プロトコルを提供するｅＮＢで構成され、ｅＮＢはＸ２インターフェースを介して連結される。
【００５２】
Ｘ２ユーザプレーンインターフェース（Ｘ２−Ｕ）は、ｅＮＢの間に定義される。Ｘ２−Ｕインターフェースは、ユーザプレーンＰＤＵ（packet data unit）の保証されない伝達（non guaranteed delivery）を提供する。Ｘ２制御プレーンインターフェース（Ｘ２−ＣＰ）は、二つの隣り合うｅＮＢの間に定義される。Ｘ２−ＣＰは、ｅＮＢの間のコンテクスト（context）伝達、ソースｅＮＢとターゲットｅＮＢとの間のユーザプレーントンネルの制御、ハンドオーバー関連メッセージの伝達、アップリンク負荷管理などの機能を遂行する。
【００５３】
ｅＮＢは無線インターフェースを介して端末と連結され、Ｓ１インターフェースを介してＥＰＣ（evolved packet core）に連結される。
【００５４】
Ｓ１ユーザプレーンインターフェース（Ｓ１−Ｕ）は、ｅＮＢとサービングゲートウェイ（Ｓ−ＧＷ：serving gateway）の間に定義される。Ｓ１制御プレーンインターフェース（Ｓ１−ＭＭＥ）は、ｅＮＢと移動性管理個体（ＭＭＥ：mobility management entity）の間に定義される。Ｓ１インターフェースは、ＥＰＳ（evolved packet system）ベアラーサービス管理機能、ＮＡＳ（non-access stratum）シグナリングトランスポート機能、ネットワークシェアリング、ＭＭＥ負荷バランシング機能などを遂行する。Ｓ１インターフェースは、ｅＮＢとＭＭＥ／Ｓ−ＧＷの間に多対多関係（many-to-many-relation）をサポートする。
【００５５】
ＭＭＥは、ＮＡＳシグナリングセキュリティ（security）、ＡＳ（Access Stratum）セキュリティ（security）制御、３ＧＰＰアクセスネットワーク間の移動性をサポートするためのＣＮ（Core Network）ノード間（Inter-CN）シグナリング、（ページング再転送の遂行及び制御を含んで）アイドル（IDLE）モードＵＥ到達可能性（接近性）（reachability）、（アイドル及びアクティブモード端末のための）トラッキング領域識別子（ＴＡＩ：Tracking Area Identity）管理、ＰＤＮ ＧＷ及びＳＧＷ選択、ＭＭＥが変更されるハンドオーバーのためのＭＭＥ選択、２Ｇまたは３Ｇ ３ＧＰＰアクセスネットワークへのハンドオーバーのためのＳＧＳＮ選択、ローミング（roaming）、認証（authentication）、専用ベアラー確立（dedicated bearer establishment）を含むベアラー管理機能、公共警告システム（ＰＷＳ：Public Warning System）（地震及び津波警告システム（ＥＴＷＳ：Earthquake and Tsunami Warning System）及び商用モバイル警告システム（ＣＭＡＳ：Commercial Mobile Alert System）含み）メッセージ転送のサポートなどの多様な機能を遂行することができる。
【００５６】
図３は、本発明が適用できる無線通信システムにおけるＥ−ＵＴＲＡＮ及びＥＰＣの構造を例示する。
【００５７】
図３を参照すると、ｅＮＢはゲートウェイ（例えば、ＭＭＥ）の選択、無線資源制御（ＲＲＣ：radio resource control）活性（activation）の間ゲートウェイへのルーティング、放送チャンネル（ＢＣＨ：broadcast channel）のスケジューリング及び転送、アップリンク及びダウンリンクでＵＥに動的資源割当、そしてLTE_ACTIVE状態で移動性制御連結の機能を遂行することができる。前述したように、ＥＰＣ内でゲートウェイはページング開始（orgination）、LTE_IDLE状態管理、ユーザプレーン（user plane）の暗号化（ciphering）、システム構造進化（ＳＡＥ：System Architecture Evolution）ベアラー制御、そしてＮＡＳシグナリングの暗号化（ciphering）及び完全性（無欠性）（intergrity）保護の機能を遂行することができる。
【００５８】
図４は、本発明が適用できる無線通信システムにおける端末とＥ−ＵＴＲＡＮとの間の無線インターフェースプロトコル（radio interface protocol）構造を示す。
【００５９】
図４の（ａ）は制御プレーン（control plane）に対する無線プロトコル構造を示し、図４の（ｂ）はユーザプレーン（user plane）に対する無線プロトコル構造を示す。
【００６０】
図４を参照すると、端末とＥ−ＵＴＲＡＮとの間の無線インターフェースプロトコルの階層は、通信システムの技術分野に公知された広く知られた開放型システム間の相互接続（ＯＳＩ：open system interconnection）標準モデルの下位３層に基づいて第１層（Ｌ１）、第２層（Ｌ２）、及び第３層（Ｌ３）に分割できる。端末とＥ−ＵＴＲＡＮとの間の無線インターフェースプロトコルは、水平的に物理層（physical layer）、データリンク層（data link layer）、及びネットワーク層（network layer）からなり、垂直的にはデータ情報転送のためのプロトコルスタック（protocol stack）ユーザプレーン（user plane）と制御信号（signaling）の伝達のためのプロトコルスタックである制御プレーン（control plane）とに区分される。 
【００６１】
制御プレーンは、端末とネットワークが呼を管理するために用いる制御メッセージが転送される通路を意味する。ユーザプレーンはアプリケーション層で生成されたデータ、例えば、音声データまたはインターネットパケットデータなどが転送される通路を意味する。以下、無線プロトコルの制御プレーンとユーザプレーンの各層を説明する。
【００６２】
第１層（Ｌ１）である物理層（ＰＨＹ：physical layer）は、物理チャンネル（physical channel）を使用することによって、上位層への情報送信サービス（information transfer service）を提供する。物理層は上位レベルに位置した媒体アクセス（接続）制御（ＭＡＣ：medium access control）層に転送チャンネル（transport channel）を介して連結され、転送チャンネルを介してＭＡＣ層と物理層との間でデータが転送される。転送チャンネルは無線インターフェースを介してデータがどのように、どんな特徴で転送されるかによって分類される。そして、互いに異なる物理層間、送信端の物理層と受信端の物理層との間には物理チャンネル（physical channel）を介してデータが転送される。物理層は、ＯＦＤＭ（orthogonal frequency division multiplexing）方式により変調され、時間と周波数を無線資源として活用する。
【００６３】
物理層で使われるいくつかの物理制御チャンネルがある。物理ダウンリンク制御チャンネル（ＰＤＣＣＨ：physical downlink control channel）は、端末にページングチャンネル（ＰＣＨ：paging channel）とダウンリンク共有チャンネル（ＤＬ−ＳＣＨ：downlink shared channel）の資源割当、及びアップリンク共有チャンネル（ＵＬ−ＳＣＨ：uplink shared channel）と関連したＨＡＲＱ（hybrid automatic repeat request）情報を知らせる。また、ＰＤＣＣＨは端末にアップリンク転送の資源割当を知らせるアップリンク承認（ＵＬ ｇｒａｎｔ）を運ぶことができる。物理制御フォーマット指示子チャンネル（ＰＤＦＩＣＨ：physical control format indicator channel）は、端末にＰＤＣＣＨに使われるＯＦＤＭシンボルの数を知らせて、サブフレーム毎に転送される。物理ＨＡＲＱ指示子チャンネル（ＰＨＩＣＨ：physical HARQ indicator channel）は、アップリンク転送の応答としてＨＡＲＱ ＡＣＫ（acknowledge）／ＮＡＣＫ（non-acknowledge）信号を運ぶ。物理アップリンク制御チャンネル（ＰＵＣＣＨ：physical uplink control channel）は、ダウンリンク転送に対するＨＡＲＱ ＡＣＫ／ＮＡＣＫ、スケジューリング要求（要請）、及びチャンネル品質指示子（ＣＱＩ：channel quality indicator）などのアップリンク制御情報を運ぶ。物理アップリンク共有チャンネル（ＰＵＳＣＨ：physical uplink shared channel）は、ＵＬ−ＳＣＨを運ぶ。
【００６４】
第２層（Ｌ２）のＭＡＣ層は、論理チャンネル（logical channel）を介して上位層である無線リンク制御（ＲＬＣ：radio link control）層にサービスを提供する。また、ＭＡＣ層は論理チャンネルと転送チャンネルとの間のマッピング及び論理チャンネルに属するＭＡＣサービスデータユニット（ＳＤＵ：service data unit）の転送チャンネル上に物理チャンネルに提供される転送ブロック（transport block）への多重化／逆多重化機能を含む。
【００６５】
第２層（Ｌ２）のＲＬＣ層は信頼性あるデータ転送をサポートする。ＲＬＣ層の機能は、ＲＬＣ ＳＤＵの連結（concatenation）、分割（segmentation）、及び再結合（reassembly）を含む。無線ベアラー（ＲＢ：radio bearer）が要求する多様なＱｏＳ（quality of service）を保証するために、ＲＬＣ層は透過モード（ＴＭ：transparent mode）、非確認モード（ＵＭ：unacknowledged mode）、及び確認モード（ＡＭ：acknowledge mode）の３種類の動作モードを提供する。ＡＭ ＲＬＣはＡＲＱ（automatic repeat request）を通じて誤り訂正を提供する。一方、ＭＡＣ層がＲＬＣ機能を遂行する場合、ＲＬＣ層はＭＡＣ層の機能ブロックに含まれることができる。
【００６６】
第２層（Ｌ２）のパケットデータコンバージェンスプロトコル（ＰＤＣＰ：packet data convergence protocol）層は、ユーザプレーンでユーザデータの伝達、ヘッダ圧縮（header compression）、及び暗号化（ciphering）機能を遂行する。ヘッダ圧縮機能は、小さい帯域幅を有する無線インターフェースを介してＩＰｖ４（internet protocol version ４）またはＩＰｖ６（internet protocol version 6）のようなインターネットプロトコル（ＩＰ：internet protocol）パケットが効率よく転送されるようにするために、相対的にサイズが大きく、不要な制御情報を含んでいるＩＰパケットヘッダサイズを縮める機能を意味する。制御プレーンでのＰＤＣＰ層の機能は、制御プレーンデータの伝達及び暗号化／完全性保護（integrity protection）を含む。
【００６７】
第３層（Ｌ３）の最下位部分に位置した無線資源制御（ＲＲＣ：radio resource control）層は、制御プレーンのみに定義される。ＲＲＣ層は、端末とネットワークとの間の無線資源を制御する役割を遂行する。このために、端末とネットワークはＲＲＣ層を通じてＲＲＣメッセージを互いに交換する。ＲＲＣ層は、無線ベアラーの設定（configuration）、再設定（re-configuration）、及び解除（release）と関連して、論理チャンネル、転送チャンネル、及び物理チャンネルを制御する。無線ベアラーは、端末とネットワークとの間のデータ転送のために第２層（Ｌ２）により提供される論理的な経路を意味する。無線ベアラーが設定されるということは、特定サービスを提供するために無線プロトコル層及びチャンネルの特性を規定し、各々の具体的なパラメータ及び動作方法を設定することを意味する。また、無線ベアラーはシグナリング無線ベアラー（ＳＲＢ：signaling RB）とデータ無線ベアラー（ＤＲＢ：data RB）の二つに分けられる。ＳＲＢは制御プレーンでＲＲＣメッセージを転送する通路に使われて、ＤＲＢはユーザプレーンでユーザデータを転送する通路に使われる。
【００６８】
ＲＲＣ層の上位に位置するＮＡＳ（non-access stratum）層は、セッション管理（session management）と移動性管理（mobility management）などの機能を遂行する。
【００６９】
基地局を構成する一つのセルは、１．２５、２．５、５、１０、２０Ｍｈｚなどの帯域幅のうちの一つに設定されて、多数の端末にダウンリンクまたはアップリンク転送サービスを提供する。互いに異なるセルは互いに異なる帯域幅を提供するように設定できる。
【００７０】
ネットワークから端末にデータを転送するダウンリンク転送チャンネル（downlink transport channel）には、システム情報を転送する放送チャンネル（ＢＣＨ：broadcast channel）、ページングメッセージを転送するＰＣＨ、ユーザトラフィックや制御メッセージを転送するＤＬ−ＳＣＨなどがある。ダウンリンクマルチキャストまたは放送サービスのトラフィックまたは制御メッセージの場合、ＤＬ−ＳＣＨを介して転送されることもでき、または別途のダウンリンクマルチキャストチャンネル（ＭＣＨ：multicast channel）を介して転送されることもできる。一方、端末からネットワークにデータを転送するアップリンク転送チャンネル（uplink transport channel）には、初期制御メッセージを転送するランダムアクセスチャンネル（ＲＡＣＨ：random access channel）、ユーザトラフィックや制御メッセージを転送するＵＬ−ＳＣＨ（uplink shared channel）がある。
【００７１】
論理チャンネル（logical channel）は転送チャンネルの上位にあり、転送チャンネルにマッピングされる。論理チャンネルは、制御領域情報の伝達のための制御チャンネルとユーザ領域情報の伝達のためのトラフィックチャンネルとに区分できる。制御チャンネルには、放送制御チャンネル（ＢＣＣＨ：broadcast control channel）、ページング制御チャンネル（ＰＣＣＨ：paging control channel）、共通制御チャンネル（ＣＣＣＨ：common control channel）、専用制御チャンネル（ＤＣＣＨ：dedicated control channel）、マルチキャスト制御チャンネル（ＭＣＣＨ：multicast control channel）などがある。トラフィックチャンネルには、専用トラフィックチャンネル（ＤＴＣＨ：dedicated traffic channel）、マルチキャストトラフィックチャンネル（ＭＴＣＨ：multicast traffic channel）などがある。ＰＣＣＨはページング情報を伝達するダウンリンクチャンネルであり、ネットワークがＵＥが属したセルを知らない時に使われる。ＣＣＣＨは、ネットワークとのＲＲＣ連結を有しないＵＥにより使われる。ＭＣＣＨネットワークからＵＥへのＭＢＭＳ（Multimedia Broadcast and Multicast Service）制御情報を伝達するために使われる一対多（point-to-multipoint）ダウンリンクチャンネルである。ＤＣＣＨは、ＵＥとネットワークとの間に専用制御情報を伝達するＲＲＣ連結を有する端末により使われる一対一（point-to-point）両方向（bi-directional）チャンネルである。ＤＴＣＨは、アップリンク及びダウンリンクで存在することができるユーザ情報を伝達するために一つの端末に専用される一対一（point-to-point）チャンネルである。ＭＴＣＨは、ネットワークからＵＥへのトラフィックデータを伝達するための一対多（point-to-multipoint）ダウンリンクチャンネルである。
【００７２】
論理チャンネル（logical channel）と転送チャンネル（transport channel）との間のアップリンク連結の場合、ＤＣＣＨはＵＬ−ＳＣＨとマッピングでき、ＤＴＣＨはＵＬ−ＳＣＨとマッピングでき、ＣＣＣＨはＵＬ−ＳＣＨとマッピングできる。論理チャンネル（logical channel）と転送チャンネル（transport channel）との間のダウンリンク連結の場合、ＢＣＣＨはＢＣＨまたはＤＬ−ＳＣＨとマッピングでき、ＰＣＣＨはＰＣＨとマッピングでき、ＤＣＣＨはＤＬ−ＳＣＨとマッピングでき、ＤＴＣＨはＤＬ−ＳＣＨとマッピングでき、ＭＣＣＨはＭＣＨとマッピングでき、ＭＴＣＨはＭＣＨとマッピングできる。
【００７３】
図５は、本発明が適用できる無線通信システムにおけるＳ１インターフェースプロトコル構造を示す。
【００７４】
図５（ａ）はＳ１インターフェースで制御プレーン（control plane）プロトコルスタックを例示し、図５（ｂ）はＳ１インターフェースでユーザプレーン（user plane）インターフェースプロトコル構造を示す。
【００７５】
図５を参照すると、Ｓ１制御プレーンインターフェース（Ｓ１−ＭＭＥ）は基地局とＭＭＥとの間に定義される。ユーザプレーンと類似するように、転送ネットワーク層（transport network layer）はＩＰ転送に基づく。但し、メッセージシグナリングの信頼性がある転送のためにＩＰ層の上位にＳＣＴＰ（Stream Control Transmission Protocol）層が追加される。アプリケーション層（application layer）シグナリングプロトコルは、Ｓ１−ＡＰ（S1 application protocol）と称される。
【００７６】
ＳＣＴＰ層は、アプリケーション層メッセージの保証された（guaranteed）伝達を提供する。
【００７７】
プロトコルデータユニット（ＰＤＵ：Protocol Data Unit）シグナリング転送のために、転送ＩＰ層で点対点（point-to-point）転送が使われる。
【００７８】
Ｓ１−ＭＭＥインターフェースインスタンス（instance）別に単一のＳＣＴＰ連係（association）はＳ−ＭＭＥ共通手続のための一対のストリーム識別子（stream identifier）を使用する。ストリーム識別子の一部の対のみがＳ１−ＭＭＥ専用手続のために使われる。ＭＭＥ通信コンテクスト識別子はＳ１−ＭＭＥ専用手続のためのＭＭＥにより割り当てられ、ｅＮＢ通信コンテクスト識別子はＳ１−ＭＭＥ専用手続のためのｅＮＢにより割り当てられる。ＭＭＥ通信コンテクスト識別子及びｅＮＢ通信コンテクスト識別子は端末特定のＳ１−ＭＭＥシグナリング転送ベアラーを区別するために使われる。通信コンテクスト識別子は、各々Ｓ１−ＡＰ担がれるが内で伝達される。
【００７９】
Ｓ１シグナリング転送層がＳ１ＡＰ層にシグナリング連結が断絶されたと通知した場合、ＭＭＥは該当シグナリング連結を使用していた端末の状態をEMC-IDLE状態に変更する。そして、ｅＮＢは該当端末のＲＲＣ連結を解除する。
【００８０】
Ｓ１ユーザプレーンインターフェース（Ｓ１−Ｕ）は、ｅＮＢとＳ−ＧＷとの間に定義される。Ｓ１−ＵインターフェースはｅＮＢとＳ−ＧＷとの間にユーザプレーンＰＤＵの保証されていない（non guaranteed）伝達を提供する。転送ネットワーク層はＩＰ転送に基づき、ｅＮＢとＳ−ＧＷとの間のユーザプレーンＰＤＵを伝達するためにＵＤＰ／ＩＰ層の上位にＧＴＰ−Ｕ（GPRS Tunneling Protocol User Plane）層が用いられる。
【００８１】
図６は、本発明が適用できる無線通信システムにおける物理チャンネルの構造を 簡略に例示する図である。
【００８２】
図６を参照すると、物理チャンネルは周波数領域（frequency domain）で一つ以上のサブキャリアと時間領域（time domain）で一つ以上のシンボルで構成される無線資源を通じてシグナリング及びデータを伝達する。 
【００８３】
１．０ｍｓ長さを有する一つのサブフレームは複数のシンボルで構成される。サブフレームの特定シンボル（例えば、 サブフレームの最初のシンボル）はＰＤＣＣＨのために使用できる。ＰＤＣＣＨは動的に割り当てられる資源に対する情報（例えば、資源ブロック（Resource Block）、変調及びコーディング方式（ＭＣＳ： Modulation and Coding Scheme）など）を運ぶ。
【００８４】
ＥＭＭ及びＥＣＭ状態
ＥＭＭ（EPS mobility management）、ＥＣＭ（EPS connection management）状態に対して説明する。
【００８５】
図７は、本発明が適用できる無線通信システムにおけるＥＭＭ及びＥＣＭ状態を例示する図である。
【００８６】
図７を参照すると、端末とＭＭＥの制御プレーンに位置したＮＡＳ層で端末の移動性を管理するために端末がネットワークにアタッチ（attach）されたか、デタッチ（detach）されたかによってＥＭＭ登録状態（EMM-REGISTERED）及びＥＭＭ登録解除状態（EMM-DEREGISTERED）が定義できる。EMM-REGISTERED状態及びEMM-DEREGISTERED状態は端末とＭＭＥに適用できる。
【００８７】
端末の電源を最初に入れた場合のように、初期の端末はEMM-DEREGISTERED状態におり、この端末がネットワークに接続するために初期接続（initial attach）手続を通じて該当ネットワークに登録する過程を遂行する。接続手続が正常（成功的）に遂行されれば、端末及びＭＭＥはEMM-REGISTERED状態に遷移（transition）される。また、端末の電源が切れるか、または無線リンク失敗の場合（無線リンク上でパケットエラー率が基準値を超えた場合）、端末はネットワークでデタッチ（detach）されてEMM-DEREGISTERED状態に遷移される。
【００８８】
また、端末とネットワークとの間のシグナリング連結（signaling connection）を管理するために、ＥＣＭ連結状態（ECM-CONNECTED）及びＥＣＭアイドル状態（ECM-IDLE）が定義できる。ECM-CONNECTED状態及びECM-IDLE状態も端末とＭＭＥに適用できる。ＥＣＭ連結は、端末と基地局との間に設定されるＲＲＣ連結と基地局とＭＭＥとの間に設定されるＳ１シグナリング連結により構成される。即ち、ＥＣＭ連結が設定／解除されたということはＲＲＣ連結とＳ１シグナリング連結が全て設定／解除されたということを意味する。
【００８９】
ＲＲＣ状態は、端末のＲＲＣ層と基地局のＲＲＣ層とが論理的に連結（connection）されているか否かを示す。即ち、端末のＲＲＣ層と基地局のＲＲＣ層とが連結されている場合、端末はＲＲＣ連結状態（RRC_CONNECTED）にいるようになる。端末のＲＲＣ層と基地局のＲＲＣ層とが連結されていない場合、端末はＲＲＣアイドル状態（RRC_IDLE）にあるようになる。
【００９０】
ネットワークは、ECM-CONNECTED状態にある端末の存在をセル単位で把握することができ、端末を効果的に制御することができる。
【００９１】
一方、ネットワークはECM-IDLE状態にある端末の存在を把握できず、コアネットワーク（ＣＮ：core network）がセルより大きい地域単位であるトラッキング領域（tracking area）単位で管理する。端末がＥＣＭアイドル状態にある時には端末はトラッキング領域で唯一に割り当てられたＩＤを用いてＮＡＳにより設定された不連続受信（ＤＲＸ：Discontinuous Reception）を遂行する。即ち、端末は端末特定ページングＤＲＸサイクル毎に特定ページング時点（paging occasion）にページング信号をモニタリングすることによって、システム情報及びページング情報のブロードキャストを受信することができる。
【００９２】
また、端末がECM-IDLE状態にある時にはネットワークは端末のコンテクスト（context）情報を有していない。したがって、ECM-IDLE状態の端末はネットワークの命令を受ける必要無く、セル選択（cell selection）またはセル再選択（cell reselection）のような端末基盤の移動性関連手続を遂行することができる。ＥＣＭアイドル状態で端末の位置がネットワークが知っている位置と変わる場合、端末はトラッキング領域アップデート（ＴＡＵ：tracking area update）手続を通じてネットワークに該当端末の位置を知らせることができる。
【００９３】
一方、端末がECM-CONNECTED状態にある時には端末の移動性はネットワークの命令により管理される。ECM-CONNECTED状態でネットワークは端末が属したセルを知る。したがって、ネットワークは端末に、または端末からデータを転送及び／又は受信し、端末のハンドオーバーのような移動性を制御し、周辺セルに対するセル測定を遂行することができる。
【００９４】
前記のように、端末が音声やデータのような通常の移動通信サービスを受けるためにはECM-CONNECTED状態に遷移しなければならない。端末の電源を最初に入れた場合のように、初期の端末はＥＭＭ状態と同様に、ECM-IDLE状態におり、端末が初期接続（initial attach）手続を通じて該当ネットワークに正常に登録するようになれば、端末及びＭＭＥはＥＣＭ連結状態に遷移（transition）される。また、端末がネットワークに登録されているが、トラフィックが不活性化されて無線資源が割り当てられていない場合、端末はECM-IDLE状態におり、該当端末にアップリンクあるいはダウンリンクの新たなトラフィックが発生すれば、サービス要求（service request）手続を通じて端末及びＭＭＥはECM-CONNECTED状態に遷移（transition）される。
【００９５】
ＥＰＳベアラー (bearer)
図８は、本発明が適用できる無線通信システムにおけるベアラー構造を例示する。
【００９６】
端末がパケットデータネットワーク（ＰＤＮ：Packet Date Network）（図６でピアエンティティ（peer entity））に連結される時、ＰＤＮ連結（PDN connection）が生成され、PDN connectionはＥＰＳセッション（session）とも呼ばれることができる。ＰＤＮは、事業者の外部または内部ＩＰ（internet protocol）網にインターネットやＩＭＳ（IP Multimedia Subsystem）のようなサービス機能を提供する。
【００９７】
EPS sessionは一つ以上のＥＰＳベアラー（bearer）を有する。EPS bearerはＥＰＳでユーザトラフィックを伝達するために端末とＰＤＮ ＧＷとの間に生成されるトラフィックの転送経路（transmission path）である。EPS bearerは端末当たり一つ以上設定できる。
【００９８】
各EPS bearerはＥ−ＵＴＲＡＮ無線アクセスベアラー（Ｅ−ＲＡＢ：E-UTRAN Radio Access Bearer）及びＳ５／Ｓ８ bearerに分かれることができ、Ｅ−ＲＡＢは無線ベアラー（ＲＢ：radio bearer）、Ｓ１ bearerに分かれることができる。即ち、一つのEPS bearerは各々一つのＲＢ、Ｓ１ bearer、Ｓ５／Ｓ８ bearerに対応する。
【００９９】
Ｅ−ＲＡＢは、端末とＥＰＣとの間にEPS bearerのパケットを伝達する。Ｅ−ＲＡＢが存在すれば、E-RAB bearerとEPS bearerは一対一にマッピングされる。データ無線ベアラー（ＤＲＢ：data radio bearer）は端末とｅＮＢとの間にEPS bearerのパケットを伝達する。ＤＲＢが存在すれば、ＤＲＢとEPS bearer／Ｅ−ＲＡＢは一対一にマッピングされる。Ｓ１ bearerはｅＮＢとＳ−ＧＷとの間にEPS bearerのパケットを伝達する。Ｓ５／Ｓ８ bearerはＳ−ＧＷとＰ−ＧＷとの間にEPS bearerパケットを伝達する。
【０１００】
端末はアップリンク方向のEPS bearerにサービスデータフロー（ＳＤＦ：service data flow）をバインディング（binding）する。ＳＤＦはユーザトラフィックをサービス別に分類（または、フィルタリング）したＩＰフロー（flow）またはIP flowの集合である。複数のＳＤＦは複数のアップリンクパケットフィルタを含むことによって、同一なEPS bearerに多重化できる。端末はアップリンクでＳＤＦとＤＲＢとの間をバインディングするためにアップリンクパケットフィルタとＤＲＢとの間のマッピング情報を格納する。
【０１０１】
Ｐ−ＧＷはダウンリンク方向のEPS bearerにＳＤＦをバインディングする。複数のＳＤＦは複数のダウンリンクパケットフィルタを含むことによって、同一なEPS bearerに多重化できる。Ｐ−ＧＷはダウンリンクでＳＤＦとＳ５／Ｓ８ bearerとの間をバインディングするためにダウンリンクパケットフィルタとＳ５／Ｓ８ bearerとの間のマッピング情報を格納する。
【０１０２】
ｅＮＢは、アップ／ダウンリンクでＤＲＢとＳ１ bearerとの間をバインディングするためにＤＲＢとＳ１ bearerとの間の一対一マッピングを格納する。Ｓ−ＧＷはアップ／ダウンリンクでＳ１ bearerとＳ５／Ｓ８ bearerとの間をバインディングするためにＳ１ bearerとＳ５／Ｓ８ bearerとの間の一対一マッピング情報を格納する。
【０１０３】
EPS bearerは基本ベアラー（default bearer）と専用ベアラー（dedicated bearer）の２種類に区分される。端末は、ＰＤＮ当たり一つのdefault bearerと一つ以上のdedicated bearerを有することができる。一つのＰＤＮに対してＥＰＳセッションが有する最小限の基本ベアラーをdefault bearerという。
【０１０４】
EPS bearerは識別子（identity）に基づいて区分できる。EPS bearer identityは端末またはＭＭＥにより割り当てられる。dedicated bearer(s)はＬＢＩ（Linked EPS Bearer Identity）によりdefault bearerと結合される。
【０１０５】
端末は初期アタッチ手続（initial attach procedure）を通じてネットワークに初期接続すれば、ＩＰアドレスの割当を受けてPDN connectionが生成され、ＥＰＳ区間でdefault bearerが生成される。default bearerは端末と該当ＰＤＮとの間のトラフィックがない場合にも端末がＰＤＮ連結を終了しない限り、解除されずに維持され、該当ＰＤＮ連結を終了する時、default bearerも解除される。ここで、端末とdefault bearerを構成する全ての区間のベアラーが活性化されるものではなく、ＰＤＮと直接連結されているＳ５ bearerは維持され、無線資源と関連があるＥ−ＲＡＢ bearer（即ち、DRB and S1 bearer）は解除される。そして、該当ＰＤＮで新たなトラフィックが発生すれば、Ｅ−ＲＡＢ bearerが再設定されてトラフィックを伝達する。
【０１０６】
端末がdefault bearerを通じてサービス（例えば、インターネットなど）を用いる中に、default bearerだけでＱｏＳ（Quality of Service）の提供を受けることに充分でないサービス（例えば、ＶｏＤ（Video on Demand）など）を用いるようになれば、端末で要求する時（on-demandで）dedicated bearerが生成される。端末のトラフィックがない場合、dedicated bearerは解除される。端末やネットワークは必要によって複数のdedicated bearerを生成することができる。
【０１０７】
端末が如何なるサービスを用いるかによってIP flowは異なるＱｏＳ特性を有することができる。ネットワークは端末のためのEPS sessionを確立／変更（establish／modification）する時、ネットワーク資源の割当乃至ＱｏＳに対する制御ポリシーを決定してEPS sessionが維持される間、これを適用する。これをＰＣＣ（Policy and Charging Control）という。ＰＣＣ規則（PCC rule）はオペレータポリシー（例えば、ＱｏＳポリシー、ゲート状態（gate status）、課金方法など）に基づいて決定される。
【０１０８】
ＰＣＣ規則はＳＤＦ単位で決定される。即ち、端末が用いるサービスによってIP flowは異なるＱｏＳ特性を有することができ、同一なＱｏＳを有するIP flowは同一なＳＤＦでマッピングされ、ＳＤＦはＰＣＣ規則を適用する単位となる。
【０１０９】
このようなＰＣＣ機能を遂行する主要エンティティにＰＣＲＦ（Policy and Charging Control Function）とＰＣＥＦ（Policy and Charging Enforcement Function）がこれに該当できる。
【０１１０】
ＰＣＲＦはEPS sessionを生成または変更する時、ＳＤＦ別にＰＣＣ規則を決定してＰ−ＧＷ（または、ＰＣＥＦ）に提供する。Ｐ−ＧＷは該当ＳＤＦに対してＰＣＣ規則を設定した後、送信／受信されるＩＰパケット毎にＳＤＦを検出して該当ＳＤＦに対するＰＣＣ規則を適用する。ＳＤＦがＥＰＳを経て端末に転送される時、Ｐ−ＧＷに格納されているＱｏＳ規則によって適合したＱｏＳを提供することができるEPS bearerでマッピングされる。
【０１１１】
ＰＣＣ規則は動的ＰＣＣ規則（dynamic PCC rule）と予め定義されたＰＣＣ規則（pre-defined PCC rule）とに区分される。動的ＰＣＣ規則は、EPS session確立／変更（establish／modification）時、ＰＣＲＦからＰ−ＧＷに動的に提供される。一方、予め定義されたＰＣＣ規則はＰ−ＧＷに予め設定されているのでＰＣＲＦにより活性化／不活性化される。
【０１１２】
ＥＰＳベアラーは基本ＱｏＳパラメータにＱｏＳクラス識別子（ＱＣＩ：QoS Class Identifier）と割当及び保有優先順位（ＡＲＰ：Allocation and Retention Priority）を含む。
【０１１３】
ＱＣＩはベアラーレベルパケットフォーワーディング処理（treatment）を制御するノード特有（特定）（node-specific）パラメータにアクセスするための基準に使われるスカラー（scalar）であって、スカラー値はネットワークオペレータにより予め設定（pre-configured）されている。例えば、スカラーは整数値１から９のうち、いずれか一つに予め設定できる。
【０１１４】
ＡＲＰの主な目的は資源が制限される場合、ベアラーのestablishmentまたはmodification要求が受け入れられるか、または拒絶されるべきかを決定するためである。また、ＡＲＰは例外的な資源制限（例えば、ハンドオーバーなど）状況で、ｅＮＢにより如何なるbearer(s)をドロップ（drop）するかを決定することに使用できる。
【０１１５】
EPS bearerはＱＣＩ資源形態によって保証されたビット率（ＧＢＲ：Guaranteed Bit Rate）型ベアラーと保証されないビット率（non-GBR）型ベアラーとに区分される。Default bearerは常にnon-GBR型ベアラーであり、dedicated bearerはＧＢＲ型またはnon-GBR型ベアラーでありうる。
【０１１６】
ＧＢＲ型ベアラーはＱＣＩとＡＲＰの他にＱｏＳパラメータとしてＧＢＲと最大ビット率（ＭＢＲ：Maximum Bit Rate）を有する。ＭＢＲはベアラー別に固定された資源の割当（帯域幅保証）を受けることを意味する。一方、non-GBR型ベアラーはＱＣＩとＡＲＰ以外にＱｏＳパラメータとして結合されたＭＢＲ（ＡＭＢＲ：Aggregated MBR）を有する。ＡＭＢＲは資源をベアラー別に割当を受けられない代わりに、他のnon-GBR型ベアラーと共に使用することができる最大帯域幅の割当を受けることを意味する。
【０１１７】
前記のように、EPS bearerのＱｏＳが定まれば、インターフェース毎に各々のベアラーのＱｏＳが定まる。各インターフェースのベアラーはEPS bearerのＱｏＳをインターフェース別に提供するので、EPS bearerとＲＢ、Ｓ１ bearerなどは全て一対一の関係を有する。
【０１１８】
端末がdefault bearerを通じてサービスを用いる中に、default bearerだけでＱｏＳの提供を受けることに充分でないサービスを用いるようになれば、端末の要求により（on-demandで）dedicated bearerが生成される。
【０１１９】
図９は、本発明が適用できる無線通信システムにおけるＥＭＭ登録状態で制御プレーン（control plane）及びユーザプレーン（user plane）の転送経路を例示する図である。
【０１２０】
図９（ａ）は、ECM-CONNECTED状態を例示し、図９（ｂ）はECM-IDLEを例示する。
【０１２１】
端末がネットワークに正常にアタッチ（attach）してEMM-Registered状態になれば、ＥＰＳベアラーを用いてサービスの提供を受ける。前述したように、ＥＰＳベアラーは区間別にＤＲＢ、Ｓ１ベアラー、Ｓ５ベアラーに分けられて構成される。
【０１２２】
図９（ａ）のように、ユーザトラフィックがあるECM-CONNECTED状態ではＮＡＳシグナリング連結、即ち、ＥＣＭ連結（即ち、ＲＲＣ連結とＳ１シグナリング連結）が設定される。また、ＭＭＥとＳＧＷとの間にＳ１１ ＧＴＰ−Ｃ（GPRS Tunneling Protocol Control Plane）連結が設定され、ＳＧＷとＰＤＮ ＧＷとの間にＳ５ ＧＴＰ−Ｃ連結が設定される。
【０１２３】
また、ECM-CONNECTED状態ではＤＲＢ、Ｓ１ベアラー、及びＳ５ベアラーが全て設定（即ち、無線またはネットワーク資源割当）される。
【０１２４】
図９（ｂ）のように、ユーザトラフィックがないECM-IDLE状態ではＥＣＭ連結（即ち、ＲＲＣ連結とＳ１シグナリング連結）は解除される。但し、ＭＭＥとＳＧＷとの間のＳ１１ ＧＴＰ−Ｃ連結及びＳＧＷとＰＤＮ ＧＷとの間のＳ５ ＧＴＰ−Ｃ連結は設定が維持される。
【０１２５】
また、ECM-IDLE状態ではＤＲＢとＳ１ベアラーは全て解除されるが、Ｓ５ベアラーは設定（即ち、無線またはネットワーク資源割当）を維持する。
【０１２６】
図１０は、本発明が適用できる無線通信システムにおけるＥＣＭ連結確立手続を例示する図である。
【０１２７】
図１０を参照すると、端末はＲＲＣ連結を要求するためにＲＲＣ連結要求（RRC Connection Request）メッセージをｅＮＢに転送する（Ｓ１００１）。
【０１２８】
RRC Connection Requestメッセージは、端末識別子（UE Identity）（例えば、Ｓ−ＴＭＳＩ（SAE temporary mobile subscriber identity）またはランダムＩＤ）と確立原因（establishment cause）を含む。
【０１２９】
確立原因（establishment cause）は、ＮＡＳ手続（例えば、接続（attach）、接続解除（detach）、トラッキング領域アップデート（tracking area update）、サービス要求（service request）、拡張サービス要求（extended service request））によって決定される。
【０１３０】
ｅＮＢは、RRC Connection Requestメッセージに対する応答としてＲＲＣ連結設定（RRC Connection Setup）メッセージを端末に転送する（Ｓ１００２）。
【０１３１】
RRC Connection Setupメッセージを受信した後、端末はRRC_CONNECTEDモードに遷移する。
【０１３２】
端末はＲＲＣ連結確立の正常な完了を確認するためにＲＲＣ連結設定完了（RRC Connection Setup Complete）メッセージをｅＮＢに転送する（Ｓ１００３）。
【０１３３】
端末はRRC Connection Setup CompleteメッセージにＮＡＳメッセージ（例えば、初期アタッチ（Initial Attach）メッセージ、サービス要求（Service Request）メッセージなど）を含めてｅＮＢに転送する。
【０１３４】
ｅＮＢはRRC Connection Setup CompleteメッセージからService Requestメッセージを獲得し、これをＳ１ＡＰメッセージである最初の端末メッセージ（Initial UE Message）を通じてＭＭＥに伝達する（Ｓ１００４）。
【０１３５】
基地局とＭＭＥとの間の制御信号は、Ｓ１−ＭＭＥインターフェースでＳ１ＡＰメッセージを通じて伝達される。Ｓ１ＡＰメッセージはユーザ別にＳ１シグナリング連結を通じて伝達され、Ｓ１シグナリング連結は基地局とＭＭＥが端末を識別するために割り当てた識別子対（即ち、ｅＮＢ ＵＥ Ｓ１ＡＰ ＩＤ及びＭＭＥ ＵＥ Ｓ１ＡＰ ＩＤ）により定義される。
【０１３６】
ｅＮＢはｅＮＢ ＵＥ Ｓ１ＡＰ ＩＤを割り当ててInitial UE Messageに含めてＭＭＥに転送し、ＭＭＥはInitial UE Messageを受信してＭＭＥ Ｓ１ＡＰ ＵＥ ＩＤを割り当ててｅＮＢとＭＭＥとの間にＳ１シグナリング連結を設定する。
【０１３７】
ランダムアクセス手続（Random Access Procedure）
以下、ＬＴＥ／ＬＴＥ−Ａシステムで提供するランダムアクセス手続（random access procedure）に対して説明する。
【０１３８】
ランダムアクセス手続は、端末が基地局とアップリンク同期を得るか、またはアップリンク無線資源の割当を受けるために使われる。端末の電源が入った後、端末は初期セルとのダウンリンク同期を獲得し、システム情報を受信する。システム情報から使用可能なランダムアクセスプリアンブル（random access preamble）の集合とランダムアクセスプリアンブルの転送に使われる無線資源に関する情報を得る。ランダムアクセスプリアンブルの転送に使われる無線資源は、少なくとも一つ以上のサブフレームインデックスと周波数領域上のインデックスの組み合わせに特定できる。端末はランダムアクセスプリアンブルの集合から任意に選択したランダムアクセスプリアンブルを転送し、前記ランダムアクセスプリアンブルを受信した基地局はアップリンク同期のためのタイミング整列（ＴＡ：timing alignment）値をランダムアクセス応答を通じて端末に送る。これによって、端末はアップリンク同期を獲得するものである。
【０１３９】
ランダムアクセス手続は、ＦＤＤ（frequency division duplex）とＴＤＤ（time division duplex）で共通する手続である。ランダムアクセス手続は、セルサイズに関係がなく、キャリアアグリゲーション（併合）（ＣＡ：carrier aggregation）が設定された場合、サービングセル（serving cell）の個数とも関係がない。
【０１４０】
まず、端末がランダムアクセス手続を遂行する場合には、次のような場合がある。
−端末が基地局とＲＲＣ連結（RRC Connection）されておらず、ＲＲＣアイドル状態で初期接続（initial access）を遂行する場合
−ＲＲＣ連結再確立手続（RRC connectionre-establishment procedure）を遂行する場合
−端末がハンドオーバー過程で、ターゲット（target）セルに初めて接続する場合
−基地局の命令によりランダムアクセス手続が要求される場合
−ＲＲＣ連結状態中、アップリンク時間同期がとれない状況で（non-synchronized）ダウンリンクに転送されるデータが発生する場合
−ＲＲＣ連結状態中、アップリンクの時間同期がとれないか（non-synchronized）、または無線資源を要求するために使われる指定された無線資源が割り当てられていない状況で、アップリンクに転送するデータが発生する場合
−ＲＲＣ連結状態中、タイミングアドバンス（timing advance）が必要な状況で端末の位置決定（positioning）を遂行する場合
−無線連結失敗（radio link failure）またはハンドオーバー失敗（handover failure）時、復旧過程を遂行する場合
【０１４１】
３ＧＰＰ Ｒｅｌ−１０ではキャリアアグリゲーションをサポートする無線接続システムで一つの特定セル（例えば、Ｐセル）に適用可能なＴＡ（timing advance）値を複数のセルに共通に適用することを考慮した。但し、端末が互いに異なる周波数バンドに属した（即ち、周波数上で格段に離隔した）複数のセル、あるいは伝搬（propagation）特性が異なる複数のセルをアグリゲーションすることができる。また、特定セルの場合、カバレッジ拡大あるいはカバレッジホールの除去のためにＲＲＨ（remote radio header）（即ち、リピーター）、フェムトセル（femto cell）、あるいはピコセル（pico cell）などのスモールセル（small cell）、またはセカンダリー基地局（ＳｅＮＢ：secondary eNB）がセル内に配置される状況で端末は一つのセルを通じて基地局（即ち、マクロ基地局（macro eNB））と通信を遂行し、他のセルを通じてセカンダリー基地局と通信を遂行する場合、複数のセルが互いに異なる伝搬遅延特性を有するようになることができる。この場合、一つのＴＡ値を複数のセルに共通に適用する方式に使用するアップリンク転送を遂行する場合、複数のセル上で転送されるアップリンク信号の同期に深刻な影響を及ぼすことがある。したがって、複数のセルがアグリゲーションされたＣＡ状況で複数のＴＡを有することが好ましいことがあり、３ＧＰＰ Ｒｅｌ−１１では多重ＴＡ（multiple TA）をサポートするために特定セルグループ単位でＴＡを独立的に割り当てることを考慮する。これをＴＡグループ（ＴＡＧ：TA group）といい、ＴＡＧは一つ以上のセルを含むことができ、ＴＡＧ内に含まれた一つ以上のセルには同一なＴＡが共通に適用できる。このような多重ＴＡをサポートするために、ＭＡＣ ＴＡ命令制御要素（element）は２ビットのＴＡＧ識別子（ＴＡＧ ＩＤ）と６ビットのＴＡ命令フィールドで構成される。
【０１４２】
キャリアアグリゲーションが設定された端末はＰセルと関連して前述したランダムアクセス手続を遂行する場合が発生すれば、ランダムアクセス手続を遂行するようになる。Ｐセルが属したＴＡＧ（即ち、ｐＴＡＧ：primary TAG）の場合、既存と同一にＰセルを基準に決定される、あるいはＰセルに伴われるランダムアクセス手続を通じて調整されるＴＡをｐＴＡＧ内の全てのセルに適用できる。一方、Ｓセルのみで構成されるＴＡＧ（即ち、ｓＴＡＧ：secondary TAG）の場合、ｓＴＡＧ内の特定Ｓセルを基準に決定されるＴＡは該当ｓＴＡＧ内の全てのセルに適用することができ、この際、ＴＡは基地局により開始されてランダムアクセス手続により獲得できる。具体的に、ｓＴＡＧ内でＳセルはＲＡＣＨ資源に設定され、基地局はＴＡを決定するためにＳセルでＲＡＣＨ接続を要求する。即ち、基地局はＰセルから転送されるＰＤＣＣＨオーダーによりＳセル上でＲＡＣＨ転送を開始させる。Ｓセルプリアンブルに対する応答メッセージは、ランダムアクセス無線ネットワーク臨時識別子（ＲＡ−ＲＮＴＩ：Random Access Radio Network Temporary Identifier）を使用してＰセルを通じて転送される。端末はランダムアクセスを正常に終えたＳセルを基準に決定されるＴＡは該当ｓＴＡＧ内の全てのセルに適用することができる。このように、ランダムアクセス手続はＳセルでも該当Ｓセルが属したｓＴＡＧのタイミング整列（timing alignment）を獲得するためにＳセルでも遂行できる。
【０１４３】
ＬＴＥ／ＬＴＥ−Ａシステムでは、ランダムアクセスプリアンブル（random access preamble、RACH preamble）を選択する過程で、特定の集合の中で端末が任意に一つのプリアンブルを選択して使用する競争基盤ランダムアクセス手続（contention based random access procedure）と基地局が特定端末のみに割り当ててくれたランダムアクセスプリアンブルを使用する非競争基盤ランダムアクセス手続（non-contention based random access procedure）を全て提供する。但し、非競争基盤ランダムアクセス手続は、前述したハンドオーバー過程、基地局の命令により要求される場合、端末位置決定（positioning）及び／又はｓＴＡＧのためのタイミングアドバンス整列に限って使用できる。ランダムアクセス手続が完了した後に一般的なアップリンク／ダウンリンク転送が発生する。
【０１４４】
一方、リレーノード（ＲＮ：relay node）も競争基盤ランダムアクセス手続と非競争基盤ランダムアクセス手続を全てサポートする。リレーノードがランダムアクセス手続を遂行する時、その時点でＲＮサブフレーム構成（configuration）を中断させる（suspend）。即ち、これは一時的にＲＮサブフレーム構成を廃棄することを意味する。以後、正常にランダムアクセス手続が完了する時点でＲＮサブフレーム構成が再開される。
【０１４５】
図１１は、本発明が適用できる無線通信システムにおける競争基盤ランダムアクセス手続を説明するための図である。
【０１４６】
（１）第１メッセージ（Ｍｓｇ１、message１）
まず、端末はシステム情報（system information）またはハンドオーバー命令（handover command）を通じて指示されたランダムアクセスプリアンブルの集合から任意に（randomly）一つのランダムアクセスプリアンブル（random access preamble、RACH preamble）を選択し、前記ランダムアクセスプリアンブルを転送することができるＰＲＡＣＨ（physical RACH）資源を選択して転送する。
【０１４７】
ランダムアクセスプリアンブルはＲＡＣＨ転送チャンネルで６ビットで転送され、６ビットはＲＡＣＨ転送した端末を識別するための５ビットの任意識別子（radom identity）と、追加情報を示すための１ビット（例えば、第３メッセージ（Ｍｓｇ３）のサイズを指示）で構成される。
【０１４８】
端末からランダムアクセスプリアンブルを受信した基地局はプリアンブルをデコーディングし、ＲＡ−ＲＮＴＩを獲得する。ランダムアクセスプリアンブルが転送されたＰＲＡＣＨと関連したＲＡ−ＲＮＴＩは、該当端末が転送したランダムアクセスプリアンブルの時間−周波数資源によって決定される。
【０１４９】
（２）第２メッセージ（Ｍｓｇ２、message２）
基地局は、第１メッセージ上のプリアンブルを通じて獲得したＲＡ−ＲＮＴＩに指示（address）されるランダムアクセス応答（random access response）を端末に転送する。ランダムアクセス応答には、ランダムアクセスプリアンブル区分子／識別子（RA preamble index/identifier）、アップリンク無線資源を知らせるアップリンク承認（UL grant）、臨時セル識別子（ＴＣ−ＲＮＴＩ：Temporary Cell RNTI）、そして時間同期値（ＴＡＣ：time alignment command）が含まれることができる。ＴＡＣは、基地局が端末にアップリンク時間整列（time alignment）を維持するために送る時間同期値を指示する情報である。端末は、前記時間同期値を用いてアップリンク転送タイミングを更新する。端末が時間同期を更新すれば、時間同期タイマー（time alignment timer）を開始または再開する。UL grantは後述するスケジューリングメッセージ（第３メッセージ）の転送に使われるアップリンク資源割当及びＴＰＣ（transmit power command）を含む。ＴＰＣはスケジューリングされたＰＵＳＣＨのための転送パワーの決定に使われる。
【０１５０】
端末は、ランダムアクセスプリアンブルの転送後に、基地局がシステム情報またはハンドオーバー命令を通じて指示されたランダムアクセス応答ウィンドウ（random access response window）内で自身のランダムアクセス応答（random access response）の受信を試みて、ＰＲＡＣＨに対応するＲＡ−ＲＮＴＩにマスキングされたＰＤＣＣＨを検出し、検出されたＰＤＣＣＨにより指示されるＰＤＳＣＨを受信するようになる。ランダムアクセス応答情報は、ＭＡＣ ＰＤＵ（MAC packet data unit）の形式に転送されることができ、前記ＭＡＣ ＰＤＵはＰＤＳＣＨを介して伝達できる。ＰＤＣＣＨには前記ＰＤＳＣＨを受信しなければならない端末の情報と、前記ＰＤＳＣＨの無線資源の周波数、そして時間情報、そして前記ＰＤＳＣＨの転送形式などが含まれていることが好ましい。前述したように、一旦、端末が自身に転送されるＰＤＣＣＨの検出に成功すれば、前記ＰＤＣＣＨの情報によってＰＤＳＣＨに転送されるランダムアクセス応答を適切に受信することができる。
【０１５１】
ランダムアクセス応答ウィンドウは、プリアンブルを転送した端末がランダムアクセス応答メッセージを受信するために待機する最大時区間を意味する。ランダムアクセス応答ウィンドウは、プリアンブルが転送される最後のサブフレームで３個のサブフレームの以後のサブフレームから始めて‘ra-ResponseWindowSize’の長さを有する。即ち、端末はプリアンブルを転送が終了したサブフレームから３個のサブフレームの以後から確保したランダムアクセスウィンドウの間ランダムアクセス応答を受信するために待機する。端末は、システム情報（system information）を通じてランダムアクセスウィンドウサイズ（‘ra-ResponseWindowsize’）パラメータ値を獲得することができ、ランダムアクセスウィンドウサイズは２から１０の間の値に決定できる。
【０１５２】
端末は、基地局に転送したランダムアクセスプリアンブルと同一なランダムアクセスプリアンブル区分子／識別子を有するランダムアクセス応答を正常に受信すれば、ランダムアクセス応答のモニタリングを中止する。一方、ランダムアクセス応答ウィンドウが終了するまでランダムアクセス応答メッセージを受信できないか、または基地局に転送したランダムアクセスプリアンブルと同一なランダムアクセスプリアンブル区分子を有する有効なランダムアクセス応答を受信できなかった場合、ランダムアクセス応答の受信は失敗したと見なされて、以後、端末はプリアンブル再転送を遂行することができる。
【０１５３】
前述したように、ランダムアクセス応答でランダムアクセスプリアンブル区分子が必要な理由は、一つのランダムアクセス応答には一つ以上の端末のためのランダムアクセス応答情報が含まれることができるため、前記UL grant、ＴＣ−ＲＮＴＩ、そしてＴＡＣがどの端末に有効であるかを知らせることが必要なためである。
【０１５４】
（３）第３メッセージ（Ｍｓｇ３、message３）
端末が自身に有効なランダムアクセス応答を受信した場合には、前記ランダムアクセス応答に含まれた情報を各々処理する。即ち、端末はＴＡＣを適用させ、ＴＣ−ＲＮＴＩを格納する。また、UL grantを用いて、端末のバッファに格納されたデータまたは新しく生成されたデータを基地局に転送する。端末の最初の接続の場合、ＲＲＣ層で生成されてＣＣＣＨを介して伝達されたＲＲＣ連結要求（RRC Connection Request）が第３メッセージに含まれて転送されることができ、ＲＲＣ連結再確立手続の場合、ＲＲＣ層で生成されてＣＣＣＨを介して伝達されたＲＲＣ連結再確立要求（RRC Connection Re-establishment Request）が第３メッセージに含まれて転送できる。また、ＮＡＳ接続要求メッセージを含むこともできる。
【０１５５】
第３メッセージは、端末の識別子が含まれなければならない。競争基盤ランダムアクセス手続では基地局で如何なる端末が前記ランダムアクセス手続を遂行するかを判断できないが、今後の衝突の解決のためには端末を識別しなければならないためである。
【０１５６】
端末の識別子を含める方法には、二つ方法が存在する。最初の方法は、端末が前記ランダムアクセス手続以前に既に該当セルから割当を受けた有効なセル識別子（Ｃ−ＲＮＴＩ）を有していたとすれば、端末は前記UL grantに対応するアップリンク転送信号を通じて自身のセル識別子を転送する。一方、仮にランダムアクセス手続以前に有効なセル識別子の割当を受けていなければ、端末は自身の固有識別子（例えば、Ｓ−ＴＭＳＩまたは任意値（random number））を含んで転送する。一般的に上記の固有識別子はＣ−ＲＮＴＩより長い。
【０１５７】
ＵＬ−ＳＣＨ上の転送では、端末特定スクランブリングが使われる。端末がＣ−ＲＮＴＩの割当を受けた場合であれば、スクランブリングはＣ−ＲＮＴＩに基づいて遂行されるが、端末が未だＣ−ＲＮＴＩの割当を受けていない場合であれば、スクランブリングはＣ−ＲＮＴＩに基づくことができず、代わりにランダムアクセス応答で受信したＴＣ−ＲＮＴＩが使われる。端末は、前記UL grantに対応するデータを転送したならば、衝突解決のためのタイマー（contention resolution timer）を開始する。
【０１５８】
（４）第４メッセージ（Ｍｓｇ４、message４）
基地局は、端末から第３メッセージを通じて該当端末のＣ−ＲＮＴＩを受信した場合、受信したＣ−ＲＮＴＩを用いて端末に第４メッセージを転送する。一方、端末から第３メッセージを通じて前記固有識別子（即ち、Ｓ−ＴＭＳＩまたは任意値（random number））を受信した場合、ランダムアクセス応答で該当端末に割り当てたＴＣ−ＲＮＴＩを用いて第４メッセージを端末に転送する。一例に、第４メッセージはＲＲＣ連結設定メッセージ（RRC Connection Setup）を含むことができる。
【０１５９】
端末はランダムアクセス応答に含まれたUL grantを通じて自身の識別子を含んだデータを転送した以後、衝突解決のために基地局の指示を待つ。即ち、特定メッセージを受信するためにＰＤＣＣＨの受信を試みる。前記ＰＤＣＣＨを受信する方法においても二つ方法が存在する。前述したように、前記UL grantに対応して転送された第３メッセージが自身の識別子がＣ−ＲＮＴＩの場合、自身のＣ−ＲＮＴＩを用いてＰＤＣＣＨの受信を試みて、前記識別子が固有識別子（即ち、Ｓ−ＴＭＳＩまたは任意値（random number））の場合には、ランダムアクセス応答に含まれたＴＣ−ＲＮＴＩを用いてＰＤＣＣＨの受信を試みる。その後、前者の場合、仮に前記衝突解決タイマーが満了する前に自身のＣ−ＲＮＴＩを通じてＰＤＣＣＨを受信した場合に、端末は正常にランダムアクセス手続が遂行されたと判断し、ランダムアクセス手続を終了する。後者の場合には、前記衝突解決タイマーが満了する前にＴＣ−ＲＮＴＩを通じてＰＤＣＣＨを受信したならば、前記ＰＤＣＣＨが指示するＰＤＳＣＨが伝達するデータを確認する。仮に、前記データの内容に自身の固有識別子が含まれていれば、端末は正常にランダムアクセス手続が遂行されたと判断し、ランダムアクセス手続を終了する。第４メッセージを通じて端末はＣ−ＲＮＴＩを獲得し、以後、端末とネットワークはＣ−ＲＮＴＩを用いて端末特定メッセージ（dedicatedmessage）を送受信するようになる。
【０１６０】
次に、ランダムアクセスで衝突解決のための方法について説明する。
【０１６１】
ランダムアクセスを遂行するに当たって、衝突が発生する理由は、基本的にランダムアクセスプリアンブルの数が有限であるためである。即ち、基地局は全ての端末に端末固有のランダムアクセスプリアンブルが与えられないので、端末は共通のランダムアクセスプリアンブルののうち、任意に一つを選択して転送するようになる。これによって、同一な無線資源（ＰＲＡＣＨ資源）を通じて二つ以上の端末が同一なランダムアクセスプリアンブルを選択して転送するようになる場合が発生するが、基地局では一つの端末から転送される一つのランダムアクセスプリアンブルと判断するようになる。これによって、基地局はランダムアクセス応答を端末に転送し、ランダムアクセス応答は一つの端末が受信することと予測する。しかしながら、前述したように衝突が発生することがあるので、二つ以上の端末が一つのランダムアクセス応答を受信するようになり、これによって端末毎に各々ランダムアクセス応答の受信に従う動作を遂行するようになる。即ち、ランダムアクセス応答に含まれた一つのUL Grantを用いて、二つ以上の端末が互いに異なるデータを同一な無線資源に転送するようになる問題点が発生するようになる。これによって、前記データの転送は全て失敗することもあり、端末の位置または転送パワーによって特定端末のデータのみを基地局で受信することもできる。後者の場合、二つ以上の端末は全て自身のデータの転送が成功したと仮定するため、基地局は競争で失敗した端末に失敗事実に対する情報を知らせなければならない。即ち、前記競争の失敗または成功に対する情報を知らせることを衝突解決（contention resolution）という。
【０１６２】
衝突解決方法には二つ方法があるが、一つ方法は、衝突解決タイマー（contention resolution timer）を用いる方法と、他の一つの方法は、成功した端末の識別子を端末に転送する方法である。前者の場合は、端末がランダムアクセス過程前に既に固有のＣ−ＲＮＴＩを有している場合に使われる。即ち、既にＣ−ＲＮＴＩを有している端末はランダムアクセス応答によって自身のＣ−ＲＮＴＩを含んだデータを基地局に転送し、衝突解決タイマーを作動する。そして、衝突解決タイマーが満了する前に、自身のＣ−ＲＮＴＩにより指示されるＰＤＣＣＨ情報が受信されれば、端末は自身が競争で成功したと判断し、ランダムアクセスを正常に終えるようになる。反対に、仮に衝突解決タイマーが満了する前に、自身のＣ−ＲＮＴＩにより指示されるＰＤＣＣＨの転送を受けていない場合は、自身が競争で失敗したと判断し、ランダムアクセス過程をまた遂行するか、または上位層に失敗事実を通報することができる。衝突解消方法のうち、後者の場合、即ち成功した端末の識別子を転送する方法は、端末がランダムアクセス過程前に固有のセル識別子がない場合に使われる。即ち、端末自身がセル識別子がない場合、ランダムアクセス応答に含まれたUL Grant情報によってデータにセル識別子より上位識別子（Ｓ−ＴＭＳＩまたはrandom number）を含んで転送し、端末は衝突解決タイマーを作動させる。衝突解決タイマーが満了する前に、自身の上位識別子を含んだデータがＤＬ−ＳＣＨに転送された場合、端末はランダムアクセス過程が成功したと判断する。一方、衝突解決タイマーが満了する前に、自身の上位識別子を含んだデータをＤＬ−ＳＣＨに転送を受けられない場合には、端末はランダムアクセス過程が失敗したと判断するようになる。
【０１６３】
一方、非競争基盤任意接続過程での動作は、図１１に図示された競争基盤任意接続過程とは異なり、第１メッセージ転送及び第２メッセージ転送だけで任意接続手続が終了するようになる。但し、第１メッセージとして端末が基地局に任意接続プリアンブルを転送する前に端末は基地局から任意接続プリアンブルの割当を受けるようになり、この割当を受けた任意接続プリアンブルを基地局に第１メッセージとして転送し、基地局から任意接続応答を受信することによって任意接続手続が終了するようになる。
【０１６４】
サービス要求手続（Service Request Procedure）
端末トリガーサービス要求手続（UE-triggered Service Request procedure）は、一般的に端末が開始（initiation）して新しいサービスを始めようとする時に遂行される。
【０１６５】
図１２は、本発明が適用できる無線通信システムにおける端末トリガーサービス要求手続を例示する図である。
【０１６６】
１−２．端末（ＵＥ）は、サービス要求（Service Request）メッセージをＭＭＥに転送することによって、端末トリガーサービス要求手続（UE-triggered Service Request procedure）を開始する。
【０１６７】
サービス要求（Service Request）メッセージは、ＲＲＣ連結でＲＲＣ連結セットアップ完了（RRC Connection Setup Complete）メッセージに含まれて伝達され、Ｓ１シグナリング連結で初期ＵＥメッセージ（Initial UE message）に含まれて伝達される。
【０１６８】
３．ＭＭＥは、端末の認証のためにＨＳＳに認証のための情報を要求して受信し、端末と相互認証を遂行する。
【０１６９】
４．ＭＭＥは、基地局（ｅＮＢ）がＳ−ＧＷとＳ１ベアラーを設定し、端末とＤＲＢを設定できるように初期コンテクストセットアップ要求（Initial Context Setup Request）メッセージを基地局に転送する。
【０１７０】
５．基地局はＤＲＢを生成するために端末にＲＲＣ連結再設定（RRC Connection Reconfiguration）メッセージを転送する。
【０１７１】
この手続が終わると、基地局と端末との間のＤＲＢの生成が完了して、端末からＰ−ＧＷまでアップリンクＥＰＳベアラーが全て設定される。端末はＰ−ＧＷにアップリンクトラフィックを転送することができる。
【０１７２】
６．基地局は初期コンテクストセットアップ要求（Initial Context Setup Request）メッセージに対する応答として‘Ｓ１ ｅＮＢ ＴＥＩＤ’を含む初期コンテクストセットアップ完了（Initial Context Setup Complete）メッセージをＭＭＥに転送する。
【０１７３】
７．ＭＭＥは基地局から受信した‘Ｓ１ ｅＮＢ ＴＥＩＤ’を修正ベアラー要求（Modify Bearer Request）メッセージを通じてＳ−ＧＷに伝達する。
【０１７４】
この手続が終わると、基地局とＳ−ＧＷとの間にダウンリンクＳ１ベアラーの生成が完了することによって、Ｐ−ＧＷから端末までダウンリンクＥＰＳベアラーが全て設定される。端末は、Ｐ−ＧＷからダウンリンクトラフィックを受信することができる。
【０１７５】
８．端末が位置したセル（E-UTRANセル全域識別子（ECGI：E-UTRAN Cell Global Identifier））またはトラッキング領域（ＴＡＩ）が変更された場合、Ｓ−ＧＷは修正ベアラー要求（Modify Bearer Request）メッセージをＰ−ＧＷに転送して知らせる。
【０１７６】
９．必要の場合、Ｐ−ＧＷはＰＣＲＦとＩＰ−ＣＡＮ（IP connectivity access network）セッション修正（modification）手続を遂行することができる。
【０１７７】
１０．Ｐ−ＧＷは、Ｓ−ＧＷから修正ベアラー要求（Modify Bearer Request）メッセージを受信した場合、これに対する応答として修正ベアラー応答（Modify Bearer Response）メッセージをＳ−ＧＷに転送する。
【０１７８】
１１．Ｓ−ＧＷは、修正ベアラー要求（Modify Bearer Request）メッセージに対する応答として修正ベアラー応答（Modify Bearer Response）メッセージをＭＭＥに転送する。
【０１７９】
ネットワークトリガーサービス要求手続（Network-triggered Service  Request procedure）は、一般的にネットワークでECM-IDLE状態にある端末にダウンリンクデータを転送しようとする時に遂行される。
【０１８０】
図１３は、本発明が適用できる無線通信システムにおけるネットワークトリガーサービス要求手続を例示する図である。
【０１８１】
１．ダウンリンクデータ（Downlink Data）が外部ネットワーク（external network）からＰ−ＧＷに到達すれば、Ｐ−ＧＷはダウンリンクデータをＳ−ＧＷに伝達する。
【０１８２】
２．ダウンリンクＳ１ベアラーが解除（即ち、ECM-IDLE状態）されてダウンリンクデータを基地局（ｅＮＢ）に転送できない場合（即ち、Ｓ−ＧＷに‘S1 eNB TEID’値が存在しない場合）、Ｓ−ＧＷは受信したダウンリンクデータをバッファリングする。そして、Ｓ−ＧＷは該当端末（ＵＥ）に対するシグナリング連結及びベアラー設定のために端末が登録されているＭＭＥ／ＳＧＳＮにダウンリンクデータ通知（Downlink Data Notification）メッセージを転送する。
【０１８３】
ＭＭＥ／ＳＧＳＮは、ダウンリンクデータ通知（Downlink Data Notification）メッセージに対する応答としてダウンリンクデータ通知ＡＣＫ（Downlink Data Notification ACK）メッセージをＳ−ＧＷに転送する。
【０１８４】
３．ＭＭＥ／ＳＧＳＮは端末が最近に登録したトラッキング領域に属する全てのｅＮＢ／ＲＮＣ（または、ＢＳＣ（Base Station Controller））にページング（paging）メッセージを転送する。
【０１８５】
４．ｅＮＢ／ＲＮＣ（または、ＢＳＣ）は、ＭＭＥ／ＳＧＳＮからページング（paging）メッセージを受信すれば、ｅＮＢ／ＲＮＣ（または、ＢＳＣ）はページング（paging）メッセージをブロードキャスティングする。
【０１８６】
５．自身に向かうダウンリンクデータがあることを認知した端末は、サービス要求（Service Request）手続を遂行して、ＥＣＭ連結を設定する。即ち、この場合、サービス要求（Service Request）手続はネットワークから転送されたページング（paging）により開始される。
【０１８７】
サービス要求（Service Request）手続は、先の図１２の手続と同一に進行されることができ、このような手続が完了すれば、端末はＳ−ＧＷからダウンリンクデータを受信することができる。
【０１８８】
６．ページング応答が受信されれば、Ｓ−ＧＷは“ページング中断（Stop Paging）”メッセージをＭＭＥ／ＳＧＳＮに転送する。
【０１８９】
ＭＭＥ／ＳＧＳＮは、ページング送信をｅＮＢ／ＲＮＣ（または、ＢＳＣ）、またはセル（cells）に命令すれば、ｅＮＢ／ＲＮＣ（または、ＢＳＣ）は端末のＩＭＳＩ値とＤＲＸサイクル（DRX cycle）を通じてページング時点（paging occasion）を計算して該当ページング時点（paging occasion）にページングメッセージを送信する。ＭＭＥは、ページング送信に対して特定時間の間端末の応答がない場合、ページング転送失敗と見做して、ｅＮＢ／ＲＮＣ（または、ＢＳＣ）またはセル（cells）にページング再転送（Paging retransmission）を命令することができる。
【０１９０】
即ち、ページング再転送はＭＭＥ端で端末のサービス要求（Service request）を受信できなかった場合に判断するものであって、ｅＮＢ端ではページングの受信の有無を監督するか、またはその再転送を遂行しない。ＭＭＥが数多いセル（cell）にページングを送信する場合、端末はそのうちの一つのセルに属してサービス要求（service request）を送信するので、ｅＮＢではページングに対する応答がない場合、該当端末が自身のセルに位置していないと判断するはずである。
【０１９１】
一方、ＭＭＥ／ＳＧＳＮがページング反復／再転送手続の以後にも端末から応答を受信できなかった場合、ＭＭＥ／ＳＧＳＮはダウンリンクデータ通知拒絶（Downlink Data Notification Reject）メッセージを用いてＳ−ＧＷにページング失敗を通知する。
【０１９２】
ダウンリンクデータ通知拒絶（Downlink Data Notification Reject）メッセージが受信されれば、Ｓ−ＧＷはバッファリングされたパケットを削除することができる。
【０１９３】
ページング（Paging）
ページング手続（paging procedure）は、ネットワークでRRC_IDLEモードである端末にページング情報（paging information）を転送するために、またはRRC_IDLE／RRC_CONNECTEDモードである端末にシステム情報（system information）の変更を知らせるために、またはRRC_IDLE／RRC_CONNECTEDモードである端末にＥＴＷＳプライマリ通知（primary notification）及び／又はＥＴＷＳセカンダリー通知（secondary notification）を知らせるために、またはRRC_IDLE／RRC_CONNECTEDモードである端末にＣＭＡＳ通知（CMAS notification）を知らせるために用いられる。
【０１９４】
図１４は、本発明が適用できる無線通信システムにおけるページング手続を例示する図である。
【０１９５】
図１４を参照すると、ＭＭＥは基地局にページングメッセージ（PAGING message）を転送することによってページング手続を開始する（Ｓ１４０１）。
【０１９６】
前述したように、ECM-IDLE状態である端末の位置はトラッキング領域（ＴＡ：Tracking Area）基盤にＭＭＥで管理する。この際、端末は一つ以上のＴＡに登録できるので、ＭＭＥは端末が登録されたＴＡ（ｓ）に属するセルをカバーする多数のｅＮＢにページングメッセージ（PAGING message）を転送することができる。ここで、各セルは一つのＴＡのみに属することができ、各ｅＮＢは互いに異なるＴＡに属するセルを含むことができる。
【０１９７】
ここで、ＭＭＥはＳ１ＡＰインターフェースを介して（または、Ｓ１ＡＰプロトコル各ｅＮＢにページングメッセージを転送する。以下、これを‘Ｓ１ＡＰページング（PAGING）メッセージ’（または、ページング要求（paging request））と称する。
【０１９８】
ＭＭＥに返信されるページング応答はＮＡＳ層で開始され、ページング応答はＮＡＳレベルルーティング（routing）情報に基づいて基地局により転送できる（Ｓ１４０２）。
【０１９９】
即ち、ページング応答は端末から転送されたサービス要求（Service Request）ＮＡＳメッセージに該当できる。先の図１０の例示のように、サービス要求（Service Request）ＮＡＳメッセージは、端末からＲＲＣ連結セットアップ完了（RRC Connection Setup Complete）メッセージに含まれて基地局に転送され、基地局から初期ＵＥメッセージ（Initial UE message）に含まれてＭＭＥに転送できる。
【０２００】
＜表２＞は、S1AP PAGINGメッセージを例示する。
【０２０１】
【表２】
2018505595.tif 000004
【０２０２】
＜表２＞を参照すると、IE／Group Nameは情報要素（ＩＥ：information element）または情報要素グループ（IE group）の名称を示す。存在（Presence）フィールドの‘Ｍ’は必須的な（mandatory）ＩＥとして常にメッセージに含まれるIE／IE groupを示し、‘Ｏ’は選択的な（optional）ＩＥとしてメッセージに含まれることも含まれないこともあるIE／IE groupを示し、‘Ｃ’は条件的な（conditional）ＩＥとして特定条件が満たす時だけメッセージに含まれるIE／IE groupを示す。Rangeフィールドは反復的なIEs／IE groupsが反復できる数を示す。
【０２０３】
ＩＥタイプ及び参照（IE type and reference）フィールドは、該当ＩＥのタイプ（例えば、列挙データ（ENUMERATED）、整数（INTEGER）、オクテットストリング（OCTET STRING）など）を示し、該当ＩＥが有することができる値の範囲が存在する場合、値の範囲を示す。
【０２０４】
臨界（Criticality）フィールドは、IE／IE groupに適用される臨界（criticality）情報を示す。臨界情報は受信端でIE／IE groupの全体または一部分を理解できない場合に受信端でどのように動作すべきかを指示する情報を意味する。‘−’は臨界情報が適用されないことを示し、‘YES’は臨界情報が適用されたことを示す。‘GLOBAL’はＩＥ及び該当ＩＥの反復に共通に一つの臨界情報を有することを示す。‘EACH’はＩＥの各反復別に固有の臨界情報を有することを示す。指定された臨界（Assigned Criticality）フィールドは実際臨界情報を示す。
【０２０５】
S1AP PAGINGメッセージに含まれたinformation element（ＩＥ）またはＩＥグループをより具体的に説明すると、次の通りである。
【０２０６】
メッセージタイプ（Message Type）ＩＥは、転送されるメッセージを固有に識別する。
【０２０７】
端末識別インデックス値（UE Identity Index value）ＩＥは、ｅＮＢがページングフレーム（ＰＦ：Paging Frame）を計算するために使われる（例えば、UE Identity Index＝UE IMSI mod 1024）。
【０２０８】
端末ページング識別子（UE Paging Identity）ＩＥはページングされた端末を識別するための識別子であって、ＩＭＳＩ、Ｓ−ＴＭＳＩ（SAE Temporary Mobile Subscriber Identity）のうちの一つに指示される。Ｓ−ＴＭＳＩは、一つのＭＭＥグループのうち、端末を固有に識別することができる識別子を意味する。
【０２０９】
一般的なページングの場合、端末ページング識別子にＳ−ＴＭＳＩが使われる。一方、端末ページング識別子にＩＭＳＩが使われる場合、これはＩＭＳＩを含んだページング（Paging with ＩＭＳＩ）であって、端末はＩＭＳＩ値でページングを受信した場合、再アタッチ（re-attach）手続を遂行する。
【０２１０】
ページングＤＲＸ（Paging DRX）ＩＥは、端末が端末特定のＤＲＸサイクル（cycle）長さを使用する場合、基地局にページングフレーム（ＰＦ）を計算するために使われる。端末は、アタッチ要求（Attach Request）メッセージまたはトラッキング領域アップデート（ＴＡＵ：Tracking Area Update）メッセージでDRX cycle長さを特定することができる。
【０２１１】
ＣＮドメイン（CN Domain）ＩＥは、ページングがＣＳ（Circuit Switched）ドメインまたはＰＳ（Packet Switched）ドメインで発生したことを指示する。
【０２１２】
トラッキング領域識別子ＴＡＩ（Tracking Area Identity）リスト（TAI List）ＩＥは、基地局にページングメッセージがブロードキャストされなければならないＴＡを知らせるために使われる。ＴＡＩは、ＴＡを固有に識別するために使われる識別子を意味する。
【０２１３】
閉加入者グループ（ＣＳＧ：Closed Subscriber Group）識別子リスト（CSG ID List）ＩＥは、端末が加入したＣＳＧセットを示す。これは、基地局が端末が加入していないＣＳＧセル内の端末にページングすることを防止する。
【０２１４】
ページング優先順位（Paging Priority）ＩＥは、端末をページングするためのページング優先順位を指示する。
【０２１５】
ページングのための端末無線能力（UE Radio Capability for Paging）ＩＥは、ページング特有（specific）端末無線能力情報を含む。
【０２１６】
ＭＭＥからＳ１ＡＰページングメッセージを受信したｅＮＢは、ページングメッセージ（以下、‘RRC Pagingメッセージ’（または、ページング情報（paging information））と称する）を構成する。
【０２１７】
＜表３＞は、RRC Pagingメッセージを例示する。
【０２１８】
【表３】
2018505595.tif 000005
【０２１９】
＜表３＞を参照すると、単一のＲＲＣページングメッセージは多重の（multiple）Ｓ１ＡＰページングメッセージの情報を運ぶことができる。即ち、ＲＲＣページングメッセージは多重の（multiple）端末をページングするための多重のページングレコード（paging record）（例えば、１６個）を含むことができる。
【０２２０】
各ページングレコード（paging record）は、端末識別子（ue-Identity）フィールド、ＣＮドメイン（cn-Domain）フィールドを含む。これは、S1AP Pagingメッセージから伝達されたコンテンツである。
【０２２１】
システム情報変更（system Info Modification）フィールドはS1AP Pagingメッセージから伝達されず、基地局により生成される。このフィールドは、端末がシステム情報ブロック（ＳＩＢ）セットを再獲得（re-acquire）するようにトリガーするために使われる。
【０２２２】
拡張されたアクセスベアリング（ＥＡＢ：Extended Access Barring）パラメータ変更（eab-Param Modification）フィールドは、ＥＡＢパラメータ（ＳＩＢ １４）変更を指示するために使われる。
【０２２３】
ＥＴＷＳ指示（etws-Indication）フィールドはS1AP Pagingメッセージから伝達されず、基地局により生成される。このフィールドはＥＴＷＳをサポートする端末（ETWS capable UE）のみに適用され、該当端末がＳＩＢ １を再獲得するようにトリガーするために使われる。ＳＩＢ １コンテンツは、端末にＳＩＢ １０及びＳＩＢ １１内のＥＴＷＳコンテンツを指示する。
【０２２４】
ＣＭＡＳ指示（cmas-Indication）フィールドは、ＣＭＡＳをサポートする端末（CMAS capable UE）のみに適用され、該当端末がＳＩＢ １を再獲得するようにトリガーするために使われる。ＳＩＢ １コンテンツは、端末にＳＩＢ １２内のＣＭＡＳコンテンツを指示する。
【０２２５】
前記のように、RRC Pagingメッセージを構成したｅＮＢは、Ｐ−ＲＮＴＩ（Paging-RNTI）にスクランブルされたＣＲＣ（cyclic redundancy check）が付着されたダウンリンク制御情報（ＤＣＩ：Downlink Control Information）をＰＤＣＣＨから端末に転送し、ＲＲＣページングメッセージをＰＤＳＣＨを介して端末に転送する。
【０２２６】
即ち、基地局はＰＣＣＨ論理チャンネル、ＰＣＨ転送チャンネル、ＰＤＳＣＨ物理チャンネルを介して端末にRRC Pagingメッセージを伝達する。
【０２２７】
より具体的に説明すると、基地局は端末に送ろうとするＤＣＩによってＰＤＣＣＨフォーマットを決定し、ＤＣＩにＣＲＣを付ける。ＣＲＣにはＰＤＣＣＨの所有者（owner）や用途によって固有な識別子（ＲＮＴＩ：radio network temporary identifier）がスクランブル（または、マスキング（masking））される。特定端末のためのＰＤＣＣＨであれば、端末の固有識別子（例えばＣ−ＲＮＴＩ（cell-RNTI））がＣＲＣにマスキングできる。または、ページングメッセージのためのＰＤＣＣＨであれば、ページング指示識別子（例えば、Ｐ−ＲＮＴＩ（paging-RNTI））がＣＲＣにマスキングできる。
【０２２８】
即ち、端末は自身のページング時点（paging occasion）に属するサブフレームでＰ−ＲＮＴＩに基づいてＰＤＣＣＨをモニタリングする。そして、Ｐ−ＲＮＴＩにマスキングされたＰＤＣＣＨを検出すれば、端末はＰＤＣＣＨ上で転送されるＤＣＩをデコーディングする。このＤＣＩは、端末にページングメッセージが転送されたＰＤＳＣＨ資源を指示する。そして、端末はＤＣＩで指示されたＰＤＳＣＨ資源からＲＲＣページングメッセージをデコーディングする。
【０２２９】
ページングサイクルはセル特有（cell-specific）に決定されることができ、また端末特有（UE-specific）に決定されることもできる。また、ページング時点（paging occasion）は各端末別に自身のページングサイクルと自身の識別子（即ち、ＩＭＳＩ）に基づいて決定される。したがって、基地局で可能なページング時点（possiblepaging occasion）で全ての端末にページングメッセージが転送されるものではなく、該当端末のページング時点（paging occasion）に合わせてページングメッセージが転送される。ページング時点に対するより詳細な説明は後述する。
【０２３０】
ページング手続は、個別端末の着信（ＭＴ：Mobile Terminated）呼の受信有無の知らせの他に、システム情報の変更、セルブロードキャストメッセージ（即ち、ＥＴＷＳ／ＣＡＭＳ警告メッセージ）の受信有無、ＥＡＢの変更を知らせるための用途に使用できる。
【０２３１】
ＲＲＣページングメッセージに含まれたページングレコード（paging record）のうちのいずれか一つに端末識別子（UE identity）（例えば、ＩＭＳＩまたはＳ−ＴＭＳＩ）が含まれた場合（即ち、ページング手続がMT call用途に使われた場合）、RRC_IDLEモードである端末は、ネットワークとＲＲＣ連結を確立（例えば、サービス要求（Service Request）転送）するためにランダムアクセス手続（random access procedure）を開始する。
【０２３２】
また、ＲＲＣページングメッセージにシステム情報変更（systemInfoModification）が含まれた場合、端末はシステム情報獲得手続（system information acquisition procedure）を用いて要求されるシステム情報を再獲得する。
【０２３３】
また、ＲＲＣページングメッセージにＥＴＷＳ指示（etws-Indication）が含まれ、端末がＥＴＷＳをサポートする場合、端末は直ちにＳＩＢ １を再獲得する。即ち、端末は次のシステム情報変更周期境界まで待たない。そして、ＳＩＢ １に含まれたスケジューリング情報リスト（scheduling Info List）がＳＩＢ １０が存在すると指示すれば、端末はスケジューリング情報（scheduling Infor）に基づいてＳＩＢ １０を獲得する。また、ＳＩＢ １に含まれたスケジューリング情報リスト（schedulingInfoList）がＳＩＢ １１が存在すると指示すれば、端末はスケジューリング情報（schedulingInfor）に基づいてＳＩＢ １１を獲得する。
【０２３４】
また、ＲＲＣページングメッセージにＣＭＡＳ指示（cmas-Indication）が含まれ、端末がＣＭＡＳをサポートする場合、端末は直ちにＳＩＢ １を再獲得する。即ち、端末は次のシステム情報変更周期境界まで待たない。そして、ＳＩＢ １に含まれたスケジューリング情報リスト（schedulingInfoList）がＳＩＢ １２が存在すると指示すれば、端末はスケジューリング情報（schedulingInfor）に基づいてＳＩＢ １２を獲得する。
【０２３５】
前記のように、ＲＲＣページングメッセージにセルブロードキャストメッセージ（即ち、ＥＴＷＳ／ＣＡＭＳメッセージ）指示が含まれた場合、端末はＳＩＢ １のschedulingInfoListを参照してＳＩＢ １０、ＳＩＢ １１、ＳＩＢ １２を受信する。受信されたＳＩＢ １０、ＳＩＢ １１、ＳＩＢ １２は、端末の上位層（例えば、ＲＲＣ層）に伝達される。端末の上位層ではＳＩＢ １０、ＳＩＢ １１、ＳＩＢ １２を通じて伝達されたセルブロードキャストメッセージに属したメッセージ識別子（Message identifier）が端末の探索リスト（Search list）に含まれる場合は端末にディスプレイし、そうでない場合は廃棄（discard）する。
【０２３６】
また、RRC_IDLEモードである端末がＥＡＢをサポートし、ＲＲＣページングメッセージにＥＡＢパラメータ変更（eab-Param Modification）フィールドが含まれた場合、端末は以前に格納されたＳＩＢ １４が有効でないと見なして、直ちにＳＩＢ １を再獲得する。即ち、端末は次のシステム情報変更周期境界まで待たない。そして、端末はシステム情報獲得手続（system information acquisition procedure）を用いてＳＩＢ １４を再獲得する。
【０２３７】
以下、ページング時点（paging occasion）について説明する。
【０２３８】
３ＧＰＰ ＬＴＥ／ＬＴＥ−Ａシステムは、端末の電力消費を最小化するために端末の不連続受信（ＤＲＸ：discontinuous reception）技法を定義する。
【０２３９】
ＤＲＸを使用する端末はPagingサイクル（即ち、DRX cycle）毎に一回のページング時点（paging occasion）のみでページングメッセージが転送されるかをモニタリングする。
【０２４０】
一つのページングフレーム（ＰＦ：Paging Frame）は、一つ以上のページング時点を含むことができる一つの無線フレームを意味する。
【０２４１】
一つのページング時点（ＰＯ：Paging Occasion）は、ページングメッセージをアドレッシング（addressing）するＰＤＣＣＨ上に転送されるＰ−ＲＮＴＩが存在することができる一つのサブフレームを意味する。即ち、ページング時点（paging occasion）は端末がページングメッセージをチェックするＰＦ内の特定サブフレームとして定義される。
【０２４２】
ＰＦ及びＰＯは、端末のＩＭＳＩ及びＤＲＸ値を用いて決定される。端末は、自身のＩＭＳＩ及びＤＲＸ値を用いてＰＦ及びＰＯを計算することができる。また、ｅＮＢもＭＭＥから伝達を受けたＩＭＳＩ値を通じて端末別にＰＦ及びＰＯを計算することができる。
【０２４３】
ＤＲＸパラメータ（即ち、ページング／ＰＣＣＨ構成情報）は、共通する無線資源設定を特定するために使われるＲＲＣメッセージである共通無線資源設定（‘RadioResourceConfigCommon’）ＩＥに含まれて転送できる。共通無線資源設定ＩＥは、ＲＲＣ連結再設定（RRC Connection Reconfiguration）メッセージまたはＳＩメッセージのようなＲＲＣメッセージを通じて転送できる。ＳＩメッセージは、一つ以上のＳＩＢを転送するために使われるメッセージである。
【０２４４】
また、端末はアタッチ要求（Attach Request）またはＴＡＵ要求（Tracking Area Update Request）メッセージを通じて自身のＤＲＸサイクルを要求することもできる。この際、端末が要求することができるＤＲＸサイクル長さセットはシステム情報（system information）内で使われた長さセットと同一である。
【０２４５】
＜表４＞は、共通無線資源設定ＩＥ内のＰＣＣＨ構成情報を例示する。
【０２４６】
【表４】
2018505595.tif 000006
【０２４７】
＜表４＞を参照すると、ＰＣＣＨ構成情報は基本ページングサイクル長さを指示する‘defaultPagingCycle’フィールドとページングフレーム（Paging Frame）及びページング時点（Paging Occasion）を獲得するためのパラメータである‘ｎＢ’を含む。
【０２４８】
‘defaultPagingCycle’フィールドは、基本ページングサイクル長さに｛ｒｆ３２、ｒｆ６４、ｒｆ１２８、ｒｆ２５６｝の値のうち、いずれか一つに設定できる。ｒｆは無線フレーム（radioframe）を意味し、ｒｆの後の数字は無線フレームの個数を示す。例えば、‘defaultPagingCycle’＝ｒｆ３２であれば、ページング基本サイクルは３２個の無線フレームで構成され、‘defaultPagingCycle’＝ｒｆ６４であれば、ページング基本サイクルは６４個の無線フレームで構成される。
【０２４９】
‘ｎＢ’パラメータの値は‘Ｔ’の倍数として指示される（４Ｔ、２Ｔ、Ｔ、Ｔ／２、Ｔ／４、Ｔ／８、Ｔ／１６、またはＴ／３２）。例えば、‘ｎＢ’＝fourTであれば、‘ｎＢ’パラメータの値は４＊Ｔであり、‘ｎＢ’＝quarterTであれば、‘ｎＢ’パラメータの値はＴ／４である。
【０２５０】
ここで、‘Ｔ’は端末のＤＲＸサイクルを示す。‘Ｔ’は端末特有（UE specific）のＤＲＸサイクル（上位層により割り当られた場合）とシステム情報でブロードキャスティングされる基本ＤＲＸサイクル（‘defaultPagingCycle’フィールド値）のうち、最も短い値に決定される。端末特定ＤＲＸサイクルが上位層により設定されない場合、基本ＤＲＸサイクルと決定される。
【０２５１】
ＰＦは、以下の＜数式１＞によって定まる。
【０２５２】
＜数式１＞
【数１】
2018505595.tif 000007
【０２５３】
＜数式１＞で、Ｎはｍｉｎ（Ｔ、ｎＢ）を示し、ＵＥ＿ＩＤは（IMSI mod 1024）を示す。
【０２５４】
端末は前記のように決定されたＰＦの全てのサブフレームをモニタリングせず、以下の＜数式２＞と＜表５＞（または、＜表６＞）によって決定されたＰＯにより識別されたサブフレームのみをモニタリングする。
【０２５５】
＜数式２＞
【数２】
2018505595.tif 000008
【０２５６】
＜数式２＞でＮｓはｍａｘ（１、ｎＢ／Ｔ）を示す。
【０２５７】
＜表５＞は、ＦＤＤでＰＯを決定するためのサブフレームパターンを例示する。
【０２５８】
【表５】
2018505595.tif 000009
【０２５９】
＜表６＞は、ＴＤＤでＰＯを決定するためのサブフレームパターンを例示する。
【０２６０】
【表６】
2018505595.tif 000010
【０２６１】
先の＜数式２＞で決定された、ｉ＿ｓ値を＜表５＞及び＜表６＞に適用してＰＯに該当するサブフレームインデックスが決定される。即ち、端末は決定されたＰＦ内でＰＯに該当するサブフレームのみをモニタリングする。
【０２６２】
Ｓ１解除手続（s1 release procedure）
Ｓ１解除手続は、端末のための論理的Ｓ１−ＡＰシグナリング連結（Ｓ１−ＭＭＥを通じて）と全てのＳ１ベアラー（Ｓ１−Ｕ内）を解除するために使われる。
【０２６３】
この手続は、端末とＭＭＥ内で端末をECM-CONNECTED状態からECM-IDLE状態に変更させ、基地局内で全ての端末関連コンテクスト情報（UE related context information）は削除される。例えば、シグナリング伝達の損失（loss）によって、または基地局またはＭＭＥの失敗を理由にＳ１−ＡＰシグナリング連結が切れる（lost）時、Ｓ１解除手続が基地局またはＭＭＥにより地域的に遂行される。Ｓ１解除手続が基地局またはＭＭＥにより地域的に遂行される時、各ノードは地域的に以下の図１５で図示した手続の流れに従う動作を遂行する。
【０２６４】
Ｓ１解除手続の開始は、次のうちのいずれか一つの通りである。
−例えば、運営及び管理調整（Ｑ＆Ｍ（Operation and Management）Intervention）、不明確な失敗（Unspecified Failure）、ユーザ非活動性（User Inactivity）、反復されたＲＲＣシグナリング完全性チェック失敗（Repeated RRC signalling Integrity Check Failure）、端末により生成されたシグナリング連結解除による解除（Release due to UE generated signalling connection release）、ＣＳフォールバックトリガー（CS Fallback triggered）、ＲＡＴ間リダイレクション（Inter-RAT Redirection）などの理由（cause）による基地局開始（eNB-initiated）
−例えば、認証失敗（authentication failure）、デタッチ（detach）、許容されないＣＳＧセル（例えば、現在用いられるＣＳＧセルのＣＳＧ ＩＤは満了するか、またはＣＳＧ加入データから除去される）などの理由（cause）によるＭＭＥ開始（MME-initiated）
【０２６５】
図１５は、本発明が適用できる無線通信システムにおけるＳ１解除手続を例示する図である。
【０２６６】
図１５では、基地局開始（eNB-initiated）及びＭＭＥ開始（MME-initiated）Ｓ１解除手続を全て例示する。
【０２６７】
１ａ．特定ケースで基地局はＭＭＥにＳ１コンテクスト（S1 context）の解除を要求する前、または要求と共に端末のシグナリング連結を解除することができる（例えば、基地局がリダイレクションによりＣＳフォールバック（fallback）のためのＲＲＣ連結解除（RRC Connection Release）を開始する場合など）。
【０２６８】
１ｂ．基地局が端末のシグナリング連結と該当端末のための全ての無線ベアラーが解除される必要があることを検出すれば、基地局はＳ１端末コンテクスト解除要求（S1 UE Context Release Request）（原因（cause））メッセージをＭＭＥに転送する。
【０２６９】
ここで、原因（cause）は解除の理由を指示する（例えば、Ｑ＆Ｍ調整（Ｑ＆Ｍ Intervention）、不明確な失敗（Unspecified Failure）、ユーザ非活動性（User Inactivity）、反復された完全性チェック失敗（Repeated Integrity Check Failure）、または端末により生成されたシグナリング連結解除による解除（Release due to UE generated signalling connection release））。
【０２７０】
ここで、１ステップは基地局開始（eNB-initiated）Ｓ１解除手続が考慮される場合のみに遂行される。ＭＭＥ開始（MME-initiated）Ｓ１解除手続が考慮される時、１ステップは遂行されず、２ステップから手続が始まる。
【０２７１】
２．ＭＭＥはＳ−ＧＷに端末のための全てのＳ１−Ｕベアラーの解除を要求するためにアクセスベアラー解除要求（Release Access Bearers Request）（無線リンクの異常な解除指示（Abnormal Release of Radio Link Indication））メッセージをＳ−ＧＷに転送する。このメッセージは、基地局からのＳ１解除要求（S1 Release Request）メッセージ、または更に他のＭＭＥイベントによりトリガーされる。無線リンクの異常な解除指示は、Ｓ１解除手続が無線リンクの異常な解除による場合に含まれる。
【０２７２】
３．Ｓ−ＧＷは、全ての基地局関連情報（アドレス（address）及びトンネル終端点識別子（ＴＥＩＤ：Tunnel End Point Identifier））を解除し、ＭＭＥにアクセスベアラー解除応答（Release Access Bearers Response）メッセージとして応答する。端末のＳ−ＧＷコンテクストの他の要素は影響を受けない。
【０２７３】
Ｓ−ＧＷは、Ｓ−ＧＷが端末のベアラーのために割り当てたＳ１−Ｕ設定を維持する。
【０２７４】
Ｓ−ＧＷは、端末のためにダウンリンクパケットが到着すれば、端末のために受信したダウンリンクパケットをバッファリングし始めて、ネットワークトリガーサービス要求手続（Network-triggered Service Request procedure）を開始する。
【０２７５】
運営者ポリシーに基づいてＳ−ＧＷは受信した無線リンクの異常な解除の指示を用いてＰＤＮ課金中断をトリガーするための次の（subsequent）決定をするために使用できる。
【０２７６】
４．ＭＭＥはＳ１端末コンテクスト解除命令（S1 UE Context Release Command）（原因（cause））メッセージを基地局に転送することによってＳ１を解除する。
【０２７７】
５．ＲＲＣ連結が未だ解除されていなければ、基地局は確認モード（ＡＭ）でＲＲＣ連結解除（RRC Connection Release）メッセージを端末に転送する。端末によりＲＲＣ連結解除（RRC Connection Release）メッセージが受信応答されれば、基地局は端末のコンテクストを削除する。
【０２７８】
６．基地局は、Ｓ１端末コンテクスト解除完了（S1 UE Context Release Complete）（ＥＣＧＩ、ＴＡＩ）メッセージをＭＭＥに返信することによってＳ１解除を確認する。これと共に、該当端末のためのＭＭＥと基地局との間のシグナリング連結は解除される。このステップは、例えば、端末がＲＲＣ連結解除（RRC Connection Release）の受信応答をしない状況で遅延されないために、４ステップの以後に直ちに遂行される。
【０２７９】
ＭＭＥは、端末のＭＭＥコンテクストで基地局関連情報（“Ｓ１−ＭＭＥのために使われた基地局アドレス（eNodeB Address in Use for S1-MME）”、“MME UE S1AP ID” and“eNB UE S1AP ID”）を削除する。しかしながら、ＭＭＥはＳ−ＧＷのＳ１−Ｕ設定情報（アドレス（address）及びＴＥＩＤ）を含んだ端末のＭＭＥコンテクストの残りの情報を維持する。該当端末のために確立された全ての保証されないビット率（non-GBR）ＥＰＳベアラーは、ＭＭＥとＳ−ＧＷ内で格納（preserve）される。
【０２８０】
Ｓ１解除の原因がユーザ非活動性（User Inactivity）、ＲＡＴ間リダイレクション（Inter-RAT Redirection）であれば、ＭＭＥはＧＢＲベアラーを格納（preserve）する。Ｓ１解除の原因がＣＳフォールバックトリガー（CS Fallback triggered）であれば、ベアラーハンドリングのための手続が遂行できる。そうでない場合（例えば、端末と無線連結が切れた場合、Ｓ１シグナリング連結が切れた場合、基地局失敗など）、ＭＭＥはＳ１解除手続が完了した後、端末のＧＢＲベアラーのためのＭＭＥ開始専用ベアラー不活性化手続（MME Initiated Dedicated Bearer Deactivation procedure）をトリガーする。
【０２８１】
地域ＩＰアドレス（ＬＩＰＡ：Local IP Access）がＰＤＮ連結のために活性化されれば、ホームｅＮＢ（HｅＮＢ：Home eNB）は共同地域ゲートウェイ（collocated L-GW（Local Gateway））にHｅＮＢへの直接ユーザプレーン経路（directuser plane path）を解除するために内部シグナリングで知らせる。直接ユーザプレーン経路（direct user plane path）が解除された後、端末のためのダウンリンクパケットが到着すれば、Ｌ−ＧＷはＳ−ＧＷがネットワークトリガーサービス要求手続（Network-triggered Service Request procedure）を開始するように最初のパケットをＳ５トンネルを通じてＳ−ＧＷに伝達する。
【０２８２】
カバレッジ向上（Coverage Enhancement）内の端末のためのページング方法
現在低コストＭＴＣ（Low cost MTC）端末のためにカバレッジ向上（Coverage Enhancement）が論議されている。
【０２８３】
カバレッジ向上（Coverage Enhancement）をサポートする端末（例えば、Ｍ２Ｍ用の端末、低い複雑度端末（low complexity UE）、ＭＴＣ端末など）が陰影地域（例えば、土中埋設、地下など）に位置するか、またはセルエッジ（Cell edge）に位置する場合を考慮して、該当端末が必要とするカバレッジ向上レベル（CE level：Coverage Enhancement level）（例えば、０ｄＢ、６ｄＢ、１２ｄＢ、１８ｄＢ）によって基地局で同一なデータ（あるいは、信号／チャンネル）を繰り返して転送するなど、該当CE levelで端末が正常にデータ受信が可能であるようにサポートする動作を意味する。即ち、向上したカバレッジ（enhanced coverage）内の端末とは、セルにアクセスするために向上したカバレッジ機能（enhanced coverage functionality）の使用が要求される端末を意味する。
【０２８４】
セルのシステム情報（例えば、マスター情報ブロック（ＭＩＢ：Master Information Block）など）で向上したカバレッジ（enhanced coverage）内の端末のアクセスがサポートされると指示する場合のみに、端末は向上したカバレッジ機能（enhanced coverage functionality）を使用してセルにアクセスすることもできる。そうでない場合、端末はセルのアクセスが禁止（barred）されたと判断することもできる。
【０２８５】
向上したカバレッジ（enhanced coverage）内の端末は一般的な端末と比較して互いに異なる時間／周波数資源を用いて転送されたシステム情報ブロック（ＳＩＢ：System Information Block）を受信する。向上したカバレッジ（enhanced coverage）内の端末はブロードキャスト（broadcast）及びユニキャスト（unicast）のために制限された転送ブロックサイズ（ＴＢＳ：Transport Block Size）（例えば、１０００ビット）を有することもできる。向上したカバレッジ（enhanced coverage）内の端末は、マスター情報ブロック（ＭＩＢ：Master Information Block）内の情報に基づいて進歩したカバレッジ（enhanced coverage）内の端末のために特定されたＳＩＢ １に対するスケジューリング情報を決定する。他のＳＩＢに対するスケジューリング情報は、向上したカバレッジ（enhanced coverage）内の端末のために特定されたＳＩＢ １内で与えられる。向上したカバレッジ（enhanced coverage）内の端末のためのＢＣＣＨ修正周期は、ＳＩＢ２内で提供されたＢＣＣＨ修正周期の倍数に該当されることもできる。システム情報（ＳＩ：System Information）ウィンドウ（window）内のＳＩＢ転送時点（occasion）は、向上したカバレッジ（enhanced coverage）内の端末のために特定されたＳＩＢ １内で提供される。向上したカバレッジ（enhanced coverage）内の端末は、ＳＩウィンドウ内でＳＩメッセージを獲得することもできる。ＳＩウィンドウ内の獲得できるＳＩメッセージの最大回数（例えば、４）は固定されることもできる。
【０２８６】
向上したカバレッジ（enhanced coverage）機能をサポートする端末は、必要な場合、一般カバレッジ（norma lcoverage）内にある時、レガシーシステム情報を使用または獲得することもできる。向上したカバレッジ（enhanced coverage）内の端末はRRC_CONNECTED状態にある時、ＳＩＢの変更を検出することが要求されない。RRC_IDLE状態である端末は、ネットワークにCE levelの変更を知らせない。
【０２８７】
図１６は、本発明が適用できる無線通信システムにおけるカバレッジ向上（Coverage Enhancement）動作を例示する図である。
【０２８８】
図１６を参照すると、単一のデータ（または、信号／チャンネル）（１６０１）を４回繰り返して転送（１６０２）することで、該当データ（または、信号／チャンネル）に対する受信端の受信利得（gain）を向上させる場合を例示する。
【０２８９】
即ち、図１６のように同一データ（または、信号／チャンネル）を多数回繰り返して送信することによって、陰影地域にある端末は反復的に受信したデータをアグリゲーション（aggregation）することができ、これによって陰影地域に位置した端末の正常なデータ送信が可能であるようにする。
【０２９０】
ここで、単一のデータ（または、信号／チャンネル）の一例に、任意接続プリアンブル（random access preamble）、任意接続応答（random access response）、ページングメッセージ（paging message）、（Ｅ）ＰＤＣＣＨ、ＰＵＳＣＨ、ＰＤＳＣＨなどが該当することもできる。
【０２９１】
CE level（または、ＣＥモード）は、正常なアップリンク及び／又はダウンリンクの送受信のために基地局／端末が特定単一のデータ（または、信号／チャンネル）（１６０１）転送の反復を要求されるか否かにより定義できる。
【０２９２】
例えば、CE level ０は反復が必要でないことを指示することができる。そして、CE level １は反復が必要であることを指示することができる。
【０２９３】
また、CE levelは正常なアップリンク及び／又はダウンリンクの送受信のために要求される特定単一のデータ（または、信号／チャンネル）（１６０１）転送の反復回数（または、反復のサイズ、例えば、資源ブロックまたはサブフレーム）により定義できる。
【０２９４】
例えば、CE level ０は反復が必要でないことを指示することができる。そして、CE level １は反復が一定回数（または、一定サイズ）だけ必要であることを指示することができる。そして、CE level ２はCE level １で必要とするものより多い反復回数（または、反復サイズ）が必要であることを指示することができる。
【０２９５】
CE levelに従う単一のデータ（または、信号／チャンネル）（１６０１）転送の反復回数は、基地局別に定めることもできる。
【０２９６】
CE levelは、Ｎ個のレベルに予め定義されることもできる。そして、各CE level別に単一のデータ（または、信号／チャンネル）（１６０１）の反復回数（または、反復サイズ）が決定（または、予め定義）できる。
【０２９７】
また、各CE level別に単一のデータ（または、信号／チャンネル）（１６０１）の最大反復回数（または、最大反復サイズ）が決定（または、予め定義）されることもできる。この場合、基地局は最大反復回数（または、最大反復サイズ）内で実際反復回数（または、反復サイズ）を決定することもできる。
【０２９８】
この際、CE levelの単位にｄＢが使われることもできる（例えば、０ｄＢ、６ｄＢ、１２ｄＢ、１８ｄＢなど）。
【０２９９】
例えば、仮にカバレッジ向上（Coverage Enhancement）が０ｄＢ、６ｄＢ、１２ｄＢ、１８ｄＢの４個のCE levelとして定義される場合、CE level ０ｄＢの場合、単一のデータ（または、信号／チャンネル）を１回転送し（即ち、反復無し）、CE level ６ｄＢの場合、単一のデータ（または、信号／チャンネル）を一定回数（または、一定サイズ）だけ繰り返して転送し、CE level １２ｄＢの場合、単一のデータ（または、信号／チャンネル）をCE level ６ｄＢで必要とするものより多い反復回数（または、反復サイズ）だけ繰り返して転送し、CE level １８ｄＢの場合、単一のデータ（または、信号／チャンネル）をCE level １２ｄＢで必要とするものより多い反復回数（または、反復サイズ）だけ繰り返して転送することもできる。
【０３００】
端末がカバレッジ向上（Coverage enhancement）を必要とする場合、基地局はこれを認知し、端末が必要とするCE levelに合うようにダウンリンクデータ（または、信号／チャンネル）を送信できなければならない。
【０３０１】
前記の例のように、仮にカバレッジ向上（Coverage Enhancement）が０ｄＢ、６ｄＢ、１２ｄＢ、１８ｄＢの４個のlevelに定義される場合、基地局は端末が必要とするカバレッジ向上（Coverage enhancement）と一致するフォーマット（即ち、端末のCE levelに該当する反復回数（または、反復サイズ））にダウンリンクデータを転送することが最も効率的である。
【０３０２】
例えば、カバレッジ向上（Coverage enhancement）を必要としない（即ち、前記の例でCE levelが０ｄＢの場合）端末に６ｄＢ、１２ｄＢ、１８ｄＢなどのカバレッジ向上（Coverage enhancement）を適用してダウンリンクデータを送信する場合、基地局は反復転送によって、より多い無線資源を使用しなければならない。また、端末は不要なダウンリンクデータの重複受信及びデコーディング（Decoding）による非効率的な電力消費が予想される。
【０３０３】
一方、端末のCE levelより低いフォーマット（即ち、少ない反復回数）（例えば、カバレッジ向上（Coverage enhancement）が１２ｄＢであるが、基地局が０ｄＢあるいは６ｄＢで送信する場合）によりダウンリンクデータを送信する場合、端末にダウンリンクデータの送信失敗が予想される。
【０３０４】
特に、ページング手続は端末がアイドルモードで遂行される動作であるので、基地局はＭＭＥで受信したＳ１ＡＰページングメッセージを端末に単純に伝達（Forwarding）するため、基地局の立場では個別端末の物理的な特性を考慮して送信できない。
【０３０５】
端末の加入情報（例えば、ＨＬＲ／ＨＳＳに格納された加入者情報（Subscription information））を通じて該当端末がリリース（Ｒｅｌ）−１３低い複雑度端末（low complexity UE）（例えば、ＭＴＣ端末など）であるか否かは、ＭＭＥがＳ１ＡＰページングメッセージ転送時、基地局に知らせることもできる。但し、この情報は静的（Static）な情報であるので、基地局は該当端末がリアルタイムにカバレッジ向上（Coverage Enhancement）が必要か否か及び正確なCE levelに対しては認知が不可能である。この場合、最も大きいCE levelのカバレッジ向上（Coverage Enhancement）を考慮して基地局がＲＲＣページングメッセージを転送（即ち、最大反復回数だけＲＲＣページングメッセージ転送）することができるが、これは不要な無線資源の消費を引き起こすこともできる。
【０３０６】
これによって、本発明ではカバレッジ向上（Coverage Enhancement）をサポートする（あるいは、カバレッジ向上（Coverage Enhancement）が適用される）端末のページングの受信効率を高めて、基地局で不要な無線資源の消費を減らすための方法を提案する。
【０３０７】
より詳しくは、基地局が端末のCE levelによってＲＲＣページングメッセージを転送できるように、ＭＭＥがページング手続中にページング転送回数及び／又は端末のCE level情報を基地局に提供する方法を提案する。また、基地局はＭＭＥから受信したページング転送回数及び／又は端末のCE level情報に基づいて決定されたCE levelによってページングを端末に転送する方法を提案する。
【０３０８】
以下、本発明の説明において、CE levelを高める（ramping-up）という意味は、CE level値自体を高めるという意味として解釈（解析）されることもできるが、またCE level値自体よりは端末でページングの受信利得（gain）を高めるためにCE levelに従うページングメッセージの反復回数を高めるという意味として解釈されることもできる。
【０３０９】
端末の初期CE level値決定方法
各カバレッジ向上レベル（CE level：coverage enhancement level）と関連したＰＲＡＣＨ資源のセット（例えば、時間資源、周波数資源、プリアンブル）（即ち、ＰＲＡＣＨ設定（PRACH configuration））がＳＩＢ内で提供される。また、ＰＲＡＣＨ反復の回数、CE level当たり最大プリアンブル転送試行（試み）回数は、ＳＩＢ内で提供される。
【０３１０】
端末は、ＳＩＢを読み取ってＰＲＡＣＨ資源情報を読み取って、自身の受信感度（例えば、ＲＳＲＰなど）に適切なCE levelに合うＰＲＡＣＨ資源（例えば、時間資源、周波数資源、プリアンブル）を選択することもできる。即ち、端末により端末の初期CE levelが選択される。
【０３１１】
そして、端末は選択されたＰＲＡＣＨ資源を用いて基地局にＰＲＡＣＨを送信する。これによって、基地局はＰＲＡＣＨ設定によって該当端末の初期CE levelを知ることもできる。
【０３１２】
以後、仮に端末が初めて試みたCE levelに該当するＰＲＡＣＨに対して応答を受けることができなければ、次に高い（あるいは、低い）CE levelにＰＲＡＣＨを転送する。
【０３１３】
同一なCE level内の端末は同一なCE levelと関連したランダムアクセス資源（random access resource）を使用する。向上したカバレッジ（enhanced coverage）内の端末のためのランダムアクセス応答（random access response）メッセージの時間／周波数資源及び反復因子（repetition factor）は使われたＰＲＡＣＨ資源から導出される。
【０３１４】
以後、端末が基地局と連結を結ばれた後、端末の移動によって端末のCE levelは変化することができ、端末のCE levelの変化により基地局が端末のCE levelを決定することもできる。そして、基地局はＤＣＩなどを通じてCE levelに従うデータ（または、信号／チャンネル）の反復回数などの情報を端末に知らせることもできる。
【０３１５】
Ｓ１解除（S1 release）手続
端末がIDLE（例えば、RRC_IDLE／ECM-IDLE）モードでCONNECTEDモード（例えば、RRC_CONNECTED／ECM-CONNECTED）に転換時、Ｓ１解除手続（s1 release procedure）中に端末のCE level値がＭＭＥに転送されることもできる。
【０３１６】
即ち、ページング受信効率を高めるために、基地局が端末のCE level値をＳ１解除時、ＭＭＥに知らせることもできる。例えば、基地局は端末が最近に正常に使用したCE levelをＭＭＥに提供し、ＭＭＥは端末のコンテクスト情報に基地局から受信したCE levelを格納していて該当端末に対するＳ１ＡＰページングメッセージ（または、ページング要求）転送時、格納されたCE levelを含めて基地局に転送することもできる。これに対して以下の図面を参照して説明する。
【０３１７】
図１７は、本発明の一実施形態に係るページング手続でカバレッジ向上レベル（Coverage enhancement level）を決定するためのＳ１解除手続を例示する図である。
【０３１８】
本発明に従うＳ１解除手続（S1 Release procedure）は、先の図１５に従う説明のように、基地局開始（eNB-initiated）及びＭＭＥ開始（MME-initiated）Ｓ１解除手続を全て含む。また、Ｓ１解除手続（S1 Release procedure）を説明するに当たって、以下の説明の便宜のために先の図１５の例示と差がある部分を主に説明する。
【０３１９】
図１７を参照すると、基地局（ｅＮＢ）はＭＭＥに（Ｓ１−ＡＰプロトコルを通じて）端末コンテクスト解除要求（UE Context Release Request）メッセージを転送する（Ｓ１７０１）。
【０３２０】
端末コンテクスト解除要求（UE Context Release Request）メッセージは、Ｓ１インターフェースを介して端末に関連した（UE-associated）Ｓ１−論理連結（S1-logical connection）の解除を要求するために基地局により転送されるメッセージである。
【０３２１】
前述したように、基地局（ｅＮＢ）はＭＭＥに端末コンテクスト解除要求（UE Context Release Request）メッセージを転送する前、または転送と共に端末のシグナリング連結を解除するために端末にＲＲＣ連結解除（RRC Connection Release）メッセージを転送することもできる。即ち、ステップＳ１７０３はステップＳ１７０１以前に、あるいはステップＳ１７０１と一緒に遂行されることもできる。
【０３２２】
また、前述したように、ステップＳ１７０１は基地局開始（eNB-initiated）Ｓ１解除手続が考慮される場合のみに遂行され、ＭＭＥ開始（MME-initiated）Ｓ１解除手続が遂行される場合、ステップＳ１７０１は遂行されないこともある。
【０３２３】
ＭＭＥは、基地局に（Ｓ１−ＡＰプロトコルを通じて）端末コンテクスト解除命令（UE Context Release Command）メッセージを転送する。
【０３２４】
ＲＲＣ連結が未だ解除されていなければ（即ち、ステップＳ１７０１以前、あるいはステップＳ１７０１と一緒に遂行されない場合）、基地局は端末（ＵＥ）にＲＲＣ連結解除（RRC Connection Release）メッセージを転送することができる（Ｓ１７０３）。
【０３２５】
基地局は、端末コンテクスト解除命令（UE Context Release Command）メッセージに対する応答として（Ｓ１−ＡＰプロトコルを通じて）ＭＭＥに端末コンテクスト解除完了（UE Context Release Complete）メッセージを転送する（Ｓ１７０４）。
【０３２６】
端末コンテクスト解除命令（UE Context Release Command）メッセージは、Ｓ１インターフェースを介して端末に関連した（UE-associated）Ｓ１−論理連結（S1-logical connection）の解除を確認（confirm）するために基地局により転送されるメッセージである。
【０３２７】
ここで、端末コンテクスト解除完了（UE Context Release Complete）メッセージはCE level情報を含むこともできる。
【０３２８】
この際、端末コンテクスト解除完了（UE Context Release Complete）はCE level及びセルＩＤ（例えば、ＥＣＧＩ）を含むこともできる。即ち、基地局は各セル別にCE levelをＭＭＥに伝達することもできる。
【０３２９】
例えば、基地局またはＭＭＥがＳ１解除手続（s1 release procedure）を始める場合、端末のCE levelはＳ１−ＡＰ端末コンテクスト解除完了（UE Context Release Complete）メッセージ（即ち、ステップＳ１７０４）に含まれてＭＭＥに転送されることもできる。
【０３３０】
更に他の一例として、基地局がＳ１解除手続（s1 release procedure）を始める場合、端末のCE levelはＳ１−ＡＰ端末コンテクスト解除要求（UE Context Release Request）メッセージ（即ち、ステップＳ１７０１）に含まれてＭＭＥに転送されることもできる。
【０３３１】
ここで、端末がCONNECTEDモードで端末のCE levelは続けて変化できるので、ＭＭＥに転送されるCE levelはＳ１解除（S1 release）手続以前に最近に使用したCE levelが該当されることもできる。これは、端末のCONNECTEDモードで最後に使われたCE levelまたは端末のCONNECTEDモードからIDLEモードに転換する前、最近に使用したCE levelと解釈されることもできる。また、端末／基地局は特定CE levelを用いてアップリンク／ダウンリンクデータを転送し、これに対する応答を受信できない場合、CE levelを高めて（ramping）アップリンク／ダウンリンクデータを再転送するようになるので、最近に正常に使用した端末CE levelと解釈されることもできる。
【０３３２】
即ち、基地局は端末のCE levelをＳ１解除時、ＭＭＥに伝達し、ＭＭＥは該当端末に対するページング時、ｅＮＢで該当CE level（即ち、Ｓ１解除時、受信したCE level）を使用するように、これをまた知らせることもできる。また、端末コンテクスト解除完了（UE Context Release Complete）メッセージ（または、端末コンテクスト解除要求（UE Context Release Request）メッセージ）がCE levelと共にセルＩＤ（例えば、ＥＣＧＩ）も含む場合、ＭＭＥはセルＩＤ（例えば、ＥＣＧＩ）も共に格納して、該当セルにページング送信時、CE levelを基地局に伝達することもできる。
【０３３３】
＜表７＞は、端末コンテクスト解除要求（UE Context Release Request）メッセージを例示する。
【０３３４】
【表７】
2018505595.tif 000011
【０３３５】
＜表７＞を参照すると、メッセージタイプ（Message Type）ＩＥは転送されるメッセージを固有に識別する。
【０３３６】
ＭＭＥ端末Ｓ１ＡＰ識別子（ＭＭＥ ＵＥ Ｓ１ＡＰ ＩＤ）ＩＥは、ＭＭＥ内でＳ１インターフェースを介した端末関連（UE association）を識別する。
【０３３７】
基地局端末Ｓ１ＡＰ識別子（ｅＮＢ ＵＥ Ｓ１ＡＰ ＩＤ）ＩＥは、基地局内でＳ１インターフェースを介した端末関連（UE association）を識別する。
【０３３８】
原因（Cause）ＩＥは、Ｓ１ＡＰプロトコルのための特定イベントに対する原因を指示する。即ち、端末コンテクスト解除要求（UE Context Release Request）メッセージの転送に対する原因を指示する。
【０３３９】
ゲートウェイコンテクスト解除指示（GW Context Release Indication）ＩＥは、ＭＭＥがシグナリングされたＳ１端末コンテクスト（S1 UE context）と関連した如何なる資源を解除できるかに対する指示を提供するために基地局によりセッティングされる。
【０３４０】
端末カバレッジ向上レベル（UE Coverage Enhancement level）ＩＥは、端末のCE levelを指示する。
【０３４１】
端末カバレッジ向上レベル（UE Coverage Enhancement level）ＩＥが端末コンテクスト解除要求（UE Context Release Request）メッセージに含まれた場合、これはＳ１解除（S1 release）手続以前に最近に使用したCE levelが該当されることもできる。
【０３４２】
＜表８＞は、端末カバレッジ向上レベル（UE Coverage Enhancement level）ＩＥを例示する。
【０３４３】
【表８】
2018505595.tif 000012
【０３４４】
＜表８＞を参照すると、端末カバレッジ向上レベル（UE Coverage Enhancement level）ＩＥは、端末のCE levelを指示する。
【０３４５】
端末カバレッジ向上レベル（UE Coverage Enhancement level）ＩＥは、列挙データ（ENUMERATED）タイプ（CE level１、CE level２、CE level３、．．．）で構成されることもできる。そして、端末カバレッジ向上レベル（UE Coverage Enhancement level）ＩＥは、予め定義（または、設定）されたＮ個のCE levelのうち、いずれか一つを指示することもできる。例えば、CE level１、CE level２、CE level３、．．．のうち、いずれか一つを指示することもできる。
【０３４６】
＜表９＞は、端末コンテクスト解除完了（UE Context Release Complete）メッセージを例示する。
【０３４７】
【表９】
2018505595.tif 000013
【０３４８】
＜表９＞で、Message Type ＩＥ、ＭＭＥ ＵＥ Ｓ１ＡＰ ＩＤ ＩＥ、ｅＮＢ ＵＥ Ｓ１ＡＰ ＩＤ ＩＥに対する説明は＜表７＞と同一であるので、説明を省略する。
【０３４９】
＜表９＞を参照すると、臨界診断（Criticality Diagnostics）ＩＥは、受信されたメッセージの一部が解釈されないか（comprehended）、または損失している場合、あるいはメッセージが論理的エラーを含んだ場合、基地局またはＭＭＥにより転送される。このＩＥが適用される時、このＩＥは如何なるＩＥが解釈されないか（comprehended）、または損失しているかの情報を含む。
【０３５０】
ユーザ位置情報（User Location Information）ＩＥは、端末の位置情報を提供する。
【０３５１】
端末カバレッジ向上レベル（UE Coverage Enhancement level）ＩＥは、端末のCE levelを指示する。
【０３５２】
端末カバレッジ向上レベル（UE Coverage Enhancement level）ＩＥが端末コンテクスト解除完了（UE Context Release Complete）メッセージに含まれた場合、これはＳ１解除（S1 release）手続以前に最近に使用したCE levelが該当されることもできる。
【０３５３】
この際、端末カバレッジ向上レベル（UE Coverage Enhancement level）ＩＥは、先の＜表８＞のように予め定義（または、設定）されたＮ個のCE levelのうち、いずれか一つを指示することもできる。
【０３５４】
一方、ＭＭＥは基地局から端末コンテクスト解除完了（UE Context Release Complete）メッセージ（または、端末コンテクスト解除要求（UE Context Release Request））を通じて受信したCE levelを格納し、次のページングのためにCE levelを使用することもできる。この際、ＭＭＥは端末コンテクスト情報にCE level格納時、セル識別子（例えば、ＥＣＧＩ）も共に格納して、該当セルにページング転送時、CE levelを伝達することを判断することもできる。
【０３５５】
ページング方法
ＭＭＥは前述したＳ１解除手続（S1 Release procedure）を通じて基地局から受信したCE levelを端末のコンテクスト情報に格納する。そして、ＭＭＥは該当端末に対するＳ１ＡＰページングメッセージ転送時、ページング転送効率を高めるために、Ｓ１ＡＰページングメッセージに該当端末に対するページング回数（paging count）及び／又はCE levelを含めて転送することもできる。これに対し、以下の図面を参照して説明する。
【０３５６】
図１８は、本発明の一実施形態に係るページング転送方法を例示する図である。
【０３５７】
図１８を参照すると、ＭＭＥはＳ１ＡＰページングメッセージ（または、ページング要求）を基地局に転送する（Ｓ１８０１）。
【０３５８】
ここで、Ｓ１ＡＰページングメッセージ（または、ページング要求）は端末のCE level、ページング転送回数（または、ページング試行回数（Paging Attempt Count）及び／又はセル識別子（Cell ID：Cell Identity）（例えば、ＥＣＧＩなど）を含むこともできる。
【０３５９】
１）本発明の一実施形態によれば、Ｓ１ＡＰページングメッセージ（または、ページング要求）は、CE levelを含むこともできる。即ち、ＭＭＥが基地局にページング送信時、基地局が適用しなければならないCE levelを指示する。
【０３６０】
この際、ＭＭＥはページング再転送時、以前のCE levelよりCE levelを高めて（即ち、ランピングアップ（Ramping-up））再転送することもできる。即ち、ＭＭＥはページング再転送時、Ｓ１ＡＰページングメッセージ（または、ページング要求）に以前のＳ１ＡＰページングメッセージ（または、ページング要求）に含まれたCE levelより高いCE levelを含めて基地局に転送することもできる。
【０３６１】
例えば、ＭＭＥは同一端末に対して２番目のＳ１ＡＰページングメッセージ（または、ページング要求）を転送する時、最初のＳ１ＡＰページングメッセージ（または、ページング要求）で転送したCE levelより高めた（Ramping-up）CE levelをＳ１ＡＰページングメッセージ（または、ページング要求）に含めて基地局に転送することもできる。また、同様に、同一端末に対して３番目のＳ１ＡＰページングメッセージ（または、ページング要求）を転送する時、２番目のＳ１ＡＰページングメッセージ（または、ページング要求）で転送したCE levelより高めた（Ramping-up）CE levelをＳ１ＡＰページングメッセージ（または、ページング要求）に含めて基地局に転送することもできる。
【０３６２】
即ち、ページング再転送の有無はＭＭＥ端で判断することができるので、ＭＭＥはページング再転送時、CE levelを以前の値より高めて（Ramping-up）転送するなどの方法を使用することもできる。
【０３６３】
この際、ＭＭＥは端末のコンテクスト情報に基地局から受信したCE levelを格納していて該当端末のページング送信時、Ｓ１ＡＰページングメッセージにCE levelを含んで転送することもできる。そして、ページング再転送時、既に格納されたCE levelを基本値にランピングアップ（Ramping-up）して使用することもできる。即ち、Ｓ１ＡＰページングメッセージに含まれるCE levelは端末が最後に連結された基地局から（Ｓ１解除手続（S1 Release procedure）中にＳ１端末コンテクスト解除完了（S1 UE Context Release Complete）メッセージを通じて）受信したCE levelでありうる。言い換えると、ＭＭＥは特定端末に対するＳ１解除手続中に基地局から受信したCE levelを格納し、該当端末に対して最初のＳ１ＡＰページングメッセージ（または、ページング要求）に前記格納されたCE levelを含めて基地局に転送することもできる。そして、該当端末に対してＳ１ＡＰページングメッセージ（または、ページング要求）の再転送時、前述したように、以前のCE levelよりランピングアップ（ramping-up）されたCE levelを含めて転送することもできる。
【０３６４】
一方、基地局がCE levelをＭＭＥに提供しない場合、CE levelは予め決定されたCE level値（例えば、最も低いCE levelまたは最高値または中間（medium）値または平均（average）値）から始まることもできる。即ち、ＭＭＥは特定端末に対する最初のＳ１ＡＰページングメッセージを転送する時、全体Ｎ個のCE levelが予め定義（または、設定）された場合、予め決定されたCE level値をＳ１ＡＰページングメッセージに含めて転送することもできる。そして、ＭＭＥは該当端末に対するＳ１ＡＰページングメッセージを再転送する時、以前のCE levelよりランピングアップ（ramping-up）されたCE levelを含めて転送することもできる。
【０３６５】
一方、ＭＭＥは該当端末のCE levelを提供した基地局（または、セル）にページングを転送する場合のみに、Ｓ１ＡＰページングメッセージにCE levelを含めて転送することもできる。
【０３６６】
＜表１０＞は、本発明の一実施形態に係るＳ１ＡＰページングメッセージを例示する。
【０３６７】
【表１０】
2018505595.tif 000014
【０３６８】
＜表１０＞の説明において、先の＜表２＞と比較して差がある部分のみを主に説明し、同一な部分に対する説明は省略する。
【０３６９】
＜表１０＞を参照すると、Ｓ１ＡＰページングメッセージは、端末カバレッジ向上レベル（UE Coverage Enhancement level）ＩＥを含むこともできる。または、端末カバレッジ向上レベル（UE Coverage Enhancement level）ＩＥは、ページングのための端末無線能力（UE Radio Capability for Paging）ＩＥに含まれることもできる。
【０３７０】
＜表１１＞は、本発明の一実施形態に係る端末カバレッジ向上レベル（UE Coverage Enhancement level）ＩＥを例示する。
【０３７１】
【表１１】
2018505595.tif 000015
【０３７２】
＜表１１＞を参照すると、端末カバレッジ向上レベル（UE Coverage Enhancement level）ＩＥは、基地局によるページングのための端末カバレッジ向上レベル（CE level）（例えば、CE level １、CE level ２、CE level３、．．．）を指示することもできる。
【０３７３】
２）本発明の他の一実施形態によれば、Ｓ１ＡＰページングメッセージ（または、ページング要求）は、ページング転送回数（または、ページング試行回数（Paging Attempt Count））（例えば、１、２、３、．．．）を含むこともできる。即ち、ＭＭＥは基地局にＳ１ＡＰページングメッセージ転送時、Ｓ１ＡＰページングメッセージの転送回数（即ち、同一ページングに対するページング試行（trialまたはattempt）回数）を指示することもできる。
【０３７４】
例えば、ＭＭＥが特定端末に対する最初のＳ１ＡＰページングメッセージを転送する時、Ｓ１ＡＰページングメッセージに含まれたページング試行回数（Paging Attempt Count）（または、ページング転送回数）は１を指示することもできる。そして、ＭＭＥが該当端末に対する２番目のＳ１ＡＰページングメッセージを転送する時、Ｓ１ＡＰページングメッセージに含まれたページング試行回数（Paging Attempt Count）（または、ページング転送回数）は２を指示することもできる。
【０３７５】
＜表１２＞は、本発明の一実施形態に係るＳ１ＡＰページングメッセージを例示する。
【０３７６】
【表１２】
2018505595.tif 000016
【０３７７】
＜表１２＞の説明において、先の＜表２＞と比較して差がある部分のみを主に説明し、同一な部分に対する説明は省略する。
【０３７８】
＜表１２＞を参照すると、Ｓ１ＡＰページングメッセージはページング回数（Paging Count）（または、ページング試行回数（Paging Attempt Count））ＩＥを含むこともできる。
【０３７９】
＜表１３＞は、本発明の一実施形態に係るページング回数（Paging Count）ＩＥを例示する。
【０３８０】
【表１３】
2018505595.tif 000017
【０３８１】
＜表１３＞を参照すると、ページング回数（Paging Count）ＩＥはページング再転送試行（trialまたはattempt）の回数（０、１、２、３、．．．）を指示する。
【０３８２】
３）個別端末はそれぞれ異なるCE levelを有することができるので、同一なページングポリシー（paging policy）（即ち、ページング反復転送）を全ての端末に適用することはページング受信効率及びページング資源観点から非常に非効率的でありうる。特に、端末の送信呼の場合、端末が自身の測定したＲＳＲＰに従う適切なCE levelをｅＮＢに知らせて、ｅＮＢはそれに適合したＲＡＣＨ手続を選択して動作することができる。但し、手信号（例えば、ページング送受信）の場合、ｅＮＢは該当端末のCE levelが分からないので、端末に最適化されたCE levelを使用してページング送信が不可能する。ここに、Ｓ１解除時、基地局はＭＭＥに端末のCE levelを知らせて、ページング時、ＭＭＥはこれをまたｅＮＢに知らせて基地局は端末に適合したCE levelを用いてページング送信が可能である。
【０３８３】
しかしながら、端末はIDLE区間中にも移動が可能であり、端末の移動性によってCE level変更も可能である。この際、ＭＭＥにIDLE区間中、端末のCE level変更が通知されないので、ＭＭＥは変更前CE levelを含んでＳ１ＡＰページングメッセージをｅＮＢに転送することができる。ここに、ｅＮＢは端末に適合しないCE levelを用いてＲＲＣページングメッセージを端末に送信するようになる。この場合、端末がIDLE区間中、移動によって、より高いCE levelが必要な個所に移動した場合、低いページング反復によりページング失敗が発生することがある。ｅＮＢが個別端末に対するページング送信に対する履歴（history）を管理しなければ、ｅＮＢは該当端末に対するページングの再転送の有無を認知できなくなる。結局、CE levelを高めて送信するなどの適合した措置をすることができなくなって、反復的なページング失敗が続けて発生する。
【０３８４】
ここに、ＭＭＥがｅＮＢにページング再転送回数（Paging attempt count）を認知するようにして、ｅＮＢが該当端末に対するCE levelが不適当であることを判断できるようにする。ここに、ｅＮＢが自体的にCE levelを調整（rampingup）できるようにして、即ち、ページング試行回数（Paging attempt count）が増加する時、CE levelやはり増加するようにして、ページング失敗の確率を減らす効果がある。
【０３８５】
したがって、本発明の他の一実施形態によれば、Ｓ１ＡＰページングメッセージ（または、ページング要求）は、CE levelと共にページング試行回数（Paging Attempt Count）（または、ページング転送回数）を含むこともできる。即ち、前述した１）実施形態及び２）実施形態と共に適用されることもできる。
【０３８６】
−ＭＭＥは最初のページング転送時、あるいはページング再転送に関わらず、Ｓ１ＡＰページングメッセージ（または、ページング要求）で同一なCE levelを指示することもできる。そして、Ｓ１ＡＰページングメッセージ（または、ページング要求）はページング転送回数（または、ページング試行回数（Paging Attempt Count））（例えば、１、２、３、．．．）を含むこともできる。
【０３８７】
この際、ＭＭＥは端末のコンテクスト情報に基地局から受信したCE levelを格納していて該当端末のページング送信時、Ｓ１ＡＰページングメッセージにCE levelを含んで転送することもできる。即ち、ＭＭＥは特定端末に対するＳ１解除手続中に基地局から受信したCE levelを格納し、該当端末に対してＳ１ＡＰページングメッセージ（または、ページング要求）に前記格納されたCE levelを含めて基地局に転送することもできる。言い換えると、Ｓ１ＡＰページングメッセージに含まれるCE levelは、端末が最後に連結された基地局から（Ｓ１解除手続（S1 Release procedure）中にＳ１端末コンテクスト解除完了（S1 UE Context Release Complete）メッセージを通じて）受信したCE levelでありうる。
【０３８８】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）が該当することもできる。即ち、ＭＭＥは特定端末に対するＳ１ＡＰページングメッセージを転送する時、ＭＭＥにより決定されたCE levelをＳ１ＡＰページングメッセージに含めて転送することもできる。
【０３８９】
−ＭＭＥはページング再転送時、以前のCE levelよりCE levelを高めて（Ramping-up）再転送することもできる。即ち、ＭＭＥは最初のＳ１ＡＰページングメッセージを転送する時、初期CE levelを含めて転送し、以後、同一端末に対してＳ１ＡＰページングメッセージを再転送する時、初期CE levelより高い（ramping-up）CE levelを含めて転送することもできる。そして、Ｓ１ＡＰページングメッセージ（または、ページング要求）はページング転送回数（または、ページング試行回数（Paging Attempt Count））（例えば、１、２、３、．．．）を含むこともできる。
【０３９０】
この際、ＭＭＥは端末のコンテクスト情報に基地局から受信したCE levelを格納していて該当端末のページング送信時、Ｓ１ＡＰページングメッセージにCE levelを含んで転送することもできる。そして、ページング再転送時、既に格納されたCE levelを基本値にランピングアップ（Ramping-up）して使用することもできる。言い換えると、ＭＭＥは特定端末に対するＳ１解除手続中に基地局から受信したCE levelを格納し、該当端末に対して最初のＳ１ＡＰページングメッセージ（または、ページング要求）に前記格納されたCE levelを含めて基地局に転送することもできる。そして、該当端末に対してＳ１ＡＰページングメッセージ（または、ページング要求）の再転送時、前述したように、以前のCE levelよりランピングアップ（ramping-up）されたCE levelを含めて転送することもできる。
【０３９１】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）から始まることもできる。即ち、ＭＭＥは特定端末に対する最初のＳ１ＡＰページングメッセージを転送する時、全体Ｎ個のCE levelが予め定義（または、設定）された場合、ＭＭＥにより決定されたCE level値をＳ１ＡＰページングメッセージに含めて転送することもできる。そして、ＭＭＥは該当端末に対するＳ１ＡＰページングメッセージを再転送する時、以前のCE levelよりランピングアップ（ramping-up）されたCE levelを含めて転送することもできる。
【０３９２】
一方、前述したように、ＭＭＥは該当端末のCE levelを提供した基地局（または、セル）にページングを転送する場合のみに、Ｓ１ＡＰページングメッセージにCE levelを含めて転送することもできる。即ち、Ｓ１解除時、該当端末のCE levelを提供した基地局以外の基地局にはCE level無しでページング転送回数（または、ページング試行回数）のみを転送することもできる。
【０３９３】
＜表１４＞は、本発明の一実施形態に係るＳ１ＡＰページングメッセージを例示する。
【０３９４】
【表１４】
2018505595.tif 000018
【０３９５】
＜表１４＞の説明において、先の＜表２＞と比較して差がある部分のみを主に説明し、同一な部分に対する説明は省略する。
【０３９６】
＜表１４＞を参照すると、Ｓ１ＡＰページングメッセージは端末カバレッジ向上レベル（UE Coverage Enhancement level）ＩＥ及びページング回数（Paging Count）（または、ページング試行回数（Paging Attempt Count））ＩＥを含むこともできる。または、端末カバレッジ向上レベル（UE Coverage Enhancement level）ＩＥは、ページングのための端末無線能力（UE Radio Capability for Paging）ＩＥに含まれることもできる。
【０３９７】
＜表１５＞は、本発明の一実施形態に係る端末カバレッジ向上レベル（UE Coverage Enhancement level）ＩＥを例示する。
【０３９８】
【表１５】
2018505595.tif 000019
【０３９９】
＜表１５＞を参照すると、端末カバレッジ向上レベル（UE Coverage Enhancement level）ＩＥは、基地局によるページングのための端末カバレッジ向上レベル（CE level）（例えば、CE level １、CE level ２、CE level３、．．．）を指示することもできる。
【０４００】
＜表１６＞は、本発明の一実施形態に係るページング回数（Paging Count）ＩＥを例示する。
【０４０１】
【表１６】
2018505595.tif 000020
【０４０２】
＜表１６＞を参照すると、ページング回数（Paging Count）ＩＥはページング再転送試行（trialまたはattempt）の回数（０、１、２、３、．．．）を指示する。
【０４０３】
４）本発明の他の一実施形態によれば、ＭＭＥが初めてページングメッセージを転送する場合、CE levelと共に最初のページング送信という指示を含めて転送し、２度目のページング送信からページング転送回数（例えば、２番目、３番目、．．．）のみを転送することもできる。
【０４０４】
即ち、最初のＳ１ＡＰページングメッセージ（または、ページング要求）はCE levelと共にページング転送回数（または、ページング試行回数（Paging Attempt Count））（例えば、１、２、３、．．．）を含むが、再転送されるＳ１ＡＰページングメッセージ（または、ページング要求）はページング転送回数（または、ページング試行回数（Paging Attempt Count））のみを含むこともできる。
【０４０５】
この際、ＭＭＥは端末のコンテクスト情報に基地局から受信したCE levelを格納していて該当端末のページング送信時、最初のＳ１ＡＰページングメッセージにCE levelを含んで転送することもできる。即ち、ＭＭＥは特定端末に対するＳ１解除手続中に基地局から受信したCE levelを格納し、該当端末に対する最初のＳ１ＡＰページングメッセージ（または、ページング要求）に前記格納されたCE levelを含めて基地局に転送することもできる。
【０４０６】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）が該当されることもできる。即ち、ＭＭＥは特定端末に対するＳ１ＡＰページングメッセージを転送する時、ＭＭＥにより決定されたCE levelを最初のＳ１ＡＰページングメッセージに含めて転送することもできる。
【０４０７】
一方、前述したように、ＭＭＥは該当端末のCE levelを提供した基地局（または、セル）にページングを転送する場合のみに、Ｓ１ＡＰページングメッセージにCE levelを含めて転送することもできる。即ち、Ｓ１解除時該当端末のCE levelを提供した基地局以外の基地局にはCE level無しでページング転送回数（または、ページング試行回数）のみを転送することもできる。
【０４０８】
本実施形態の場合、最初のＳ１ＡＰページングメッセージは先の＜表１４＞のように構成されることができ、以後、再転送されるＳ１ＡＰページングメッセージは先の＜表１２＞のように構成されることもできる。
【０４０９】
５）本発明の他の一実施形態によれば、先の１）〜４）のうち、いずれか一つの実施形態と共にＳ１ＡＰページングメッセージ（または、ページング要求）は、セル識別子（例えば、ＥＣＧＩなど）を含むこともできる。即ち、ＭＭＥは該当端末に対するCE levelが適用されるセル識別子（例えば、ＥＣＧＩなど）をＳ１ＡＰページングメッセージ（または、ページング要求）に含めて基地局に転送することもできる。
【０４１０】
図１９は、本発明の一実施形態に係るページング転送方法を例示する図である。
【０４１１】
図１９を参照すると、基地局はＭＭＥからＳ１ＡＰページングメッセージ（または、ページング要求）を受信する（Ｓ１９０１）。
【０４１２】
ここで、Ｓ１ＡＰページングメッセージ（または、ページング要求）は、端末のCE level、ページング転送回数（または、ページング試行回数（Paging Attempt Count）及び／又はセル識別子（例えば、ＥＣＧＩなど）を含むこともできる。
【０４１３】
基地局は、Ｓ１ＡＰページングメッセージ（または、ページング要求）に含まれたページング転送回数（または、ページング試行回数（Paging Attempt Count）及び／又は端末のCE levelに基づいて該当端末のCE levelを決定する（Ｓ１９０２）。
【０４１４】
そして、基地局は決定されたCE levelを適用して該当端末にＲＲＣページングメッセージ（または、ページング情報）を転送する（Ｓ１９０３）。
【０４１５】
即ち、基地局はＲＲＣページングメッセージを構成し（先の＜表３＞参照）、Ｐ−ＲＮＴＩにスクランブルされたＣＲＣが付着されたＤＣＩをＰＤＣＣＨから端末に転送し、ＲＲＣページングメッセージを前記ＰＤＣＣＨにより指示されるＰＤＳＣＨを介して端末に転送する。即ち、基地局はＰＣＣＨ論理チャンネル、ＰＣＨ転送チャンネル、ＰＤＳＣＨ物理チャンネルを介して端末にＲＲＣページングメッセージを伝達する。
【０４１６】
また、基地局はページングされた端末のＩＭＳＩ及びＤＲＸ値を用いて決定された該当ページングされた端末のページング時点（paging occasion）で該当端末にＲＲＣページングメッセージを転送することもできる。
【０４１７】
以下、基地局が端末のCE levelを決定する方法を先の図１８で説明した１）〜５）実施形態と関連して説明する。
【０４１８】
１）先の図１８の１）実施形態のように、Ｓ１ＡＰページングメッセージ（または、ページング要求）がCE levelを含む場合、基地局はＳ１ＡＰページングメッセージ（または、ページング要求）に含まれたCE levelに基づいて該当端末に対するCE levelを決定する。即ち、基地局はＭＭＥから受信したCE levelを適用してＲＲＣページングメッセージ（または、ページング情報）を端末に転送する。
【０４１９】
一方、基地局は自身がサービスすることができるCE levelより高いCE levelをＭＭＥから受信した場合、自身の最大CE levelを適用することもできる。
【０４２０】
２）先の図１８の２）実施形態のように、Ｓ１ＡＰページングメッセージ（または、ページング要求）がページング転送回数（または、ページング試行回数（Paging Attempt Count））（例えば、１、２、３、．．．）を含む場合、基地局はＳ１ＡＰページングメッセージ（または、ページング要求）に含まれたページング転送回数（または、ページング試行回数（Paging Attempt Count））に基づいてCE levelを決定する。
【０４２１】
この場合、基地局は受信したページング試行回数（Paging Attempt Count）（または、ページング転送回数）を用いて端末にＲＲＣページングメッセージ（または、ページング情報）転送時、多様な方法により該当端末にページングのためのCE levelを適用することもできる。この際、Ｓ１ＡＰページングメッセージにCE level無しでページング試行回数（Paging Attempt Count）（または、ページング転送回数）のみ含まれて転送される場合、各基地局別に初期CE levelが決定されることもできる。または、各基地局は自身がサービスする各セル別にページングのための初期CE levelを個別的に決定することもできる。
【０４２２】
例えば、基地局は全体Ｎ個のCE levelが予め定義（または、設定）された場合、予め定義（または、設定）されたＮ個のCE levelのうち、中間（medium）値または平均（average）値または最低値に初期CE levelを決定することもできる。
【０４２３】
また、基地局はページング資源（paging resource）及び／又はＲＲＣページングメッセージが転送される端末の数（即ち、ページングキュー（queue））などに基づいて（考慮して）初期CE levelを決定することもできる。
【０４２４】
より具体的に説明すると、前述したように、端末別に端末のＩＭＳＩ及びＤＲＸ値を用いてページング時点（paging occasion）が決定されることもできる。そして、基地局はページングされた端末のページング時点（paging occasion）で該当端末にＲＲＣページングメッセージを転送することもできる。しかしながら、先の＜表３＞のように基地局が転送する単一のＲＲＣページングメッセージに含まれることができるページングレコードの最大個数（即ち、ページング可能な端末の最大個数またはページング資源）は予め定義されることもできる。例えば、現在ＬＴＥ／ＬＴＥ−Ａシステムでは、単一のＲＲＣページングメッセージに含まれることができるページングレコードの最大個数は１６（‘maxPageRec’＝１６）に定義されている。したがって、仮に特定ページング時点（paging occasion）にページング送信が要求される端末が前記の最大個数以上の場合、基地局はページングされた全ての端末に該当ページング時点でページング送信が不可能な場合が生じることもある。この場合、特定端末のページングは該当端末の次のページング時点（Paging occasion）で転送されることもできる。したがって、ＭＭＥからＳ１ＡＰページングメッセージを受信した基地局はページング資源（paging resource）及び／又はページングが転送される端末の数（即ち、ページングキュー（queue））などに基づいてページングのための初期CE levelを決定することもできる。そして、基地局は該当端末のページング時点（paging occasion）で基地局により決定された初期CE levelを適用してＲＲＣページングメッセージを端末に転送する。
【０４２５】
そして、基地局はＳ１ＡＰページングメッセージ（または、ページング要求）に含まれたページング試行回数（Paging Attempt Count）（または、ページング転送回数）によって初期CE levelからランピングアップ（ramping-up）してページングのためのCE levelを決定することもできる。例えば、ページング試行回数（Paging Attempt Count）（または、ページング転送回数）が２の場合、基地局は初期CE levelから一ステップ増加させて（ramping-up）CE levelを決定することもできる。
【０４２６】
３）先の図１８の３）実施形態のように、Ｓ１ＡＰページングメッセージ（または、ページング要求）がCE levelと共にページング試行回数（Paging Attempt Count）（または、ページング転送回数）を含む場合、基地局はＳ１ＡＰページングメッセージ（または、ページング要求）に含まれたCE level及び／又はページング転送回数（または、ページング試行回数（Paging Attempt Count））に基づいてCE level（即ち、ＲＲＣページングメッセージ転送に対する反復回数）を決定することもできる。この場合、基地局はＳ１ＡＰページングメッセージを通じて受信したCE level値を基準に、ページング転送回数（または、ページング試行回数（Paging Attempt Count））によって端末に適用されるCE levelをランピングアップ（ramping-up）するか否か、またどれくらい端末に適用されるCE levelをランピングアップ（ramping-up）するのかを決定することができる。
【０４２７】
−前述したように、最初のページング転送時、あるいはページング再転送に関わらず、Ｓ１ＡＰページングメッセージ（または、ページング要求）は同一なCE levelを指示し、Ｓ１ＡＰページングメッセージ（または、ページング要求）はページング転送回数（または、ページング試行回数（Paging Attempt Count））（例えば、１、２、３、．．．）を含むこともできる。
【０４２８】
この場合、基地局はＭＭＥからページング転送回数（または、ページング試行回数（Paging Attempt Count））が１であるＳ１ＡＰページングメッセージを受信した場合、Ｓ１ＡＰページングメッセージに含まれたCE levelを適用してＲＲＣページングメッセージを端末に転送することもできる。基地局は、ＭＭＥからページング転送回数（または、ページング試行回数（Paging Attempt Count））が２であるＳ１ＡＰページングメッセージを受信した場合、該当Ｓ１ＡＰページングメッセージ含まれたCE levelより高めた（ramping-up）（例えば、１ステップ）CE levelを適用してＲＲＣページングメッセージを端末に転送することもできる。
【０４２９】
例えば、各CE level ０（例えば、０ｄＢ）、CE level １（例えば、６ｄＢ）、CE level ２（例えば、１２ｄＢ）、及びCE level３（例えば、１８ｄＢ）に相応するＲＲＣページングメッセージの（最大）反復回数（または、（最大）反復サイズ）が各々１、２、３、及び４回（または、資源ブロック、サブフレーム）と仮定する。
【０４３０】
この場合、Ｓ１ＡＰページングメッセージがCE level １及びページング試行回数２を含めば、基地局はＲＲＣページングメッセージを該当端末に（CE level １で１ステップ高めた）CE level ２に相応する（最大）３回繰り返して（または、（最大）３個の資源ブロック、３個のサブフレーム）転送することもできる。
【０４３１】
または、基地局はページング試行回数に関わらず、受信したCE level １によってＲＲＣページングメッセージを該当端末に（最大）２回繰り返して（または、２個資源ブロック、２個サブフレーム）転送することもできる。
【０４３２】
同様に、基地局はＭＭＥからページング転送回数（または、ページング試行回数（Paging Attempt Count））が３であるＳ１ＡＰページングメッセージを受信した場合、該当Ｓ１ＡＰページングメッセージ含まれたCE levelより高めた（ramping-up）（例えば、２ステップ）CE levelを適用してＲＲＣページングメッセージを端末に転送することもできる。
【０４３３】
前記の例で、Ｓ１ＡＰページングメッセージがCE level １及びページング試行回数３を含めば、基地局はＲＲＣページングメッセージを該当端末にCE level３に相応する（最大）４回繰り返して（または、４個の資源ブロックで、４個のサブフレームで）転送することができる。
【０４３４】
または、基地局はページング試行回数に関わらず、受信したCE level １によってＲＲＣページングメッセージを該当端末に（最大）２回繰り返して（または、２個の資源ブロックで、２個のサブフレームで）転送することもできる。
【０４３５】
−一方、ＭＭＥはページング再転送時、以前のCE levelよりCE levelを高めて（Ramping-up）再転送することもできる。即ち、ＭＭＥは最初のＳ１ＡＰページングメッセージを転送する時、初期CE levelを含めて転送し、以後、同一端末に対してＳ１ＡＰページングメッセージを再転送する時、初期CE levelより高い（ramping-up）CE levelを含めて転送することもできる。そして、Ｓ１ＡＰページングメッセージ（または、ページング要求）はページング転送回数（または、ページング試行回数（Paging Attempt Count））（例えば、１、２、３、．．．）を含むこともできる。
【０４３６】
この場合、基地局はＭＭＥから受信したCE levelを適用してＲＲＣページングメッセージ（または、ページング情報）を端末に転送することもできる。
【０４３７】
一方、基地局は自身がサービスすることができるCE levelより高いCE levelをＭＭＥから受信した場合、自身の最大CE levelを適用することもできる。
【０４３８】
４）先の図１８の４）実施形態のように、最初のＳ１ＡＰページングメッセージ（または、ページング要求）がCE levelと共にページング転送回数（または、ページング試行回数（Paging Attempt Count））（例えば、１、２、３、．．．）を含むが、再転送されるＳ１ＡＰページングメッセージ（または、ページング要求）はページング転送回数（または、ページング試行回数（Paging Attempt Count））のみを含むこともできる。
【０４３９】
この場合、ＭＭＥからページング転送回数（または、ページング試行回数（Paging Attempt Count））が１であるＳ１ＡＰページングメッセージを受信した場合、基地局はＭＭＥから受信したCE levelを適用してＲＲＣページングメッセージ（または、ページング情報）を端末に転送することもできる。
【０４４０】
そして、ＭＭＥからページング転送回数（または、ページング試行回数（Paging Attempt Count））が２であるＳ１ＡＰページングメッセージを受信した場合、基地局はページング転送回数（または、ページング試行回数（Paging Attempt Count））が１であるＳ１ＡＰページングメッセージに含まれたCE levelより１ステップ高めた（ramping-up）CE levelを適用してＲＲＣページングメッセージを端末に転送することもできる。同様に、ＭＭＥからページング転送回数（または、ページング試行回数（Paging Attempt Count））が３であるＳ１ＡＰページングメッセージを受信した場合、基地局はページング転送回数（または、ページング試行回数（Paging Attempt Count））が１であるＳ１ＡＰページングメッセージに含まれたCE levelより２ステップ高めた（ramping-up）CE levelを適用してＲＲＣページングメッセージを端末に転送することもできる。
【０４４１】
一方、基地局は自身がサービスすることができるCE levelより高いCE levelをＭＭＥから受信した場合、自身の最大CE levelを適用することもできる。
【０４４２】
５）先の図１８の５）の実施形態と共にＳ１ＡＰページングメッセージ（または、ページング要求）は、セル識別子（例えば、ＥＣＧＩなど）を含むこともできる。
【０４４３】
この場合、基地局はＳ１ＡＰページングメッセージ（または、ページング要求）を通じて受信したセル識別子（例えば、ＥＣＧＩなど）に該当するセルにＲＲＣページングメッセージを転送する時、ＭＭＥから受信したCE level及び／又はページング転送回数（または、ページング試行回数（Paging Attempt Count））に基づいてCE levelを決定することもできる。
【０４４４】
以下、前述した１）〜４）の実施形態に従うページング手続をより詳しく説明する。また、以下、説明の便宜のために先の実施形態５）のようにＳ１ＡＰページングメッセージはセル識別子（例えば、ＥＣＧＩなど）を含むと仮定する。
【０４４５】
図２０は、本発明の一実施形態に係るページング転送方法を例示する図である。
【０４４６】
図２０では、前述した実施形態１）をより詳しく例示する。
【０４４７】
図２０を参照すると、Ｓ−ＧＷはＭＭＥにダウンリンクデータ通知（Downlink Data Notification）メッセージを転送する（Ｓ２００１）。
【０４４８】
より詳しくは、ダウンリンクデータ（Downlink Data）が外部ネットワーク（external network）からＰ−ＧＷに到達すれば、Ｐ−ＧＷはダウンリンクデータをＳ−ＧＷに伝達する。ダウンリンクＳ１ベアラーが解除されてダウンリンクデータを基地局（ｅＮＢ）に転送できない場合（即ち、Ｓ−ＧＷに‘S1 eNB TEID’値が存在しない場合）、Ｓ−ＧＷは該当端末（ＵＥ）に対するシグナリング連結及びベアラー設定のために端末が登録されているＭＭＥにダウンリンクデータ通知（Downlink Data Notification）メッセージを転送する。
【０４４９】
ＭＭＥは、端末が最近に登録したトラッキング領域に属する基地局（ｅＮＢ）にＳ１ＡＰページングメッセージを転送する（Ｓ２００２）。
【０４５０】
ここで、Ｓ１ＡＰページングメッセージは該当端末のCE level及びセルＩＤ（例えば、ＥＣＧＩ）を含むこともできる。
【０４５１】
この際、ＭＭＥが該当端末に対するＳ１解除手続中に基地局から受信したCE levelを受信して端末コンテクスト情報に格納した場合、ＭＭＥはＳ１ＡＰページングメッセージに格納されたCE levelを含んで転送することもできる。
【０４５２】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）が該当されることもできる。
【０４５３】
Ｓ１ＡＰページングメッセージを受信した基地局は、受信したCE levelに基づいて該当端末のCE levelを決定する（Ｓ２００３）。
【０４５４】
この際、基地局はＭＭＥから受信したCE levelをそのまま該当端末に対するCE levelに決定することもできる。
【０４５５】
そして、基地局はステップＳ２００３で決定されたCE levelを適用して該当端末にＲＲＣページングメッセージ（または、ページング情報）を転送する（Ｓ２００４）。
【０４５６】
以後、一定時間の間該当端末からページングに対する応答がない場合、ＭＭＥはＳ１ＡＰページングメッセージを基地局に再転送する（Ｓ２００５）。
【０４５７】
ここで、Ｓ１ＡＰページングメッセージは該当端末のCE level及びセルＩＤ（例えば、ＥＣＧＩ）を含むこともできる。
【０４５８】
この際、２番目のＳ１ＡＰページングメッセージ内のCE levelは、最初のＳ１ＡＰページングメッセージ（即ち、ステップＳ２００２）内のCE levelより高い（ramping-up）CE levelでありうる。
【０４５９】
Ｓ１ＡＰページングメッセージを受信した基地局は、受信したCE levelに基づいて該当端末のCE levelを決定する（Ｓ２００６）。
【０４６０】
この際、基地局はＭＭＥから受信したCE levelをそのまま該当端末に対するCE levelに決定することもできる。
【０４６１】
そして、基地局はステップＳ２００６で決定されたCE levelを適用して該当端末にＲＲＣページングメッセージ（または、ページング情報）を転送する（Ｓ２００７）。
【０４６２】
図２１は、本発明の一実施形態に係るページング転送方法を例示する図である。
【０４６３】
図２１では前述した実施形態２）をより詳しく例示する。
【０４６４】
図２１を参照すると、Ｓ−ＧＷはＭＭＥにダウンリンクデータ通知（Downlink Data Notification）メッセージを転送する（Ｓ２１０１）。
【０４６５】
ＭＭＥは、端末が最近に登録したトラッキング領域に属する基地局（ｅＮＢ）にＳ１ＡＰページングメッセージを転送する（Ｓ２１０２）。
【０４６６】
ここで、Ｓ１ＡＰページングメッセージはページング転送回数（または、ページング試行回数（Paging Attempt Count））及びセルＩＤ（例えば、ＥＣＧＩ）を含むこともできる。
【０４６７】
ステップＳ２１０２は最初のページング転送であるので、ページング転送回数（または、ページング試行回数（Paging Attempt Count））は１を指示することもできる。
【０４６８】
Ｓ１ＡＰページングメッセージを受信した基地局は、受信したページング転送回数（または、ページング試行回数（Paging Attempt Count））に基づいて該当端末のCE levelを決定する（Ｓ２１０３）。
【０４６９】
ページング転送回数（または、ページング試行回数（Paging Attempt Count））が１であるので、基地局は全体Ｎ個のCE levelが予め定義（または、設定）された場合、予め定義（または、設定）されたＮ個のCE levelのうち、中間（medium）値または平均（average）値または最低値に該当端末のCE levelを決定することもできる。
【０４７０】
または、基地局はページング資源（paging resource）及び／又はＲＲＣページングメッセージが転送される端末の数（即ち、ページングキュー（queue））などに基づいて（考慮して）該当端末のCE levelを決定することもできる。
【０４７１】
そして、基地局はステップＳ２１０３で決定されたCE levelを適用して該当端末にＲＲＣページングメッセージ（または、ページング情報）を転送する（Ｓ２１０４）。
【０４７２】
以後、一定時間の間該当端末からページングに対する応答がない場合、ＭＭＥはＳ１ＡＰページングメッセージを基地局に再転送する（Ｓ２１０５）。
【０４７３】
ここで、Ｓ１ＡＰページングメッセージはページング転送回数（または、ページング試行回数（Paging Attempt Count））及びセルＩＤ（例えば、ＥＣＧＩ）を含むこともできる。
【０４７４】
ステップＳ２１０５は２番目のページング転送であるので、ページング転送回数（または、ページング試行回数（Paging Attempt Count））は２を指示することもできる。
【０４７５】
Ｓ１ＡＰページングメッセージを受信した基地局は、受信したページング転送回数（または、ページング試行回数（Paging Attempt Count））に基づいて該当端末のCE levelを決定する（Ｓ２１０６）。
【０４７６】
ページング転送回数（または、ページング試行回数（Paging Attempt Count））が２であるので、基地局は該当端末に対する以前のCE level（即ち、Ｓ２１０３で決定されたCE level）より高めて（ramping-up）該当CE levelを決定する。
【０４７７】
そして、基地局はステップＳ２１０６で決定されたCE levelを適用して該当端末にＲＲＣページングメッセージ（または、ページング情報）を転送する（Ｓ２１０７）。
【０４７８】
図２２は、本発明の一実施形態に係るページング転送方法を例示する図である。
【０４７９】
図２２では、前述した実施形態３）をより詳しく例示する。
【０４８０】
図２２を参照すると、Ｓ−ＧＷはＭＭＥにダウンリンクデータ通知（Downlink Data Notification）メッセージを転送する（Ｓ２２０１）。
【０４８１】
ＭＭＥは、端末が最近に登録したトラッキング領域に属する基地局（ｅＮＢ）にＳ１ＡＰページングメッセージを転送する（Ｓ２２０２）。
【０４８２】
ここで、Ｓ１ＡＰページングメッセージは該当端末のCE level、ページング転送回数（または、ページング試行回数（Paging Attempt Count））及びセルＩＤ（例えば、ＥＣＧＩ）を含むこともできる。
【０４８３】
この際、ＭＭＥが該当端末に対するＳ１解除手続中に基地局から受信したCE levelを受信して端末コンテクスト情報に格納した場合、ＭＭＥはＳ１ＡＰページングメッセージに格納されたCE levelを含んで転送することもできる。
【０４８４】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）が該当されることもできる。
【０４８５】
ステップＳ２２０２は最初のページング転送であるので、ページング転送回数（または、ページング試行回数（Paging Attempt Count））は１を指示することもできる。
【０４８６】
Ｓ１ＡＰページングメッセージを受信した基地局は、受信したCE level及びページング転送回数（または、ページング試行回数（Paging Attempt Count））に基づいて該当端末のCE levelを決定する（Ｓ２２０３）。
【０４８７】
ページング転送回数（または、ページング試行回数（Paging Attempt Count））が１であるので、基地局はＭＭＥから受信したCE levelをそのまま該当端末に対するCE levelに決定することもできる。
【０４８８】
そして、基地局はステップＳ２２０３で決定されたCE levelを適用して該当端末にＲＲＣページングメッセージ（または、ページング情報）を転送する（Ｓ２２０４）。
【０４８９】
以後、一定時間の間該当端末からページングに対する応答がない場合、ＭＭＥはＳ１ＡＰページングメッセージを基地局に再転送する（Ｓ２２０５）。
【０４９０】
ここで、Ｓ１ＡＰページングメッセージは、該当端末のCE level、ページング転送回数（または、ページング試行回数（Paging Attempt Count））、及びセルＩＤ（例えば、ＥＣＧＩ）を含むこともできる。
【０４９１】
この際、ＭＭＥは最初のＳ１ＡＰページングメッセージ（即ち、ステップＳ２２０２）内のCE levelと同一なCE levelを転送することもできる。
【０４９２】
ステップＳ２２０５は２番目のページング転送であるので、ページング転送回数（または、ページング試行回数（Paging Attempt Count））は２を指示することもできる。
【０４９３】
Ｓ１ＡＰページングメッセージを受信した基地局は、受信したCE level及びページング転送回数（または、ページング試行回数（Paging Attempt Count））に基づいて該当端末のCE levelを決定する（Ｓ２２０６）。
【０４９４】
ページング転送回数（または、ページング試行回数（Paging Attempt Count））が２であるので、基地局はＭＭＥから受信したCE levelを１ステップ高めて（ramping-up）該当端末に対するCE levelに決定することもできる。
【０４９５】
そして、基地局はステップＳ２２０６で決定されたCE levelを適用して該当端末にＲＲＣページングメッセージ（または、ページング情報）を転送する（Ｓ２２０７）。
【０４９６】
一方、更に他の例として、ステップＳ２２０５でＭＭＥは最初のＳ１ＡＰページングメッセージ（即ち、ステップＳ２２０２）内のCE levelより高い（Ramping-up）CE levelを転送することもできる。この場合、ステップＳ２２０６で基地局はＭＭＥから受信したCE levelをそのまま該当端末に対するCE levelに決定し、ステップＳ２２０７で決定されたCE levelを適用してＲＲＣページングメッセージを端末に転送することもできる。
【０４９７】
図２３は、本発明の一実施形態に係るページング転送方法を例示する図である。
【０４９８】
図２３では、前述した実施形態４）をより詳しく例示する。
【０４９９】
図２３を参照すると、Ｓ−ＧＷはＭＭＥにダウンリンクデータ通知（Downlink Data Notification）メッセージを転送する（Ｓ２３０１）。
【０５００】
ＭＭＥは、端末が最近に登録したトラッキング領域に属する基地局（ｅＮＢ）にＳ１ＡＰページングメッセージを転送する（Ｓ２３０２）。
【０５０１】
ステップＳ２２０２は最初のページング転送であるので、Ｓ１ＡＰページングメッセージは該当端末のCE level、ページング転送回数（または、ページング試行回数（Paging Attempt Count））、及びセルＩＤ（例えば、ＥＣＧＩ）を含むこともできる。そして、ページング転送回数（または、ページング試行回数（Paging Attempt Count））は１を指示することもできる。
【０５０２】
この際、ＭＭＥが該当端末に対するＳ１解除手続中に基地局から受信したCE levelを受信して端末コンテクスト情報に格納した場合、ＭＭＥはＳ１ＡＰページングメッセージに格納されたCE levelを含んで転送することもできる。
【０５０３】
一方、基地局がCE levelをＭＭＥに提供しない場合、CE levelはＭＭＥにより決定された値（例えば、全体Ｎ個のCE levelが予め定義（または、設定）された場合、予め定義（または、設定）されたＮ個のCE levelのうち、中間（medium）値または平均（average）値または最も低いCE level値、あるいは最も大きいCE level値）が該当されることもできる。
【０５０４】
Ｓ１ＡＰページングメッセージを受信した基地局は、受信したCE level及びページング転送回数（または、ページング試行回数（Paging Attempt Count））に基づいて該当端末のCE levelを決定する（Ｓ２３０３）。
【０５０５】
ページング転送回数（または、ページング試行回数（Paging Attempt Count））が１であるので、基地局はＭＭＥから受信したCE levelをそのまま該当端末に対するCE levelに決定することもできる。
【０５０６】
そして、基地局はステップＳ２３０３で決定されたCE levelを適用して該当端末にＲＲＣページングメッセージ（または、ページング情報）を転送する（Ｓ２３０４）。
【０５０７】
以後、一定時間の間該当端末からページングに対する応答がない場合、ＭＭＥはＳ１ＡＰページングメッセージを基地局に再転送する（Ｓ２３０５）。
【０５０８】
ここで、ステップＳ２３０５は２番目のページング転送であるので、Ｓ１ＡＰページングメッセージは、ページング転送回数（または、ページング試行回数（Paging Attempt Count））及びセルＩＤ（例えば、ＥＣＧＩ）を含むこともできる。そして、ページング転送回数（または、ページング試行回数（Paging Attempt Count））は２を指示することもできる。
【０５０９】
Ｓ１ＡＰページングメッセージを受信した基地局は、受信したCE level及びページング転送回数（または、ページング試行回数（Paging Attempt Count））に基づいて該当端末のCE levelを決定する（Ｓ２３０６）。
【０５１０】
先の図２２の例示と相異なるように、図２３の例示では、最初のＳ１ＡＰページングメッセージのみでCE levelが含まれ、以後の再転送されたＳ１ＡＰページングメッセージはCE levelを含まない。
【０５１１】
したがって、基地局は最初のＳ１ＡＰページングメッセージで受信したCE level及び現在受信Ｓ１ＡＰページングメッセージのページング転送回数（または、ページング試行回数（Paging Attempt Count））に基づいて該当端末に対するCE levelに決定することもできる。
【０５１２】
ステップＳ２３０５で、ページング転送回数（または、ページング試行回数（Paging Attempt Count））が２であるので、基地局は最初のＳ１ＡＰページングメッセージに含まれたCE levelを１ステップ高めて（ramping-up）該当端末に対するCE levelに決定することもできる。
【０５１３】
そして、基地局はステップＳ２３０６で決定されたCE levelを適用して該当端末にＲＲＣページングメッセージ（または、ページング情報）を転送する（Ｓ２３０７）。
【０５１４】
一方、先の図１７から図２３の実施形態で、CE levelに対して主に説明したが、本発明の他の一実施形態によれば、CE levelはページングパワーレベル（power level）及び／又はページング優先順位（priority）に代替されることもできる。
【０５１５】
ここで、パワーレベルはＲＲＣページングメッセージ転送のための（または、ＲＲＣページングメッセージを運ぶＰＤＳＣＨの転送のための）パワーレベルを意味する。
【０５１６】
そして、ページング優先順位（priority）は単一のページング時点で転送可能な複数のページングメッセージに対して各ページングメッセージ別（即ち、各端末別）に転送される順序を決定するための基準を意味する。前述したように、単一のＲＲＣページングメッセージに含まれることができるページングレコードの最大個数が予め定義されているので、基地局はページングされた全ての端末に該当ページング時点でページング送信が不可能な場合が生じることもある。この場合、基地局はページング優先順位を考慮して該当ページング時点で転送するページングメッセージを決定することもできる。
【０５１７】
より詳しく説明すれば、先の図１７に従うＳ１解除手続中に基地局はＭＭＥにCE levelと共に、またはCE levelに関わらず、該当端末に対するページングパワーレベル（power level）及び／又はページング優先順位（priority）を伝達することもできる。
【０５１８】
また、先の図１８に従うページング手続中にＭＭＥは基地局にCE levelの代わりに該当端末に対するページングパワーレベル（power level）及び／又はページング優先順位（priority）を伝達することもできる。
【０５１９】
基地局がＭＭＥからCE levelの代わりにページングパワーレベル（power level）及び／又はページング優先順位（priority）の伝達を受けた場合、基地局は受信したページングパワーレベル（power level）及び／又はページング優先順位（priority）を考慮して該当端末に対してＲＲＣページングメッセージ転送のためのページングパワーレベル（power level）及び／又はページング優先順位（priority）を決定することもできる。そして、基地局は決定されたパワーレベル（power level）及び／又はページング優先順位（priority）を適用してＲＲＣページングメッセージを転送することもできる。
【０５２０】
また、基地局がＭＭＥからページング試行回数（Paging Attempt Count）のみを受信した場合、基地局は受信したページング試行回数（Paging Attempt Count）（または、ページング転送回数）を用いて該当端末に対してＲＲＣページングメッセージ転送のためのパワーレベル（power level）及び／又はページング優先順位（priority）を決定することもできる。そして、基地局は決定されたパワーレベル（power level）及び／又はページング優先順位（priority）を適用してＲＲＣページングメッセージを転送することもできる。一例に、基地局はページング試行回数（Paging Attempt Count）が増加するほど該当端末に対するページングパワーレベル（power level）及び／又はページング優先順位を高めることもできる。
【０５２１】
このように、該当端末に対する適合したページングパワーレベル（power level）及び／又はページング優先順位によりページングを転送することによって、ページング受信効率を高めることができ、ページング再転送に従う不要な無線資源消費を防止することもできる。
【０５２２】
本発明が適用できる装置一般
図２４は、本発明の一実施形態に係る通信装置のブロック構成図を例示する。
【０５２３】
図２４を参照すると、無線通信システムはネットワークノード２４１０及び多数の端末（ＵＥ）２４２０を含む。
【０５２４】
ネットワークノード２４１０は、プロセッサ（processor）２４１１、メモリ（memory）２４１２、及び通信モジュール（communication module）２４１３を含む。プロセッサ２４１１は、先の図１から図２3で提案された機能、過程、及び／又は方法を実装する。有線／無線インターフェースプロトコルの階層はプロセッサ２４１１により実装できる。メモリ２４１２はプロセッサ２４１１と連結されて、プロセッサ２４１１を駆動するための多様な情報を格納する。通信モジュール２４１３はプロセッサ２４１１と連結されて、有線／無線信号を送信及び／又は受信する。ネットワークノード２４１０の一例に、基地局、ＭＭＥ、ＨＳＳ、ＳＧＷ、ＰＧＷ、アプリケーションサーバーなどがこれに該当できる。特に、ネットワークノード２４１０が基地局である場合、通信モジュール２４１３は無線信号を送信／受信するためのＲＦ部（radio frequency unit）を含むことができる。
【０５２５】
端末２４２０は、プロセッサ２４２１、メモリ２４２２、及び通信モジュール（または、ＲＦ部）２４２３を含む。プロセッサ２４２１は、先の図１から図２3で提案された機能、過程、及び／又は方法を実装する。無線インターフェースプロトコルの階層はプロセッサ２４２１により実装できる。メモリ２４２２はプロセッサ２４２１と連結されて、プロセッサ２４２１を駆動するための多様な情報を格納する。通信モジュール２４２３はプロセッサ２４２１と連結されて、無線信号を送信及び／又は受信する。
【０５２６】
メモリ２４１２、２４２２は、プロセッサ２４１１、２４２１の内部または外部にあることができ、よく知られた多様な手段によりプロセッサ２４１１、２４２１と連結できる。また、ネットワークノード２４１０（基地局の場合）及び／又は端末２４２０は、一つのアンテナ（single antenna）または多重アンテナ（multiple antenna）を有することができる。
【０５２７】
図２５は、本発明の一実施形態に係る通信装置のブロック構成図を例示する。
【０５２８】
特に、図２５では先の図２４の端末をより詳しく例示する図である。
【０５２９】
図２５を参照すると、端末はプロセッサ（または、ディジタル信号プロセッサ（ＤＳＰ：digital signal processor）２５１０、ＲＦモジュール（RF module）（または、ＲＦユニット）２５３５、パワー管理モジュール（power management module）２５０５、アンテナ（antenna）２５４０、バッテリー（battery）２５５５、ディスプレイ（display）２５１５、キーパッド（keypad）２５２０、メモリ（memory）２５３０、ＳＩＭカード（ＳＩM（Subscriber Identification Module）card）２５２５（この構成は、選択的である）、スピーカー（speaker）２５４５、及びマイクロフォン（microphone）２５５０を含んで構成できる。また、端末は単一のアンテナまたは多重のアンテナを含むことができる。
【０５３０】
プロセッサ２５１０は、先の図１から図２０で提案された機能、過程及び／又は方法を実装する。無線インターフェースプロトコルの階層は、プロセッサ２５１０により実装できる。
【０５３１】
メモリ２５３０はプロセッサ２５１０と連結され、プロセッサ２５１０の動作と関連した情報を格納する。メモリ２５３０は、プロセッサ２５１０の内部または外部にあることができ、よく知られた多様な手段によりプロセッサ２５１０と連結できる。
【０５３２】
ユーザは、例えば、キーパッド２５２０のボタンを押すか（あるいは、タッチするか）、またはマイクロフォン２５５０を用いた音声駆動（voice activation）により電話番号などの命令情報を入力する。プロセッサ２５１０は、このような命令情報を受信し、電話番号で電話をかけるなど、適切な機能を遂行するように処理する。駆動上のデータ（operational data）はＳＩＭカード２５３０またはメモリ２５３０から抽出することができる。また、プロセッサ２５１０はユーザが認知し、また便宜のために命令情報または駆動情報をディスプレイ２５１５上にディスプレイすることができる。
【０５３３】
ＲＦモジュール２５３５はプロセッサ２５１０に連結されて、ＲＦ信号を送信及び／又は受信する。プロセッサ２５１０は通信を開始するために、例えば、音声通信データを構成する無線信号を転送するように命令情報をＲＦモジュール２５３５に伝達する。ＲＦモジュール２５３５は、無線信号を受信及び送信するために受信機（receiver）及び伝送器（transmitter）から構成される。アンテナ２５４０は、無線信号を送信及び受信する機能をする。無線信号を受信する時、ＲＦモジュール２５３５はプロセッサ２５１０により処理するために信号を伝達し、基底帯域に信号を変換することができる。処理された信号はスピーカー２５４５を通じて出力される可聴または可読情報に変換できる。
【０５３４】
以上説明された実施の形態は、本発明の構成要素と特徴が所定の形態で結合されたものである。各構成要素または特徴は、別の明示的な言及がない限り選択的なものと考慮されなければならない。各構成要素または特徴は、他の構成要素または特徴と結合されない形態で実施されることができる。また、一部構成要素及び／または特徴を結合して本発明の実施の形態を構成することも可能である。本発明の実施の形態において説明される動作の順序は変更されることができる。ある実施の形態の一部構成または特徴は、他の実施の形態に含まれることができ、または他の実施の形態の対応する構成または特徴と交替されることができる。特許請求の範囲において明示的な引用関係がない請求項を結合して実施の形態を構成するか、または出願後の補正により新しい請求項として含めることができることは自明である。
【０５３５】
本発明にかかる実施の形態は、多様な手段、例えば、ハードウェア、ファームウェア（firmware）、ソフトウェアまたはそれらの結合などにより具現化されることができる。ハードウェアによる実装の場合、本発明の一実施の形態は、一つまたはそれ以上のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロ・プロセッサなどにより具現化されることができる。
【０５３６】
ファームウェアまたはソフトウェアによる実装の場合、本発明の一実施の形態は、以上説明された機能または動作を行うモジュール、手順、関数などの形態により具現化されることができる。ソフトウェアコードは、メモリに格納されてプロセッサにより駆動されることができる。前記メモリは、前記プロセッサの内部または外部に位置して、予め公知された多様な手段により前記プロセッサとデータをやり取りすることができる。
【０５３７】
本発明は、本発明の必須特徴から外れない範囲で他の特定の形態で具体化されうることは当業者にとって自明である。したがって、上述の詳細な説明は、すべての面において制限的に解釈されてはならず、例示に過ぎないと考慮しなければならない。本発明の範囲は、添付された請求項の合理的解釈により決定されなければならず、本発明の等価的範囲内でのすべての変更は、本発明の範囲に含まれる。
【産業上の利用可能性】
【０５３８】
本発明の無線通信システムにおけるページング転送方案は３ＧＰＰ ＬＴＥ／ＬＴＥ−Ａシステムに適用される例を中心として説明したが、３ＧＰＰ ＬＴＥ／ＬＴＥ−Ａシステム以外にも多様な無線通信システムに適用することが可能である。
【図１】
2018505595.tif 000021
【図２】
2018505595.tif 000022
【図３】
2018505595.tif 000023
【図４】
2018505595.tif 000024
【図５】
2018505595.tif 000025
【図６】
2018505595.tif 000026
【図７】
2018505595.tif 000027
【図８】
2018505595.tif 000028
【図９】
2018505595.tif 000029
【図１０】
2018505595.tif 000030
【図１１】
2018505595.tif 000031
【図１２】
2018505595.tif 000032
【図１３】
2018505595.tif 000033
【図１４】
2018505595.tif 000034
【図１５】
2018505595.tif 000035
【図１６】
2018505595.tif 000036
【図１７】
2018505595.tif 000037
【図１８】
2018505595.tif 000038
【図１９】
2018505595.tif 000039
【図２０】
2018505595.tif 000040
【図２１】
2018505595.tif 000041
【図２２】
2018505595.tif 000042
【図２３】
2018505595.tif 000043
【図２４】
2018505595.tif 000044
【図２５】
2018505595.tif 000045
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
無線通信システムにおける移動性管理個体（ＭＭＥ：Mobility Management Entity）がページングを転送するための方法であって、
サービングゲートウェイ（Ｓ−ＧＷ：Serving Gateway）からダウンリンクデータ通知メッセージを受信するステップと、
前記Ｓ−ＧＷから前記ダウンリンクデータ通知メッセージを受信したとき、基地局にページング回数及びカバレッジ向上（ＣＥ：Coverage Enhancement）レベルを含むページングメッセージを転送するステップと、を含み、
前記ＣＥレベルは、端末が最後に連結された基地局から前記ＭＭＥへ提供されるＣＥレベルである、ページング転送方法。
【請求項２】
前記ページングメッセージは、前記ＣＥレベルが適用されるセルのＥＣＧＩ（E-UTRAN（evolved universal mobile telecommunications system (UMTS) terrestrial radio access network） Cell Global Identifier）を含む、請求項１に記載のページング転送方法。
【請求項３】
前記ＣＥレベルは、Ｓ１解除手続中にＳ１端末コンテクスト解除完了メッセージを通じて提供される、請求項１に記載のページング転送方法。
【請求項４】
前記ページングメッセージが含む前記ＣＥレベルは、前記ＭＭＥにより決定される全ＣＥレベルの中の最低値、平均値、中間値、及び最高値の一つに決定される、請求項１に記載のページング転送方法。
【請求項５】
前記ページング回数に関わらず、前記ページングメッセージが含む前記ＣＥレベルは同一である、請求項１に記載のページング転送方法。
【請求項６】
前記ページング回数が１の場合、前記ページングメッセージが含む前記ＣＥレベルは、前記Ｓ１端末コンテクスト解除完了メッセージを通じて受信した前記ＣＥレベルであり、
前記ページング回数が２以上の場合、前記ページングメッセージが含む前記ＣＥレベルは、前記ページング回数によってランピングアップされたＣＥレベル値である、請求項３に記載のページング転送方法。
【請求項７】
前記ＣＥレベルは、前記Ｓ１端末コンテクスト解除完了メッセージを通じて前記ＣＥレベルを転送した前記基地局のみに提供される、請求項３に記載のページング転送方法。
【請求項８】
前記ページング回数が１の場合、前記ＣＥレベルは、前記ＭＭＥにより決定される全ＣＥレベルの中の最低値、平均値、中間値、及び最高値の一つであり、
前記ページング回数が２以上の場合、前記ページングメッセージが含む前記ＣＥレベルは、前記ページング回数によってランピングアップされたＣＥレベルである、請求項４に記載のページング転送方法。
【請求項９】
前記ＣＥレベルは各基地局別に定まる、請求項１に記載のページング転送方法。
【請求項１０】
前記ページング回数が１の場合、前記ページングメッセージは前記ページング回数及び前記ＣＥレベルを含み、
前記ページング回数が２以上の場合、前記ページングメッセージは前記ページング回数を含み、前記ＣＥレベルを含まない、請求項１に記載のページング転送方法。
【請求項１１】
無線通信システムにおけるページング転送のための移動性管理個体（ＭＭＥ：Mobility Management Entity）装置であって、
信号を転送及び受信するよう構成される通信モジュールと、
プロセッサであって、
サービングゲートウェイ（Ｓ−ＧＷ：Serving Gateway）からダウンリンクデータ通知メッセージを受信するよう前記通信モジュールを制御し、
前記通信モジュールが前記Ｓ−ＧＷから前記ダウンリンクデータ通知メッセージを受信するとき、基地局にページング回数及びカバレッジ向上（ＣＥ：Coverage Enhancement）レベルを含むページングメッセージを転送するよう前記通信モジュールを制御する、
ように構成される、プロセッサと、を含み、
前記ＣＥレベルは、端末が最後に連結された基地局から前記ＭＭＥ装置へ提供されるＣＥレベルである、ＭＭＥ装置。
【請求項１２】
前記ページングメッセージは、前記端末が登録される１つ以上のトラッキング領域に属するすべての基地局へ転送される、請求項１に記載のページング転送方法。
【国際調査報告】
2018505595.tif 000046
2018505595.tif 000047
2018505595.tif 000048
2018505595.tif 000049